(57)【要約】【課題】省電力セルの通常動作状態と省電力状態との切替えが不必要に行われることを防ぐことができる通信システム等を提供する。【解決手段】通信システムは、通信端末装置と、通信端末装置と無線通信可能な少なくとも１つのセルを構成する基地局装置とを備える。少なくとも１つのセルは、通常動作状態と、通常動作状態よりも消費電力が低い省電力状態とを切替え可能な省電力セル（ＥＳセル）を含む。省電力セルは、省電力状態においてディスカバリー信号を送信する。通信端末装置は、ディスカバリー信号に対してメジャメントを行う（ＳＴ１５０２）。ディスカバリー信号のメジャメント結果と、通信端末装置が省電力セルへのアクセス権を有するか否かを判断するアクセス制限判断の結果とに基づいて、省電力セルを省電力状態から通常動作状態に移行させるか否かが決定される（ＳＴ１５０５）。【選択図】図１２
2020202598.tif 000002
【特許請求の範囲】
【請求項１】
通信端末装置と、
前記通信端末装置と無線通信可能な少なくとも１つの基地局装置と
を備える通信システムであって、
前記少なくとも１つの基地局は、
前記通信端末装置のサービングセルと、
通常動作状態と、前記通常動作状態よりも消費電力が低い省電力状態とを切替え可能な省電力セルと
を構成し、
前記省電力セルは、前記省電力状態においてディスカバリー信号を送信し、
前記通信端末装置は、前記ディスカバリー信号に対してメジャメントを行い、メジャメント結果を前記サービングセルに報告し、
前記サービングセルは、前記メジャメント結果を受信することで、前記省電力セルを前記省電力状態から前記通常動作状態に移行させるためのウェイクアップ要求を、前記省電力セルに送信し、
前記省電力セルは、前記ウェイクアップ要求を受信することで、前記通信端末装置が前記省電力セルへのアクセス権を有するか否かを判断するアクセス制限判断を実行し、前記通信端末装置は前記省電力セルへの前記アクセス権を有さないという判断結果の場合、前記通常動作状態に移行しない、
通信システム。
【請求項２】
通信端末装置と、
前記通信端末装置と無線通信可能な少なくとも１つの基地局装置と
を備える通信システムであって、
前記少なくとも１つの基地局は、
前記通信端末装置のサービングセルと、
通常動作状態と、前記通常動作状態よりも消費電力が低い省電力状態とを切替え可能な省電力セルと
を構成し、
前記省電力セルは、前記省電力状態においてディスカバリー信号を送信し、
前記通信端末装置は、前記ディスカバリー信号に対してメジャメントを行い、メジャメント結果を前記サービングセルに報告し、
前記サービングセルは、前記メジャメント結果を受信することで、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルを前記省電力状態から前記通常動作状態に移行させるためのウェイクアップ要求を前記省電力セルに送信する、
通信システム。
【請求項３】
通信端末装置と、
前記通信端末装置と無線通信可能な少なくとも１つの基地局装置と
を備える通信システムであって、
前記少なくとも１つの基地局は、
前記通信端末装置のサービングセルと、
通常動作状態と、前記通常動作状態よりも消費電力が低い省電力状態とを切替え可能な省電力セルと
を構成し、
前記省電力セルは、前記省電力状態においてディスカバリー信号を送信し、
前記サービングセルは、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルはメジャメント対象セルであることを前記通信端末装置に通知し、
前記通信端末装置は、前記サービングセルから通知された前記メジャメント対象セルの前記ディスカバリー信号に対してメジャメントを行い、メジャメント結果を前記サービングセルに報告し、
前記サービングセルは、前記メジャメント結果を受信することで、前記省電力セルを前記省電力状態から前記通常動作状態に移行させるためのウェイクアップ要求を前記省電力セルに送信する、
通信システム。
【請求項４】
通信端末装置と、
前記通信端末装置と無線通信可能な少なくとも１つの基地局装置と
を備える通信システムであって、
前記少なくとも１つの基地局は、
前記通信端末装置のサービングセルと、
通常動作状態と、前記通常動作状態よりも消費電力が低い省電力状態とを切替え可能な省電力セルと
を構成し、
前記省電力セルは、前記省電力状態においてディスカバリー信号を送信し、
前記通信端末装置は、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルの前記ディスカバリー信号に対してメジャメントを行い、メジャメント結果を前記サービングセルに報告し、
前記サービングセルは、前記メジャメント結果を受信することで、前記省電力セルを前記省電力状態から前記通常動作状態に移行させるためのウェイクアップ要求を前記省電力セルに送信する、
通信システム。
【請求項５】
複数のセルと無線通信可能な通信端末装置であって、
前記複数のセルは、
前記通信端末装置のサービングセルと、
通常動作状態と、前記通常動作状態よりも消費電力が低い省電力状態とを切替え可能な省電力セルと
を含み、
前記サービングセルは、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルはメジャメント対象セルであることを前記通信端末装置に通知し、
前記通信端末装置は、前記サービングセルから通知された前記メジャメント対象セルが前記省電力状態において送信するディスカバリー信号に対して、メジャメントを行う、
通信端末装置。
【請求項６】
複数のセルと無線通信可能な通信端末装置であって、
前記複数のセルは、
前記通信端末装置のサービングセルと、
通常動作状態と、前記通常動作状態よりも消費電力が低い省電力状態とを切替え可能な省電力セルと
を含み、
前記通信端末装置は、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルが前記省電力状態において送信するディスカバリー信号に対して、メジャメントを行う、
通信端末装置。
【請求項７】
通信端末装置と無線通信可能な少なくとも１つのセルを構成する基地局装置であって、
前記少なくとも１つのセルは、通常動作状態と、前記通常動作状態よりも消費電力が低い省電力状態とを切替え可能な省電力セルを含み、
前記省電力セルは、前記通信端末装置によるメジャメントの対象となるディスカバリー信号を前記省電力状態において送信し、
前記通信端末装置は、前記ディスカバリー信号に対してメジャメントを行い、メジャメント結果を、前記基地局装置または他の基地局装置によって構成される前記通信端末装置のサービングセルに報告し、
前記サービングセルは、前記メジャメント結果を受信することで、前記省電力セルを前記省電力状態から前記通常動作状態に移行させるためのウェイクアップ要求を、前記省電力セルに送信し、
前記省電力セルは、前記ウェイクアップ要求を受信することで、前記通信端末装置が前記省電力セルへのアクセス権を有するか否かを判断するアクセス制限判断を実行し、前記通信端末装置は前記省電力セルへの前記アクセス権を有さないという判断結果の場合、前記通常動作状態に移行しない、
基地局装置。
【請求項８】
通信端末装置と無線通信可能な少なくとも１つのセルを構成する基地局装置であって、
前記少なくとも１つのセルは、前記通信端末装置のサービングセルを含み、
前記基地局装置または他の基地局装置によって構成され、通常動作状態と、前記通常動作状態よりも消費電力が低い省電力状態とを切替え可能な省電力セルは、前記通信端末装置によるメジャメントの対象となるディスカバリー信号を前記省電力状態において送信し、
前記通信端末装置は、前記ディスカバリー信号に対してメジャメントを行い、メジャメント結果を前記サービングセルに報告し、
前記サービングセルは、前記メジャメント結果を受信することで、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルを前記省電力状態から前記通常動作状態に移行させるためのウェイクアップ要求を前記省電力セルに送信する、
基地局装置。
【請求項９】
通信端末装置と無線通信可能な少なくとも１つのセルを構成する基地局装置であって、
前記少なくとも１つのセルは、前記通信端末装置のサービングセルを含み、
前記基地局装置または他の基地局装置によって構成され、通常動作状態と、前記通常動作状態よりも消費電力が低い省電力状態とを切替え可能な省電力セルは、前記通信端末装置によるメジャメントの対象となるディスカバリー信号を前記省電力状態において送信し、
前記サービングセルは、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルはメジャメント対象セルであることを前記通信端末装置に通知し、
前記通信端末装置は、前記サービングセルから通知された前記メジャメント対象セルの前記ディスカバリー信号に対してメジャメントを行い、メジャメント結果を前記サービングセルに報告し、
前記サービングセルは、前記メジャメント結果を受信することで、前記省電力セルを前記省電力状態から前記通常動作状態に移行させるためのウェイクアップ要求を前記省電力セルに送信する、
基地局装置。
【請求項１０】
通信端末装置と無線通信可能な少なくとも１つのセルを構成する基地局装置であって、
前記少なくとも１つのセルは、前記通信端末装置のサービングセルを含み、
前記基地局装置または他の基地局装置によって構成され、通常動作状態と、前記通常動作状態よりも消費電力が低い省電力状態とを切替え可能な省電力セルは、前記通信端末装置によるメジャメントの対象となるディスカバリー信号を前記省電力状態において送信し、
前記通信端末装置は、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルの前記ディスカバリー信号に対してメジャメントを行い、メジャメント結果を前記サービングセルに報告し、
前記サービングセルは、前記メジャメント結果を受信することで、前記省電力セルを前記省電力状態から前記通常動作状態に移行させるためのウェイクアップ要求を前記省電力セルに送信する、
基地局装置。
【発明の詳細な説明】
【技術分野】
【０００１】
本発明は、通信端末装置と基地局装置との間で無線通信を行う通信システム等に関する。
【背景技術】
【０００２】
移動体通信システムの規格化団体である３ＧＰＰ（3rd Generation Partnership Project）において、無線区間についてはロングタームエボリューション（Long Term Evolution：ＬＴＥ）と称し、コアネットワークおよび無線アクセスネットワーク（以下、まとめて、ネットワークとも称する）を含めたシステム全体構成については、システムアーキテクチャエボリューション（System Architecture Evolution：ＳＡＥ）と称される新たな通信方式が検討されている（例えば、非特許文献１〜１０参照）。この通信方式は３．９Ｇ（3.9 Generation）システムとも呼ばれる。
【０００３】
ＬＴＥのアクセス方式としては、下り方向はＯＦＤＭ（Orthogonal Frequency Division Multiplexing）、上り方向はＳＣ−ＦＤＭＡ（Single Carrier Frequency Division Multiple Access）が用いられる。また、ＬＴＥは、Ｗ−ＣＤＭＡ（Wideband Code division Multiple Access）とは異なり、回線交換を含まず、パケット通信方式のみになる。
【０００４】
非特許文献１（５章）に記載される、３ＧＰＰでの、ＬＴＥシステムにおけるフレーム構成に関する決定事項について、図１を用いて説明する。図１は、ＬＴＥ方式の通信システムで使用される無線フレームの構成を示す説明図である。図１において、１つの無線フレーム（Radio frame）は１０ｍｓである。無線フレームは１０個の等しい大きさのサブフレーム（Subframe）に分割される。サブフレームは、２個の等しい大きさのスロット（slot）に分割される。無線フレーム毎に１番目および６番目のサブフレームに下り同期信号（Downlink Synchronization Signal）が含まれる。同期信号には、第一同期信号（Primary Synchronization Signal：Ｐ−ＳＳ）と、第二同期信号（Secondary Synchronization Signal：Ｓ−ＳＳ）とがある。
【０００５】
３ＧＰＰでの、ＬＴＥシステムにおけるチャネル構成に関する決定事項が、非特許文献１（５章）に記載されている。ＣＳＧ（Closed Subscriber Group）セルにおいてもｎｏｎ−ＣＳＧセルと同じチャネル構成が用いられると想定されている。
【０００６】
物理報知チャネル（Physical Broadcast channel：ＰＢＣＨ）は、基地局から移動端末への下り送信用のチャネルである。ＢＣＨトランスポートブロック（transport block）は、４０ｍｓ間隔中の４個のサブフレームにマッピングされる。４０ｍｓタイミングの明白なシグナリングはない。
【０００７】
物理制御フォーマットインジケータチャネル（Physical Control Format Indicator Channel：ＰＣＦＩＣＨ）は、基地局から移動端末への下り送信用のチャネルである。ＰＣＦＩＣＨは、ＰＤＣＣＨｓのために用いるＯＦＤＭ（Orthogonal Frequency Division Multiplexing）シンボルの数について基地局から移動端末へ通知する。ＰＣＦＩＣＨは、サブフレーム毎に送信される。
【０００８】
物理下り制御チャネル（Physical Downlink Control Channel：ＰＤＣＣＨ）は、基地局から移動端末への下り送信用のチャネルである。ＰＤＣＣＨは、後述のトランスポートチャネルの１つである下り共有チャネル（Downlink Shared Channel：ＤＬ−ＳＣＨ）のリソース割り当て（allocation）情報、後述のトランスポートチャネルの１つであるページングチャネル（Paging Channel：ＰＣＨ）のリソース割り当て（allocation）情報、ＤＬ−ＳＣＨに関するＨＡＲＱ（Hybrid Automatic Repeat reQuest）情報を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。
【０００９】
物理下り共有チャネル（Physical Downlink Shared Channel：ＰＤＳＣＨ）は、基地局から移動端末への下り送信用のチャネルである。ＰＤＳＣＨには、トランスポートチャネルである下り共有チャネル（ＤＬ−ＳＣＨ）、およびトランスポートチャネルであるＰＣＨがマッピングされている。
【００１０】
物理マルチキャストチャネル（Physical Multicast Channel：ＰＭＣＨ）は、基地局から移動端末への下り送信用のチャネルである。ＰＭＣＨには、トランスポートチャネルであるマルチキャストチャネル（Multicast Channel：ＭＣＨ）がマッピングされている。
【００１１】
物理上り制御チャネル（Physical Uplink Control Channel：ＰＵＣＣＨ）は、移動端末から基地局への上り送信用のチャネルである。ＰＵＣＣＨは、下り送信に対する応答信号（response signal）であるＡｃｋ／Ｎａｃｋを運ぶ。ＰＵＣＣＨは、ＣＱＩ（Channel Quality Indicator）レポートを運ぶ。ＣＱＩとは、受信したデータの品質、もしくは通信路品質を示す品質情報である。またＰＵＣＣＨは、スケジューリングリクエスト（Scheduling Request：ＳＲ）を運ぶ。
【００１２】
物理上り共有チャネル（Physical Uplink Shared Channel：ＰＵＳＣＨ）は、移動端末から基地局への上り送信用のチャネルである。ＰＵＳＣＨには、トランスポートチャネルの１つである上り共有チャネル（Uplink Shared Channel：ＵＬ−ＳＣＨ）がマッピングされている。
【００１３】
物理ＨＡＲＱインジケータチャネル（Physical Hybrid ARQ Indicator Channel：ＰＨＩＣＨ）は、基地局から移動端末への下り送信用のチャネルである。ＰＨＩＣＨは、上り送信に対する応答信号であるＡｃｋ／Ｎａｃｋを運ぶ。物理ランダムアクセスチャネル（Physical Random Access Channel：ＰＲＡＣＨ）は、移動端末から基地局への上り送信用のチャネルである。ＰＲＡＣＨは、ランダムアクセスプリアンブル（random access preamble）を運ぶ。
【００１４】
下り参照信号（リファレンスシグナル（Reference Signal）：ＲＳ）は、ＬＴＥ方式の通信システムとして既知のシンボルである。以下の５種類の下りリファレンスシグナルが定義されている。セル固有参照信号（Cell-specific Reference Signals：ＣＲＳｓ）、ＭＢＳＦＮ参照信号（MBSFN reference signals）、ＵＥ固有参照信号（UE-specific reference signals）であるデータ復調用参照信号（Demodulation Reference Signals：ＤＭ−ＲＳｓ）、位置決定参照信号（Positioning Reference Signals：ＰＲＳｓ）、チャネル情報参照信号（Channel-State Information Reference Signals：ＣＳＩ−ＲＳｓ）。移動端末の物理レイヤの測定として、リファレンスシグナルの受信電力（Reference Signal Received Power：ＲＳＲＰ）測定がある。
【００１５】
非特許文献１（５章）に記載されるトランスポートチャネル（Transport channel）について、説明する。下りトランスポートチャネルのうち、報知チャネル（Broadcast Channel：ＢＣＨ）は、その基地局（セル）のカバレッジ全体に報知される。ＢＣＨは、物理報知チャネル（ＰＢＣＨ）にマッピングされる。
【００１６】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）のカバレッジ全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）ともいわれる。ＤＬ−ＳＣＨは、移動端末の低消費電力化のために移動端末の間欠受信（Discontinuous reception：ＤＲＸ）をサポートする。ＤＬ−ＳＣＨは、物理下り共有チャネル（ＰＤＳＣＨ）へマッピングされる。
【００１７】
ページングチャネル（Paging Channel：ＰＣＨ）は、移動端末の低消費電力を可能とするために移動端末のＤＲＸをサポートする。ＰＣＨは、基地局（セル）のカバレッジ全体への報知が要求される。ＰＣＨは、動的にトラフィックに利用できる物理下り共有チャネル（ＰＤＳＣＨ）のような物理リソースへマッピングされる。
【００１８】
マルチキャストチャネル（Multicast Channel：ＭＣＨ）は、基地局（セル）のカバレッジ全体への報知に使用される。ＭＣＨは、マルチセル送信におけるＭＢＭＳ（Multimedia Broadcast Multicast Service）サービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。
【００１９】
上りトランスポートチャネルのうち、上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。
【００２０】
ランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。
【００２１】
ＨＡＲＱについて説明する。ＨＡＲＱとは、自動再送要求（Automatic Repeat reQuest：ＡＲＱ）と誤り訂正（Forward Error Correction）との組合せにより、伝送路の通信品質を向上させる技術である。ＨＡＲＱには、通信品質が変化する伝送路に対しても、再送により誤り訂正が有効に機能するという利点がある。特に、再送にあたって初送の受信結果と再送の受信結果との合成をすることで、更なる品質向上を得ることも可能である。
【００２２】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。
【００２３】
非特許文献１（６章）に記載される論理チャネル（ロジカルチャネル：Logical channel）について、説明する。報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。
【００２４】
ページング制御チャネル（Paging Control Channel：ＰＣＣＨ）は、ページング情報（Paging Information）およびシステム情報（System Information）の変更を送信するための下りチャネルである。ＰＣＣＨは、移動端末のセルロケーションをネットワークが知らない場合に用いられる。論理チャネルであるＰＣＣＨは、トランスポートチャネルであるページングチャネル（ＰＣＨ）へマッピングされる。
【００２５】
共有制御チャネル（Common Control Channel：ＣＣＣＨ）は、移動端末と基地局との間の送信制御情報のためのチャネルである。ＣＣＣＨは、移動端末がネットワークとの間でＲＲＣ接続（connection）を有していない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。
【００２６】
マルチキャスト制御チャネル（Multicast Control Channel：ＭＣＣＨ）は、１対多の送信のための下りチャネルである。ＭＣＣＨは、ネットワークから移動端末への１つあるいはいくつかのＭＴＣＨ用のＭＢＭＳ制御情報の送信のために用いられる。ＭＣＣＨは、ＭＢＭＳ受信中の移動端末のみに用いられる。ＭＣＣＨは、トランスポートチャネルであるマルチキャストチャネル（ＭＣＨ）へマッピングされる。
【００２７】
個別制御チャネル（Dedicated Control Channel：ＤＣＣＨ）は、１対１にて、移動端末とネットワークとの間の個別制御情報を送信するチャネルである。ＤＣＣＨは、移動端末がＲＲＣ接続（connection）である場合に用いられる。ＤＣＣＨは、上りでは上り共有チャネル（ＵＬ−ＳＣＨ）へマッピングされ、下りでは下り共有チャネル（ＤＬ−ＳＣＨ）にマッピングされる。
【００２８】
個別トラフィックチャネル（Dedicated Traffic Channel：ＤＴＣＨ）は、ユーザ情報の送信のための個別移動端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。
【００２９】
マルチキャストトラフィックチャネル（Multicast Traffic channel：ＭＴＣＨ）は、ネットワークから移動端末へのトラフィックデータ送信のための下りチャネルである。ＭＴＣＨは、ＭＢＭＳ受信中の移動端末のみに用いられるチャネルである。ＭＴＣＨは、マルチキャストチャネル（ＭＣＨ）へマッピングされる。
【００３０】
ＣＧＩとは、セルグローバル識別子（Cell Global Identifier）のことである。ＥＣＧＩとは、Ｅ−ＵＴＲＡＮセルグローバル識別子（E-UTRAN Cell Global Identifier）のことである。ＬＴＥ、後述のＬＴＥ−Ａ（Long Term Evolution Advanced）およびＵＭＴＳ（Universal Mobile Telecommunication System）において、ＣＳＧ（Closed Subscriber Group）セルが導入される。
【００３１】
ＣＳＧ（Closed Subscriber Group）セルとは、利用可能な加入者をオペレータが特定しているセル（以下「特定加入者用セル」という場合がある）である。特定された加入者は、ＰＬＭＮ（Public Land Mobile Network）の１つ以上のセルにアクセスすることが許可される。特定された加入者がアクセスを許可されている１つ以上のセルを「ＣＳＧセル（ＣＳＧ  ｃｅｌｌ（ｓ））」と呼ぶ。ただし、ＰＬＭＮにはアクセス制限がある。
【００３２】
ＣＳＧセルは、固有のＣＳＧアイデンティティ（CSG identity：ＣＳＧ  ＩＤ；ＣＳＧ−ＩＤ）を報知し、ＣＳＧインジケーション（CSG Indication）にて「ＴＲＵＥ」を報知するＰＬＭＮの一部である。予め利用登録し、許可された加入者グループのメンバーは、アクセス許可情報であるところのＣＳＧ−ＩＤを用いてＣＳＧセルにアクセスする。
【００３３】
ＣＳＧ−ＩＤは、ＣＳＧセルまたはセルによって報知される。ＬＴＥ方式の通信システムにＣＳＧ−ＩＤは複数存在する。そして、ＣＳＧ−ＩＤは、ＣＳＧ関連のメンバーのアクセスを容易にするために、移動端末（ＵＥ）によって使用される。
【００３４】
移動端末の位置追跡は、１つ以上のセルからなる区域を単位に行われる。位置追跡は、待受け状態であっても移動端末の位置を追跡し、移動端末を呼び出す、換言すれば移動端末が着呼することを可能にするために行われる。この移動端末の位置追跡のための区域をトラッキングエリアと呼ぶ。
【００３５】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、およびＥ−ＵＴＲＡＮにおけるＨｅＮＢは、例えば家庭、法人、商業用のアクセスサービス向けの基地局である。非特許文献３には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）とが開示されている。
【００３６】
各々のモードは、以下のような特徴を有する。オープンアクセスモードでは、ＨｅＮＢおよびＨＮＢは、通常のオペレータのノーマルセルとして操作される。クローズドアクセスモードでは、ＨｅＮＢおよびＨＮＢは、ＣＳＧセルとして操作される。このＣＳＧセルは、ＣＳＧメンバーのみアクセス可能なＣＳＧセルである。ハイブリッドアクセスモードでは、ＨｅＮＢおよびＨＮＢは、非ＣＳＧメンバーも同時にアクセス許可されているＣＳＧセルとして操作される。言い換えれば、ハイブリッドアクセスモードのセル（ハイブリッドセルとも称する）は、オープンアクセスモードとクローズドアクセスモードとの両方をサポートするセルである。
【００３７】
３ＧＰＰでは、全ての物理セル識別子（Physical Cell Identity：ＰＣＩ）のうち、ＣＳＧセルで使用するためにネットワークによって予約されたＰＣＩ範囲がある（非特許文献１  １０．５．１．１章参照）。ＰＣＩ範囲を分割することをＰＣＩスプリットと称することがある。ＰＣＩスプリットに関する情報（ＰＣＩスプリット情報とも称する）は、システム情報によって基地局から傘下の移動端末に対して報知される。基地局の傘下とは、該基地局をサービングセルとすることを意味する。
【００３８】
非特許文献４は、ＰＣＩスプリットを用いた移動端末の基本動作を開示する。ＰＣＩスプリット情報を有していない移動端末は、全ＰＣＩを用いて、例えば５０４コード全てを用いて、セルサーチを行う必要がある。これに対して、ＰＣＩスプリット情報を有する移動端末は、当該ＰＣＩスプリット情報を用いてセルサーチを行うことが可能である。
【００３９】
また３ＧＰＰでは、リリース１０として、ロングタームエボリューションアドヴァンスド（Long Term Evolution Advanced：ＬＴＥ−Ａ）の規格策定が進められている（非特許文献５、非特許文献６参照）。ＬＴＥ−Ａは、ＬＴＥの無線区間通信方式を基本とし、それにいくつかの新技術を加えて構成される。
【００４０】
ＬＴＥ−Ａシステムでは、１００ＭＨｚまでのより広い周波数帯域幅（transmission bandwidths）をサポートするために、二つ以上のコンポーネントキャリア（Component Carrier：ＣＣ）を集約する（「アグリゲーション（aggregation）する」とも称する）、キャリアアグリゲーション（Carrier Aggregation：ＣＡ）が検討されている。
【００４１】
ＣＡが構成される場合、ＵＥはネットワーク（Network：ＮＷ）と唯一つのＲＲＣ接続（RRC connection）を有する。ＲＲＣ接続において、一つのサービングセルがＮＡＳモビリティ情報とセキュリティ入力を与える。このセルをプライマリセル（Primary Cell：ＰＣｅｌｌ）と呼ぶ。下りリンクで、ＰＣｅｌｌに対応するキャリアは、下りプライマリコンポーネントキャリア（Downlink Primary Component Carrier：ＤＬ  ＰＣＣ）である。上りリンクで、ＰＣｅｌｌに対応するキャリアは、上りプライマリコンポーネントキャリア（Uplink Primary Component Carrier：ＵＬ  ＰＣＣ）である。
【００４２】
ＵＥの能力（ケーパビリティ（capability））に応じて、セカンダリセル（Secondary Cell：ＳＣｅｌｌ）が、ＰＣｅｌｌとサービングセルとの組を形成するために構成される。下りリンクで、ＳＣｅｌｌに対応するキャリアは、下りセカンダリコンポーネントキャリア（Downlink Secondary Component Carrier：ＤＬ  ＳＣＣ）である。上りリンクで、ＳＣｅｌｌに対応するキャリアは、上りセカンダリコンポーネントキャリア（Uplink Secondary Component Carrier：ＵＬ  ＳＣＣ）である。
【００４３】
一つのＵＥに対して、一つのＰＣｅｌｌと、一つ以上のＳＣｅｌｌからなるサービングセルとの組が構成される。
【００４４】
また、ＬＴＥ−Ａでの新技術としては、より広い帯域をサポートする技術（Wider bandwidth extension）、および多地点協調送受信（Coordinated Multiple Point transmission and reception：ＣｏＭＰ）技術などがある。３ＧＰＰでＬＴＥ−Ａのために検討されているＣｏＭＰについては、非特許文献７に記載されている。
【００４５】
また、３ＧＰＰにおいて、リリース１２版の規格書の策定が進められている。この中で、将来の膨大なトラフィックに対応するために、スモールセルを構成するスモールｅＮＢを用いることが検討されている。例えば、多数のスモールｅＮＢを設置して、多数のスモールセルを構成することによって、周波数利用効率を高めて、通信容量の増大を図る技術などが検討されている。
【００４６】
モバイルネットワークのトラフィック量は、増加傾向にあり、通信速度も高速化が進んでいる。ＬＴＥおよびＬＴＥ−Ａが本格的に運用を開始されると、更に通信速度が高速化され、トラフィック量が増加することが見込まれる。
【先行技術文献】
【非特許文献】
【００４７】
【非特許文献１】３ＧＰＰ  ＴＳ３６．３００  Ｖ１１．７．０
【非特許文献２】３ＧＰＰ  ＴＳ３６．３０４  Ｖ１１．２．０
【非特許文献３】３ＧＰＰ  Ｓ１−０８３４６１
【非特許文献４】３ＧＰＰ  Ｒ２−０８２８９９
【非特許文献５】３ＧＰＰ  ＴＲ  ３６．８１４  Ｖ９．０．０
【非特許文献６】３ＧＰＰ  ＴＲ  ３６．９１２  Ｖ１０．０．０
【非特許文献７】３ＧＰＰ  ＴＲ  ３６．８１９  Ｖ１１．１．０
【非特許文献８】３ＧＰＰ  ＴＳ  ３６．１４１  Ｖ１１．１．０
【非特許文献９】３ＧＰＰ  Ｒ１−１３４４９６
【非特許文献１０】３ＧＰＰ  Ｒ１−１３２２３６
【発明の概要】
【発明が解決しようとする課題】
【００４８】
多数のスモールセルを設置した場合、干渉の増大、および消費電力の増大が生じるという問題がある。これらの問題を解決するために、３ＧＰＰでは、セルのスイッチオン（以下「セルオン」という場合がある）、およびセルのスイッチオフ（以下「セルオフ」という場合がある）の技術の検討が進められている。例えば、準静的なセルオンおよびセルオフの技術として、ＵＥが省電力セル（エナジーセービングセル（Energy Saving cell）；略称：ＥＳセル）の近傍に存在するか否かを判断して、省電力状態である休止（ドーマント（dormant））状態のＥＳセルをスイッチオンする技術が検討されている。
【００４９】
従来技術のアクセス制限の方法は、ＵＥがセルのシステム情報を受信することによって行われる。従来技術では、ドーマント状態のＥＳセルは、自セルの検出用のディスカバリー信号（Discovery Signal；略称：ＤＳ）のみを送信し、システム情報ブロック（System Information Block；略称：ＳＩＢ）を報知しない前提である。したがって、ＥＳセルへのアクセス権の無いＵＥが、そのＥＳセルの近傍に来た場合にも、ドーマント状態のＥＳセルはスイッチオンされてしまうことになる。
【００５０】
アクセス権の無いＵＥがＥＳセルの近傍に来た場合に、ドーマント状態のＥＳセルをスイッチオンすることは、スイッチオンのための処理時間の無駄であり、多大な消費電力を浪費することとなる。また、スイッチオンのためのシグナリングが無駄に増大することとなる。
【００５１】
このように、ドーマント状態のＥＳセルのスイッチオンが無駄に実行されることがないように、アクセス制限を行うことを可能とする新たな仕組みが必要となる。
【００５２】
また、３ＧＰＰでは、セルオンおよびセルオフ可能なＥＳセルにおけるＭＢＭＳの提供については何ら議論されていない。ＥＳセルがＭＢＭＳの提供を行う場合、ＥＳセルからＭＢＭＳを受信中のＵＥが存在するにもかかわらず、ＥＳセルがセルオフされてしまうおそれがある。ＵＥが該ＥＳセルからＭＢＭＳを受信していた場合、該ＵＥのＭＢＭＳの受信品質が劣化する、またはＭＢＭＳの受信が不可能になる。このように、ＥＳセルのセルオフによって、ＭＢＭＳの受信品質が劣化する、またはＭＢＭＳの受信が不可能になるという問題が生じる。
【００５３】
本発明の目的は、省電力セルの通常動作状態と省電力状態との切替えが不必要に行われることを防ぐことができる通信システム等を提供することである。
【課題を解決するための手段】
【００５４】
本発明の通信システムは、通信端末装置と、前記通信端末装置と無線通信可能な少なくとも１つの基地局装置とを備える通信システムであって、前記少なくとも１つの基地局は、前記通信端末装置のサービングセルと、通常動作状態と、前記通常動作状態よりも消費電力が低い省電力状態とを切替え可能な省電力セルとを構成し、前記省電力セルは、前記省電力状態においてディスカバリー信号を送信し、前記通信端末装置は、前記ディスカバリー信号に対してメジャメントを行い、メジャメント結果を前記サービングセルに報告し、前記サービングセルは、前記メジャメント結果を受信することで、前記省電力セルを前記省電力状態から前記通常動作状態に移行させるためのウェイクアップ要求を、前記省電力セルに送信し、前記省電力セルは、前記ウェイクアップ要求を受信することで、前記通信端末装置が前記省電力セルへのアクセス権を有するか否かを判断するアクセス制限判断を実行し、前記通信端末装置は前記省電力セルへの前記アクセス権を有さないという判断結果の場合、前記通常動作状態に移行しない。
本発明の通信システムは、通信端末装置と、前記通信端末装置と無線通信可能な少なくとも１つの基地局装置とを備える通信システムであって、前記少なくとも１つの基地局は、前記通信端末装置のサービングセルと、通常動作状態と、前記通常動作状態よりも消費電力が低い省電力状態とを切替え可能な省電力セルとを構成し、前記省電力セルは、前記省電力状態においてディスカバリー信号を送信し、前記通信端末装置は、前記ディスカバリー信号に対してメジャメントを行い、メジャメント結果を前記サービングセルに報告し、前記サービングセルは、前記メジャメント結果を受信することで、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルを前記省電力状態から前記通常動作状態に移行させるためのウェイクアップ要求を前記省電力セルに送信する。
本発明の通信システムは、通信端末装置と、前記通信端末装置と無線通信可能な少なくとも１つの基地局装置とを備える通信システムであって、前記少なくとも１つの基地局は、前記通信端末装置のサービングセルと、通常動作状態と、前記通常動作状態よりも消費電力が低い省電力状態とを切替え可能な省電力セルとを構成し、前記省電力セルは、前記省電力状態においてディスカバリー信号を送信し、前記サービングセルは、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルはメジャメント対象セルであることを前記通信端末装置に通知し、前記通信端末装置は、前記サービングセルから通知された前記メジャメント対象セルの前記ディスカバリー信号に対してメジャメントを行い、メジャメント結果を前記サービングセルに報告し、前記サービングセルは、前記メジャメント結果を受信することで、前記省電力セルを前記省電力状態から前記通常動作状態に移行させるためのウェイクアップ要求を前記省電力セルに送信する。
本発明の通信システムは、通信端末装置と、前記通信端末装置と無線通信可能な少なくとも１つの基地局装置とを備える通信システムであって、前記少なくとも１つの基地局は、前記通信端末装置のサービングセルと、通常動作状態と、前記通常動作状態よりも消費電力が低い省電力状態とを切替え可能な省電力セルとを構成し、前記省電力セルは、前記省電力状態においてディスカバリー信号を送信し、前記通信端末装置は、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルの前記ディスカバリー信号に対してメジャメントを行い、メジャメント結果を前記サービングセルに報告し、前記サービングセルは、前記メジャメント結果を受信することで、前記省電力セルを前記省電力状態から前記通常動作状態に移行させるためのウェイクアップ要求を前記省電力セルに送信する。
【００５５】
本発明の通信端末装置は、複数のセルと無線通信可能な通信端末装置であって、前記複数のセルは、前記通信端末装置のサービングセルと、通常動作状態と、前記通常動作状態よりも消費電力が低い省電力状態とを切替え可能な省電力セルとを含み、前記サービングセルは、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルはメジャメント対象セルであることを前記通信端末装置に通知し、前記通信端末装置は、前記サービングセルから通知された前記メジャメント対象セルが前記省電力状態において送信するディスカバリー信号に対して、メジャメントを行う。
本発明の通信端末装置は、複数のセルと無線通信可能な通信端末装置であって、前記複数のセルは、前記通信端末装置のサービングセルと、通常動作状態と、前記通常動作状態よりも消費電力が低い省電力状態とを切替え可能な省電力セルとを含み、前記通信端末装置は、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルが前記省電力状態において送信するディスカバリー信号に対して、メジャメントを行う。
【００５６】
本発明の基地局装置は、通信端末装置と無線通信可能な少なくとも１つのセルを構成する基地局装置であって、前記少なくとも１つのセルは、通常動作状態と、前記通常動作状態よりも消費電力が低い省電力状態とを切替え可能な省電力セルを含み、前記省電力セルは、前記通信端末装置によるメジャメントの対象となるディスカバリー信号を前記省電力状態において送信し、前記通信端末装置は、前記ディスカバリー信号に対してメジャメントを行い、メジャメント結果を、前記基地局装置または他の基地局装置によって構成される前記通信端末装置のサービングセルに報告し、前記サービングセルは、前記メジャメント結果を受信することで、前記省電力セルを前記省電力状態から前記通常動作状態に移行させるためのウェイクアップ要求を、前記省電力セルに送信し、前記省電力セルは、前記ウェイクアップ要求を受信することで、前記通信端末装置が前記省電力セルへのアクセス権を有するか否かを判断するアクセス制限判断を実行し、前記通信端末装置は前記省電力セルへの前記アクセス権を有さないという判断結果の場合、前記通常動作状態に移行しない。
本発明の基地局装置は、通信端末装置と無線通信可能な少なくとも１つのセルを構成する基地局装置であって、前記少なくとも１つのセルは、前記通信端末装置のサービングセルを含み、前記基地局装置または他の基地局装置によって構成され、通常動作状態と、前記通常動作状態よりも消費電力が低い省電力状態とを切替え可能な省電力セルは、前記通信端末装置によるメジャメントの対象となるディスカバリー信号を前記省電力状態において送信し、前記通信端末装置は、前記ディスカバリー信号に対してメジャメントを行い、メジャメント結果を前記サービングセルに報告し、前記サービングセルは、前記メジャメント結果を受信することで、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルを前記省電力状態から前記通常動作状態に移行させるためのウェイクアップ要求を前記省電力セルに送信する。
本発明の基地局装置は、通信端末装置と無線通信可能な少なくとも１つのセルを構成する基地局装置であって、前記少なくとも１つのセルは、前記通信端末装置のサービングセルを含み、前記基地局装置または他の基地局装置によって構成され、通常動作状態と、前記通常動作状態よりも消費電力が低い省電力状態とを切替え可能な省電力セルは、前記通信端末装置によるメジャメントの対象となるディスカバリー信号を前記省電力状態において送信し、前記サービングセルは、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルはメジャメント対象セルであることを前記通信端末装置に通知し、前記通信端末装置は、前記サービングセルから通知された前記メジャメント対象セルの前記ディスカバリー信号に対してメジャメントを行い、メジャメント結果を前記サービングセルに報告し、前記サービングセルは、前記メジャメント結果を受信することで、前記省電力セルを前記省電力状態から前記通常動作状態に移行させるためのウェイクアップ要求を前記省電力セルに送信する。
本発明の基地局装置は、通信端末装置と無線通信可能な少なくとも１つのセルを構成する基地局装置であって、前記少なくとも１つのセルは、前記通信端末装置のサービングセルを含み、前記基地局装置または他の基地局装置によって構成され、通常動作状態と、前記通常動作状態よりも消費電力が低い省電力状態とを切替え可能な省電力セルは、前記通信端末装置によるメジャメントの対象となるディスカバリー信号を前記省電力状態において送信し、前記通信端末装置は、前記通信端末装置が前記省電力セルへのアクセス権を有するか否かを判断するアクセス制限判断を実行し、前記通信端末装置は前記省電力セルへの前記アクセス権を有するという判断結果の場合、前記省電力セルの前記ディスカバリー信号に対してメジャメントを行い、メジャメント結果を前記サービングセルに報告し、前記サービングセルは、前記メジャメント結果を受信することで、前記省電力セルを前記省電力状態から前記通常動作状態に移行させるためのウェイクアップ要求を前記省電力セルに送信する。
【発明の効果】
【００５７】
本発明の通信システムによれば、省電力セルの通常動作状態と省電力状態との切替えが不必要に行われることを防ぐことができる。
【００５８】
本発明の目的、特徴、局面、および利点は、以下の詳細な説明と添付図面とによって、より明白となる。
【図面の簡単な説明】
【００５９】
【図１】ＬＴＥ方式の通信システムで使用される無線フレームの構成を示す説明図である。
【図２】３ＧＰＰにおいて議論されているＬＴＥ方式の通信システム７００の全体的な構成を示すブロック図である。
【図３】本発明に係る移動端末である図２に示す移動端末７１の構成を示すブロック図である。
【図４】本発明に係る基地局である図２に示す基地局７２の構成を示すブロック図である。
【図５】本発明に係るＭＭＥの構成を示すブロック図である。
【図６】ＬＴＥ方式の通信システムにおいて移動端末（ＵＥ）が行うセルサーチから待ち受け動作までの概略を示すフローチャートである。
【図７】マクロｅＮＢとスモールｅＮＢとが混在する場合のセルの構成の概念を示す図である。
【図８】実施の形態１の通信システムにおけるウェイクアップ処理のシーケンスの一例を示す図である。
【図９】実施の形態１の変形例１の通信システムにおけるウェイクアップ処理のシーケンスの一例を示す図である。
【図１０】実施の形態１の変形例２の通信システムにおけるウェイクアップ処理のシーケンスの一例を示す図である。
【図１１】実施の形態１の変形例３の通信システムにおけるウェイクアップ処理のシーケンスの一例を示す図である。
【図１２】実施の形態２の通信システムにおけるウェイクアップ処理のシーケンスの一例を示す図である。
【図１３】実施の形態２の変形例１の通信システムにおけるウェイクアップ処理のシーケンスの一例を示す図である。
【図１４】実施の形態２の変形例２の通信システムにおけるウェイクアップ処理のシーケンスの一例を示す図である。
【図１５】実施の形態２の変形例３の通信システムにおけるウェイクアップ処理のシーケンスの一例を示す図である。
【図１６】実施の形態３の通信システムにおけるウェイクアップ処理のシーケンスの一例を示す図である。
【図１７】実施の形態３の変形例１の通信システムにおけるウェイクアップ処理のシーケンスの一例を示す図である。
【図１８】実施の形態４の変形例３の通信システムにおけるウェイクアップ処理のシーケンスの一例を示す図である。
【図１９】実施の形態４の変形例５の通信システムにおけるウェイクアップ処理のシーケンスの一例を示す図である。
【図２０】実施の形態４の変形例６の通信システムにおけるウェイクアップ処理のシーケンスの一例を示す図である。
【図２１】実施の形態４の変形例７の通信システムにおけるウェイクアップ処理のシーケンスの一例を示す図である。
【図２２】実施の形態５の変形例３の通信システムにおけるウェイクアップ処理のシーケンスの一例を示す図である。
【発明を実施するための形態】
【００６０】
実施の形態１．
図２は、３ＧＰＰにおいて議論されているＬＴＥ方式の通信システム７００の全体的な構成を示すブロック図である。図２について説明する。無線アクセスネットワークは、Ｅ−ＵＴＲＡＮ（Evolved Universal Terrestrial Radio Access Network）７０と称される。通信端末装置である移動端末装置（以下「移動端末（User Equipment：ＵＥ）」という）７１は、基地局装置（以下「基地局（E-UTRAN NodeB：ｅＮＢ）」という）７２と無線通信可能であり、無線通信で信号の送受信を行う。
【００６１】
移動端末７１に対する制御プロトコル、例えばＲＲＣ（Radio Resource Control）と、ユーザプレイン、例えばＰＤＣＰ（Packet Data Convergence Protocol）、ＲＬＣ（Radio Link Control）、ＭＡＣ（Medium Access Control）、ＰＨＹ（Physical layer）とが基地局７２で終端するならば、Ｅ−ＵＴＲＡＮは１つあるいは複数の基地局７２によって構成される。
【００６２】
移動端末７１と基地局７２との間の制御プロトコルＲＲＣ（Radio Resource Control）は、報知（Broadcast）、ページング（paging）、ＲＲＣ接続マネージメント（RRC connection management）などを行う。ＲＲＣにおける基地局７２と移動端末７１との状態として、ＲＲＣ＿ＩＤＬＥと、ＲＲＣ＿ＣＯＮＮＥＣＴＥＤとがある。
【００６３】
ＲＲＣ＿ＩＤＬＥでは、ＰＬＭＮ（Public Land Mobile Network）選択、システム情報（System Information：ＳＩ）の報知、ページング（paging）、セル再選択（cell re-selection）、モビリティなどが行われる。ＲＲＣ＿ＣＯＮＮＥＣＴＥＤでは、移動端末はＲＲＣ接続（connection）を有し、ネットワークとのデータの送受信を行うことができる。またＲＲＣ＿ＣＯＮＮＥＣＴＥＤでは、ハンドオーバ（Handover：ＨＯ）、隣接セル（Neighbour cell）の測定（メジャメント（measurement））などが行われる。
【００６４】
基地局７２は、ｅＮＢ７６と、Ｈｏｍｅ−ｅＮＢ７５とに分類される。通信システム７００は、複数のｅＮＢ７６を含むｅＮＢ群７２−１と、複数のＨｏｍｅ−ｅＮＢ７５を含むＨｏｍｅ−ｅＮＢ群７２−２とを備える。またコアネットワークであるＥＰＣ（Evolved Packet Core）と、無線アクセスネットワークであるＥ−ＵＴＲＡＮ７０とで構成されるシステムは、ＥＰＳ（Evolved Packet System）と称される。コアネットワークであるＥＰＣと、無線アクセスネットワークであるＥ−ＵＴＲＡＮ７０とを合わせて、「ネットワーク」という場合がある。
【００６５】
ｅＮＢ７６は、移動管理エンティティ（Mobility Management Entity：ＭＭＥ）、あるいはＳ−ＧＷ（Serving Gateway）、あるいはＭＭＥおよびＳ−ＧＷを含むＭＭＥ／Ｓ−ＧＷ部（以下「ＭＭＥ部」という場合がある）７３とＳ１インタフェースにより接続され、ｅＮＢ７６とＭＭＥ部７３との間で制御情報が通信される。一つのｅＮＢ７６に対して、複数のＭＭＥ部７３が接続されてもよい。ｅＮＢ７６間は、Ｘ２インタフェースにより接続され、ｅＮＢ７６間で制御情報が通信される。
【００６６】
Ｈｏｍｅ−ｅＮＢ７５は、ＭＭＥ部７３とＳ１インタフェースにより接続され、Ｈｏｍｅ−ｅＮＢ７５とＭＭＥ部７３との間で制御情報が通信される。一つのＭＭＥ部７３に対して、複数のＨｏｍｅ−ｅＮＢ７５が接続される。あるいは、Ｈｏｍｅ−ｅＮＢ７５は、ＨｅＮＢＧＷ（Home-eNB GateWay）７４を介してＭＭＥ部７３と接続される。Ｈｏｍｅ−ｅＮＢ７５とＨｅＮＢＧＷ７４とは、Ｓ１インタフェースにより接続され、ＨｅＮＢＧＷ７４とＭＭＥ部７３とはＳ１インタフェースを介して接続される。
【００６７】
一つまたは複数のＨｏｍｅ−ｅＮＢ７５が一つのＨｅＮＢＧＷ７４と接続され、Ｓ１インタフェースを通して情報が通信される。ＨｅＮＢＧＷ７４は、一つまたは複数のＭＭＥ部７３と接続され、Ｓ１インタフェースを通して情報が通信される。
【００６８】
ＭＭＥ部７３およびＨｅＮＢＧＷ７４は、上位装置、具体的には上位ノードであり、基地局であるｅＮＢ７６およびＨｏｍｅ−ｅＮＢ７５と、移動端末（ＵＥ）７１との接続を制御する。ＭＭＥ部７３は、コアネットワークであるＥＰＣを構成する。基地局７２およびＨｅＮＢＧＷ７４は、Ｅ−ＵＴＲＡＮ７０を構成する。
【００６９】
さらに３ＧＰＰでは、以下のような構成が検討されている。Ｈｏｍｅ−ｅＮＢ７５間のＸ２インタフェースはサポートされる。すなわち、Ｈｏｍｅ−ｅＮＢ７５間は、Ｘ２インタフェースにより接続され、Ｈｏｍｅ−ｅＮＢ７５間で制御情報が通信される。ＭＭＥ部７３からは、ＨｅＮＢＧＷ７４はＨｏｍｅ−ｅＮＢ７５として見える。Ｈｏｍｅ−ｅＮＢ７５からは、ＨｅＮＢＧＷ７４はＭＭＥ部７３として見える。
【００７０】
Ｈｏｍｅ−ｅＮＢ７５が、ＨｅＮＢＧＷ７４を介してＭＭＥ部７３に接続される場合および直接ＭＭＥ部７３に接続される場合のいずれの場合も、Ｈｏｍｅ−ｅＮＢ７５とＭＭＥ部７３との間のインタフェースは、Ｓ１インタフェースで同じである。
【００７１】
基地局装置７２は、１つのセルを構成してもよいし、複数のセルを構成してもよい。各セルは、通信端末装置と通信可能な範囲であるカバレッジとして予め定める範囲を有し、カバレッジ内で通信端末装置と無線通信を行う。１つの基地局装置が複数のセルを構成する場合、１つ１つのセルが、移動端末と通信可能に構成される。
【００７２】
図３は、本発明に係る移動端末である図２に示す移動端末７１の構成を示すブロック図である。図３に示す移動端末７１の送信処理を説明する。まず、プロトコル処理部８０１からの制御データ、およびアプリケーション部８０２からのユーザデータが、送信データバッファ部８０３へ保存される。送信データバッファ部８０３に保存されたデータは、エンコーダー部８０４へ渡され、誤り訂正などのエンコード処理が施される。エンコード処理を施さずに、送信データバッファ部８０３から変調部８０５へ直接出力されるデータが存在してもよい。エンコーダー部８０４でエンコード処理されたデータは、変調部８０５にて変調処理が行われる。変調されたデータは、ベースバンド信号に変換された後、周波数変換部８０６へ出力され、無線送信周波数に変換される。その後、アンテナ８０７から基地局７２に送信信号が送信される。
【００７３】
また、移動端末７１の受信処理は、以下のように実行される。基地局７２からの無線信号がアンテナ８０７により受信される。受信信号は、周波数変換部８０６にて無線受信周波数からベースバンド信号に変換され、復調部８０８において復調処理が行われる。復調後のデータは、デコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末７１の一連の処理は、制御部８１０によって制御される。よって制御部８１０は、図３では省略しているが、各部８０１〜８０９と接続している。
【００７４】
図４は、本発明に係る基地局である図２に示す基地局７２の構成を示すブロック図である。図４に示す基地局７２の送信処理を説明する。ＥＰＣ通信部９０１は、基地局７２とＥＰＣ（ＭＭＥ部７３など）、ＨｅＮＢＧＷ７４などとの間のデータの送受信を行う。他基地局通信部９０２は、他の基地局との間のデータの送受信を行う。ＥＰＣ通信部９０１および他基地局通信部９０２は、それぞれプロトコル処理部９０３と情報の受け渡しを行う。プロトコル処理部９０３からの制御データ、ならびにＥＰＣ通信部９０１および他基地局通信部９０２からのユーザデータおよび制御データは、送信データバッファ部９０４へ保存される。
【００７５】
送信データバッファ部９０４に保存されたデータは、エンコーダー部９０５へ渡され、誤り訂正などのエンコード処理が施される。エンコード処理を施さずに、送信データバッファ部９０４から変調部９０６へ直接出力されるデータが存在してもよい。エンコードされたデータは、変調部９０６にて変調処理が行われる。変調されたデータは、ベースバンド信号に変換された後、周波数変換部９０７へ出力され、無線送信周波数に変換される。その後、アンテナ９０８より一つもしくは複数の移動端末７１に対して送信信号が送信される。
【００７６】
また、基地局７２の受信処理は以下のように実行される。一つもしくは複数の移動端末７１からの無線信号が、アンテナ９０８により受信される。受信信号は、周波数変換部９０７にて無線受信周波数からベースバンド信号に変換され、復調部９０９で復調処理が行われる。復調されたデータは、デコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１および他基地局通信部９０２へ渡される。基地局７２の一連の処理は、制御部９１１によって制御される。よって制御部９１１は、図４では省略しているが、各部９０１〜９１０と接続している。
【００７７】
図５は、本発明に係るＭＭＥの構成を示すブロック図である。図５では、前述の図２に示すＭＭＥ部７３に含まれるＭＭＥ７３ａの構成を示す。ＰＤＮ  ＧＷ通信部１００１は、ＭＭＥ７３ａとＰＤＮ  ＧＷとの間のデータの送受信を行う。基地局通信部１００２は、ＭＭＥ７３ａと基地局７２との間のＳ１インタフェースによるデータの送受信を行う。ＰＤＮ  ＧＷから受信したデータがユーザデータであった場合、ユーザデータは、ＰＤＮ  ＧＷ通信部１００１から、ユーザプレイン通信部１００３経由で基地局通信部１００２に渡され、１つあるいは複数の基地局７２へ送信される。基地局７２から受信したデータがユーザデータであった場合、ユーザデータは、基地局通信部１００２から、ユーザプレイン通信部１００３経由でＰＤＮ  ＧＷ通信部１００１に渡され、ＰＤＮ  ＧＷへ送信される。
【００７８】
ＰＤＮ  ＧＷから受信したデータが制御データであった場合、制御データは、ＰＤＮ  ＧＷ通信部１００１から制御プレイン制御部１００５へ渡される。基地局７２から受信したデータが制御データであった場合、制御データは、基地局通信部１００２から制御プレイン制御部１００５へ渡される。
【００７９】
ＨｅＮＢＧＷ通信部１００４は、ＨｅＮＢＧＷ７４が存在する場合に設けられ、情報種別によって、ＭＭＥ７３ａとＨｅＮＢＧＷ７４との間のインタフェース（ＩＦ）によるデータの送受信を行う。ＨｅＮＢＧＷ通信部１００４から受信した制御データは、ＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００８０】
制御プレイン制御部１００５には、ＮＡＳセキュリティ部１００５−１、ＳＡＥベアラコントロール部１００５−２、アイドルステート（Idle State）モビリティ管理部１００５−３などが含まれ、制御プレインに対する処理全般を行う。ＮＡＳセキュリティ部１００５−１は、ＮＡＳ（Non-Access Stratum）メッセージのセキュリティなどを行う。ＳＡＥベアラコントロール部１００５−２は、ＳＡＥ（System Architecture Evolution）のベアラの管理などを行う。アイドルステートモビリティ管理部１００５−３は、待受け状態（アイドルステート（Idle State）；ＬＴＥ−ＩＤＬＥ状態、または、単にアイドルとも称される）のモビリティ管理、待受け状態時のページング信号の生成および制御、傘下の１つあるいは複数の移動端末７１のトラッキングエリアの追加、削除、更新、検索、トラッキングエリアリスト管理などを行う。
【００８１】
ＭＭＥ７３ａは、１つまたは複数の基地局７２に対して、ページング信号の分配を行う。また、ＭＭＥ７３ａは、待受け状態（Idle State）のモビリティ制御（Mobility control）を行う。ＭＭＥ７３ａは、移動端末が待ち受け状態のとき、および、アクティブ状態（Active State）のときに、トラッキングエリア（Tracking Area）リストの管理を行う。ＭＭＥ７３ａは、ＵＥが登録されている（registered）追跡領域（トラッキングエリア：Tracking Area）に属するセルへ、ページングメッセージを送信することで、ページングプロトコルに着手する。ＭＭＥ７３ａに接続されるＨｏｍｅ−ｅＮＢ７５のＣＳＧの管理やＣＳＧ−ＩＤの管理、そしてホワイトリスト管理は、アイドルステートモビリティ管理部１００５−３で行ってもよい。
【００８２】
次に通信システムにおけるセルサーチ方法の一例を示す。図６は、ＬＴＥ方式の通信システムにおいて移動端末（ＵＥ）が行うセルサーチから待ち受け動作までの概略を示すフローチャートである。移動端末は、セルサーチを開始すると、ステップＳＴ１で、周辺の基地局から送信される第一同期信号（Ｐ−ＳＳ）、および第二同期信号（Ｓ−ＳＳ）を用いて、スロットタイミング、フレームタイミングの同期をとる。
【００８３】
Ｐ−ＳＳとＳ−ＳＳとを合わせて、同期信号（Synchronization Signal：ＳＳ）という。同期信号（ＳＳ）には、セル毎に割り当てられたＰＣＩに１対１に対応するシンクロナイゼーションコードが割り当てられている。ＰＣＩの数は５０４通りが検討されている。この５０４通りのＰＣＩを用いて同期をとるとともに、同期がとれたセルのＰＣＩを検出（特定）する。
【００８４】
次に同期がとれたセルに対して、ステップＳＴ２で、基地局からセル毎に送信される参照信号（リファレンスシグナル：ＲＳ）であるセル固有参照信号（Cell-specific Reference Signal：ＣＲＳ）を検出し、ＲＳの受信電力（Reference Signal Received Power：ＲＳＲＰ）の測定を行う。参照信号（ＲＳ）には、ＰＣＩと１対１に対応したコードが用いられている。そのコードで相関をとることによって他セルと分離できる。ステップＳＴ１で特定したＰＣＩから、該セルのＲＳ用のコードを導出することによって、ＲＳを検出し、ＲＳの受信電力を測定することが可能となる。
【００８５】
次にステップＳＴ３で、ステップＳＴ２までで検出された一つ以上のセルの中から、ＲＳの受信品質が最もよいセル、例えば、ＲＳの受信電力が最も高いセル、つまりベストセルを選択する。
【００８６】
次にステップＳＴ４で、ベストセルのＰＢＣＨを受信して、報知情報であるＢＣＣＨを得る。ＰＢＣＨ上のＢＣＣＨには、セル構成情報が含まれるＭＩＢ（Master Information Block）がマッピングされる。したがってＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【００８７】
次にステップＳＴ５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報や、セルセレクションに関する情報、他のＳＩＢ（ＳＩＢｋ；ｋ≧２の整数）のスケジューリング情報が含まれる。また、ＳＩＢ１には、トラッキングエリアコード（Tracking Area Code：ＴＡＣ）が含まれる。
【００８８】
次にステップＳＴ６で、移動端末は、ステップＳＴ５で受信したＳＩＢ１のＴＡＣと、移動端末が既に保有しているトラッキングエリアリスト内のトラッキングエリア識別子（Tracking Area Identity：ＴＡＩ）のＴＡＣ部分とを比較する。トラッキングエリアリストは、ＴＡＩリスト（TAI list）とも称される。ＴＡＩはトラッキングエリアを識別するための識別情報であり、ＭＣＣ（Mobile Country Code）と、ＭＮＣ（Mobile Network Code）と、ＴＡＣ（Tracking Area Code）とによって構成される。ＭＣＣは国コードである。ＭＮＣはネットワークコードである。ＴＡＣはトラッキングエリアのコード番号である。
【００８９】
移動端末は、ステップＳＴ６で比較した結果、ステップＳＴ５で受信したＴＡＣがトラッキングエリアリスト内に含まれるＴＡＣと同じならば、該セルで待ち受け動作に入る。比較して、ステップＳＴ５で受信したＴＡＣがトラッキングエリアリスト内に含まれなければ、移動端末は、該セルを通して、ＭＭＥなどが含まれるコアネットワーク（Core Network，ＥＰＣ）へ、ＴＡＵ（Tracking Area Update）を行うためにトラッキングエリアの変更を要求する。
【００９０】
コアネットワークを構成する装置（以下「コアネットワーク側装置」という場合がある）は、ＴＡＵ要求信号とともに移動端末から送られてくる該移動端末の識別番号（ＵＥ−ＩＤなど）をもとに、トラッキングエリアリストの更新を行う。コアネットワーク側装置は、移動端末に更新後のトラッキングエリアリストを送信する。移動端末は、受信したトラッキングエリアリストに基づいて、移動端末が保有するＴＡＣリストを書き換える（更新する）。その後、移動端末は、該セルで待ち受け動作に入る。
【００９１】
スマートフォンおよびタブレット端末の普及によって、セルラー系無線通信によるトラフィックが爆発的に増大しており、世界中で無線リソースの不足が懸念されている。これに対応して周波数利用効率を高めるために、小セル化し、空間分離を進めることが検討されている。
【００９２】
従来のセルの構成では、ｅＮＢによって構成されるセルは、比較的広い範囲のカバレッジを有する。従来は、複数のｅＮＢによって構成される複数のセルの比較的広い範囲のカバレッジによって、あるエリアを覆うように、セルが構成されている。
【００９３】
小セル化された場合、ｅＮＢによって構成されるセルは、従来のｅＮＢによって構成されるセルのカバレッジに比べて範囲が狭いカバレッジを有する。したがって、従来と同様に、あるエリアを覆うためには、従来のｅＮＢに比べて、多数の小セル化されたｅＮＢが必要となる。
【００９４】
以下の説明では、従来のｅＮＢによって構成されるセルのように、比較的広い範囲のカバレッジを構成するセル、すなわちカバレッジエリアが比較的広いセルを「マクロセル」といい、マクロセルを構成するｅＮＢを「マクロｅＮＢ」という。また、小セル化されたセルのように、比較的狭い範囲のカバレッジを構成するセル、すなわちカバレッジエリアが比較的狭いセルを「スモールセル」といい、スモールセルを構成するｅＮＢを「スモールｅＮＢ」という。
【００９５】
マクロｅＮＢは、例えば、非特許文献８に記載される「ワイドエリア基地局（Wide Area Base Station）」であってもよい。
【００９６】
スモールｅＮＢは、例えば、ローパワーノード、ローカルエリアノード、ホットスポットなどであってもよい。また、スモールｅＮＢは、ピコセルを構成するピコｅＮＢ、フェムトセルを構成するフェムトｅＮＢ、ＨｅＮＢ、ＲＲＨ（Remote Radio Head）、ＲＲＵ（Remote Radio Unit）、ＲＲＥ（Remote Radio Equipment）またはＲＮ（Relay Node）であってもよい。また、スモールｅＮＢは、非特許文献８に記載される「ローカルエリア基地局（Local Area Base Station）」または「ホーム基地局（Home Base Station）」であってもよい。
【００９７】
図７は、マクロｅＮＢとスモールｅＮＢとが混在する場合のセルの構成の概念を示す図である。マクロｅＮＢによって構成されるマクロセルは、比較的広い範囲のカバレッジ１３０１を有する。スモールｅＮＢによって構成されるスモールセルは、マクロｅＮＢ（マクロセル）のカバレッジ１３０１に比べて範囲が狭いカバレッジ１３０２を有する。
【００９８】
複数のｅＮＢが混在する場合、あるｅＮＢによって構成されるセルのカバレッジが、他のｅＮＢによって構成されるセルのカバレッジ内に含まれる場合がある。図７に示すセルの構成では、参照符号「１３０４」または「１３０５」で示されるように、スモールｅＮＢによって構成されるスモールセルのカバレッジ１３０２が、マクロｅＮＢによって構成されるマクロセルのカバレッジ１３０１内に含まれる場合がある。
【００９９】
また、参照符号「１３０５」で示されるように、複数、例えば２つのスモールセルのカバレッジ１３０２が、１つのマクロセルのカバレッジ１３０１内に含まれる場合もある。移動端末（ＵＥ）１３０３は、例えばスモールセルのカバレッジ１３０２内に含まれ、スモールセルを介して通信を行う。
【０１００】
また図７に示すセルの構成では、参照符号「１３０６」で示されるように、マクロｅＮＢによって構成されるマクロセルのカバレッジ１３０１と、スモールｅＮＢによって構成されるスモールセルのカバレッジ１３０２とが複雑に重複する場合が生じる。
【０１０１】
また、参照符号「１３０７」で示されるように、マクロｅＮＢによって構成されるマクロセルのカバレッジ１３０１と、スモールｅＮＢによって構成されるスモールセルのカバレッジ１３０２とが重複しない場合も生じる。
【０１０２】
さらには、参照符号「１３０８」で示されるように、多数のスモールｅＮＢによって構成される多数のスモールセルのカバレッジ１３０２が、一つのマクロｅＮＢによって構成される１つのマクロセルのカバレッジ１３０１内に構成される場合も生じる。
【０１０３】
実施の形態１で解決する課題、およびその解決策について、以下に示す。本実施の形態では、マクロｅＮＢによって構成されるマクロセルのカバレッジ内に、スモールｅＮＢによって構成されるスモールセルのカバレッジが含まれる構成を考える。
【０１０４】
前述のように、将来の膨大なトラフィックに対応するために、例えば、多数のスモールｅＮＢを設置して、多数のスモールセルを構成することによって、周波数利用効率を高めて、通信容量の増大を図る技術などが検討されている。
【０１０５】
多数のスモールセルを設置した場合、干渉の増大、および消費電力の増大が生じるという問題がある。これらの問題を解決するために、３ＧＰＰでは、セルのスイッチオン（セルオン）、およびセルのスイッチオフ（セルオフ）の技術の検討が進められている。例えば、準静的なセルオンおよびセルオフの技術として、ＵＥが省電力（Energy Saving；略称：ＥＳ）セルの近傍に存在するか否かを判断して、ドーマント状態のＥＳセルをスイッチオンする技術が検討されている。
【０１０６】
ここで、「ＥＳセルをスイッチオフする」とは、ＥＳセルの少なくとも一部の動作を停止することをいい、「ＥＳセルをスイッチオンする」とは、ＥＳセルのスイッチオフで停止された動作を開始することをいう。
【０１０７】
また、「ＥＳセルをスイッチオフした状態（以下「スイッチオフ状態」という場合がある）」とは、ＥＳセルの少なくとも一部の動作を停止した状態をいう。したがって、ＥＳセルのスイッチオフ状態は、ＥＳセルの全ての動作を停止した状態、およびＥＳセルの一部の動作を停止し、その他の動作を継続している状態を含む。
【０１０８】
ＥＳセルの一部の動作を停止し、その他の動作を継続している状態としては、例えば、ＲＡＮ（Radio Access Network）側の動作を停止し、ネットワーク側とのインタフェースの動作を継続している状態がある。他の例として、ＥＳセルが、予め定める無線信号のみを送信して、ネットワーク側とのインタフェースの動作を継続し、他の動作を停止している状態などがある。これらの状態を「ドーマント状態」という。
【０１０９】
ドーマント状態などのスイッチオフ状態は、省電力状態に相当する。省電力状態とは、通常動作状態よりも消費電力が低い状態をいう。また、通常動作状態とは、ＥＳセルの各動作を行っている状態、すなわちＥＳセルの各動作を停止していない状態をいう。ＥＳセルをスイッチオンにした状態であるスイッチオン状態は、通常動作状態に相当する。したがって、ＥＳセルは、通常動作状態と、省電力状態とを切替え可能である。
【０１１０】
ドーマント状態のＥＳセルをスイッチオンするためのウェイクアップ（wake up）処理の方法として、次の（１），（２）の２通りの方法が提案されている。
【０１１１】
（１）ＵＥが、サービングセルにディスカバリー信号（Discovery Signal；略称：ＤＳ）のメジャメント報告を行い、該メジャメント報告を受信したサービングセルが、ＥＳセルにウェイクアップ（wake up）メッセージを送信する（非特許文献９参照）。
【０１１２】
（２）ＵＥが、ＥＳセルにウェイクアップ（wake up）信号を送信する（非特許文献１０参照）。
【０１１３】
ＤＳは、ＥＳセルが自セルの検出用に送信する信号である。ＤＳにセルの識別子を含んでもよいこと、およびＤＳをメジャメント用の信号としてもよいことが議論されている。
【０１１４】
従来技術のアクセス制限の方法は、ＵＥがセルのシステム情報を受信することによって行われる。従来技術では、ドーマント状態のＥＳセルは、ＤＳのみを送信し、ＳＩＢを報知しない前提である。この場合、ＥＳセルの近傍に存在するＵＥは、ドーマント状態のＥＳセルのＳＩＢを受信せずに、該ＥＳセルをスイッチオンすることになる。
【０１１５】
したがって、従来技術では、ＥＳセルにアクセス権の無いＵＥ、あるいは該ＥＳセルに対してアクセス制限の設けられたＵＥが、該ＥＳセルの近傍に来た場合も、ドーマント状態のＥＳセルはスイッチオンされてしまうことになる。
【０１１６】
アクセス権の無いＵＥがＥＳセルの近傍に来た場合に、ドーマント状態のＥＳセルをスイッチオンすることは、無駄である。具体的に述べると、たとえＥＳセルがスイッチオンして通常動作状態に戻ったとしても、ＵＥはＥＳセルにアクセスすることができないので、ＥＳセルは、再度スイッチオフしてドーマント状態に戻ることになる。したがって、スイッチオンのための処理時間が無駄となり、多大な消費電力を浪費することとなる。また、スイッチオンのためのシグナリングが無駄に増大することとなる。
【０１１７】
このように、ドーマント状態のＥＳセルのスイッチオンが無駄に実行されることがないように、アクセス制限を行うことを可能とする新たな仕組みが必要となる。
【０１１８】
実施の形態１における解決策を以下に示す。ドーマント状態のＥＳセルのウェイクアップ処理において、アクセス制限を行う。
【０１１９】
アクセス制限の制御（以下「アクセス制限制御」という場合がある）を行う主体の具体例として、以下の（１）〜（４）の４つを開示する。
（１）ＥＳセル。
スイッチオンされるＥＳセルが、アクセス制限制御を行う。
（２）サービングセル。
ウェイクアップ処理起動対象ＵＥのサービングセルが、アクセス制限制御を行う。
（３）ＵＥ。
ウェイクアップ処理起動対象ＵＥが、アクセス制限制御を行う。
（４）ＭＭＥ。
ＭＭＥが、アクセス制限制御を行う。ＭＭＥは、上位装置に相当し、基地局装置よりも上位、すなわちネットワーク側に設けられる。
【０１２０】
ここで、「ウェイクアップ処理起動対象ＵＥ」とは、ウェイクアップ処理を起動する要因となったＵＥのことをいう。ＵＥがウェイクアップ処理を起動する場合、例えば、ＵＥがウェイクアップ信号を直接ＥＳセルに送信する場合、該ＵＥを、「ウェイクアップ処理起動対象ＵＥ」という。サービングセルがウェイクアップ処理を起動する場合、例えば、サービングセルがＵＥからメジャメント報告を受けて、その結果に基づいて、サービングセルがウェイクアップメッセージをＥＳセルに通知する場合、該ＵＥを、「ウェイクアップ処理起動対象ＵＥ」という。
【０１２１】
ＥＳセルがアクセス制限制御を行う方法を以下に開示する。ＥＳセルは、ウェイクアップ処理起動対象ＵＥのアクセス制限情報を取得する。アクセス制限情報を取得する対象の具体例として、以下の（１）〜（３）の３つを開示する。
【０１２２】
（１）ＵＥから取得する。
ウェイクアップ処理起動対象ＵＥは、ＥＳセルに、自ＵＥのアクセス制限情報を通知する。本具体例（１）は、ＵＥが自ＵＥのアクセス制限情報を有する場合に適用するようにしてもよい。アクセス制限情報としては、例えば、ＡＣＢ（Access Class Barring）用ＡＣ（Access Class）、ＥＡＢ（Extended Access Class Barring）用ＡＣ、ＵＥ内に保持されるＣＳＧ−ＩＤ、あるいはＣＳＧ−ＩＤのリストである許可ＣＳＧリスト（allowed CSG list）などがある。
【０１２３】
ＵＥがＥＳセルに自ＵＥのアクセス制限情報を通知する方法としては、例えば、ウェイクアップ処理起動対象ＵＥがドーマント状態のＥＳセルに送信するウェイクアップ信号に、ＵＥのアクセス制限情報を関連付けて通知する方法がある。具体的には、アクセス制限情報と関連付けられたＵＥ個別シーケンスを用いて、ウェイクアップ信号を導出する方法などである。
【０１２４】
（２）サービングセルから取得する。
ウェイクアップ処理起動対象ＵＥは、サービングセルに、自ＵＥのアクセス制限情報を通知する。サービングセルは、ＥＳセルに、ウェイクアップ処理起動対象ＵＥのアクセス制限情報を通知する。
【０１２５】
ＵＥがサービングセルに自ＵＥのアクセス制限情報を通知する方法としては、ＲＲＣシグナリング（ＲＲＣメッセージ）を用いて通知する方法がある。例えば、アクセス制限情報を、サービングセルに通知するＲＲＣ接続設立要求（RRC connection establishment request）メッセージに含める方法、サービングセルに通知するＲＲＣ接続設立完了（RRC connection establishment complete）メッセージに含める方法、サービングセルに通知するＲＲＣ接続再設立要求（RRC connection reestablishment request）メッセージに含める方法、サービングセルに通知するＲＲＣ接続再設立完了（RRC connection reestablishment complete）メッセージに含める方法などである。あるいは、アクセス制限情報を、サービングセルに通知するメジャメント報告メッセージに含める方法を用いてもよい。
【０１２６】
サービングセルからＥＳセルにＵＥのアクセス制限情報を通知する方法としては、例えば、アクセス制限情報を、サービングセルからＥＳセルに通知するウェイクアップ要求メッセージに含める方法がある。あるいは、アクセス制限情報を、Ｘ２シグナリング（Ｘ２メッセージ）を用いて通知する方法を用いてもよい。
【０１２７】
（３）ＭＭＥから取得する。
ＥＳセルは、ＭＭＥに、ウェイクアップ処理起動対象ＵＥのアクセス制限情報を要求する。ＥＳセルは、ＭＭＥに、ウェイクアップ処理起動対象ＵＥの識別子を通知して、ウェイクアップ処理起動対象ＵＥのアクセス制限情報を要求してもよい。ＭＭＥは、ＥＳセルに、ＵＥのアクセス制限情報を通知する。ＭＭＥは、ＵＥのアクセス制限情報を保持する。ＵＥのアクセス制限情報としては、例えば、ＭＭＥ内に保持されるＵＥのＣＳＧ−ＩＤのリストであるＣＳＧリスト（CSG list）などがある。
【０１２８】
ＭＭＥとＥＳセルとの間で行われる、ＵＥのアクセス制限情報の要求、ＵＥのアクセス制限情報の通知には、Ｓ１シグナリング（Ｓ１メッセージ）を用いてもよい。
【０１２９】
アクセス制限情報の具体例として、以下の（１）〜（２１）の２１個を示す。
（１）ＡＣ。
（２）ＥＡＢ用ＡＣ。
（３）ＣＳＧに関する情報。ＣＳＧに関する情報は、例えば、ＣＳＧ−ＩＤ（CSG identity）、ＣＳＧリスト（CSG list）、許可ＣＳＧリスト（allowed CSG list）、ＣＳＧインジケーション（CSG indication）、アクセスモードなどである。
（４）セルのバード（Barred）情報。
（５）セルが利用可能か否かを示す情報。
（６）セルがメンテナンス中か否かを示す情報。
（７）セルがセットアップ（setup）中か否かを示す情報。
（８）セルがアップデート（update）中か否かを示す情報。
（９）セルがスイッチオン開始後予め定める期間中であるか否かを示す情報。
（１０）セルがドーマント状態移行後予め定める期間中であるか否かを示す情報。
（１１）アクセスのプライオリティ情報。
（１２）セルのオーバロード（overload）情報。
（１３）セルの利用可能な無線リソースが有るか否かを示す情報。
（１４）ＱｏＳ（Quality of Service）に関する情報。
（１５）ＱＣＩ（QoS Class Identifier）に関する情報。
（１６）ＥＲＡＢ（E-UTRAN Radio Access Bearer）に関する情報。
（１７）バックホールの接続形態に関する情報。例えば、バックホールとしては、ｅＮＢ間、ｅＮＢおよびコアネットワーク（ＣＮ）側ノード間などがある。接続形態としては、有線接続、無線接続などがある。有線接続の種類としては、光ファイバによる接続、メタル線による接続などがある。
（１８）バックホールの許容遅延時間に関する情報。
（１９）移動速度に関する情報。例えば、ＵＥの移動速度に関する情報、セルがサポート可能なＵＥの移動速度に関する情報などがある。
（２０）セルのカバレッジの大きさに関する情報。
（２１）前記（１）〜（２０）の組合せ。
【０１３０】
ＥＳセルによるアクセス制限制御について、以下に開示する。ＥＳセルは、ウェイクアップ処理起動対象ＵＥのアクセス制限情報と自セルのアクセス制限情報とを用いて、アクセス制限制御を行う。具体的には、ＥＳセルは、ウェイクアップ処理起動対象ＵＥが自セルにアクセス可能か否かを判断する。
【０１３１】
ウェイクアップ要求の受信をトリガとして、アクセス制限制御を行うとよい。ウェイクアップ要求としては、ウェイクアップ信号、ウェイクアップメッセージ（ウェイクアップ要求メッセージ）などがある。
【０１３２】
ＥＳセルによるアクセス制限処理について、以下に開示する。ＥＳセルは、アクセス制限制御結果に基づいて、自セルをスイッチオンするか否かを決定する。ＥＳセルは、ウェイクアップ処理起動対象ＵＥが自セルにアクセス可能である場合、自セルをスイッチオンする。スイッチオンによって、ＥＳセルは、ドーマント状態からアクティブ状態に移行する。アクティブ状態とは、セルが通常の動作を行っている状態であり、通常動作状態に相当する。ドーマント状態からアクティブ状態に移行することを「ウェイクアップ」という。ＥＳセルは、ウェイクアップ処理起動対象ＵＥが自セルにアクセス不可能である場合、自セルをスイッチオンしない。
【０１３３】
拒否（リジェクト）処理について、以下に開示する。ウェイクアップ処理起動対象ＵＥが、ウェイクアップ処理対象ＥＳセルにアクセス不可能である場合、ＥＳセルは、拒否（リジェクト）処理として、サービングセルに、拒否（リジェクト）メッセージを通知してもよい。ここで、「ウェイクアップ処理対象ＥＳセル」とは、ウェイクアップ処理の対象となるＥＳセル、すなわちウェイクアップ処理によってウェイクアップされるＥＳセルをいう。
【０１３４】
また、ＥＳセルは、拒否（リジェクト）処理として、該ＵＥに対して拒否メッセージを通知してもよい。ＥＳセルは、該ＵＥに、サービングセルを介して拒否メッセージを通知してもよい。この場合、ＥＳセルがサービングセルに拒否メッセージを通知し、該通知を受信したサービングセルが、ウェイクアップ処理起動対象ＵＥに、拒否メッセージを通知する。
【０１３５】
拒否メッセージに含める情報の具体例として、以下の（１）〜（６）の６つを示す。
（１）ＵＥのＵＥ識別子。ウェイクアップ処理起動対象ＵＥのＵＥ識別子とするとよい。ここで、「ＵＥ識別子」とは、ＵＥを識別するために、ＵＥ毎に与えられる識別子をいう。
（２）ＥＳセルのセル識別子。ウェイクアップ処理対象ＥＳセルのセル識別子とするとよい。ここで、「セル識別子」とは、セルを識別するために、セル毎に与えられる識別子をいう。
（３）原因（cause）情報。原因情報は、拒否の原因を示す情報である。
（４）どのアクセス制限によって拒否されたかを示す情報。例えば、アクセス制限情報と同様にするとよい。原因情報として通知してもよい。
（５）待機タイマ（wait timer）情報。
（６）前記（１）〜（５）の組合せ。
【０１３６】
待機タイマ情報は、待機タイマに関する情報、例えば、待機タイマで設定された期間の情報を含む。待機タイマで設定された期間、該ＥＳセルへのウェイクアップ処理の起動を禁止する。待機タイマで設定された期間、該ＥＳセルへのメジャメント報告を禁止するとしてもよい。待機タイマで設定された期間、該ＥＳセルのメジャメントを行わないとしてもよい。ＥＳセルのアクセス制限情報が時間的に変更されるような場合、該待機タイマで設定する期間を、ＥＳセルのアクセス制限情報の変更が行われるまでの期間としてもよい。
【０１３７】
図８は、実施の形態１の通信システムにおけるウェイクアップ処理のシーケンスの一例を示す図である。図８では、ＥＳセルがアクセス制限制御を行う場合について示している。
【０１３８】
ステップＳＴ１１０１において、ＥＳセルはドーマント状態にあるとする。
ステップＳＴ１１０２およびステップＳＴ１１０３において、ＵＥは、サービングセルを介して、ドーマント状態のＥＳセルに、自ＵＥのアクセス制限情報を通知する。具体的には、ステップＳＴ１１０２において、ＵＥは、サービングセルに、自ＵＥのアクセス制限情報を通知する。例えば、ＲＲＣシグナリングを用いる。
【０１３９】
ＵＥからアクセス制限情報を受信したサービングセルは、ステップＳＴ１１０３において、ＥＳセルに、該ＵＥのアクセス制限情報を通知する。例えば、Ｘ２シグナリングを用いる。これによって、ＥＳセルは、ＵＥのアクセス制限情報を取得することが可能となる。
【０１４０】
ＵＥのアクセス制限情報とともに、ＵＥの識別子を通知してもよい。これによって、ＵＥの識別子とアクセス制限情報とを関連付けることが可能となる。したがって、ＥＳセルは、どのＵＥが、どのようなアクセス制限情報を有しているかを認識することが可能となる。
【０１４１】
ＵＥは、サービングセルを介してウェイクアップ要求をＥＳセルに対して行う。具体的には、近傍にＥＳセルの存在を検出したＵＥは、ステップＳＴ１１０４において、ウェイクアップ要求メッセージをサービングセルに通知する。該メッセージを受信したサービングセルは、ステップＳＴ１１０５において、ウェイクアップ要求メッセージをＥＳセルに通知する。
【０１４２】
このとき、ウェイクアップ要求メッセージに、ウェイクアップ処理起動対象ＵＥのＵＥ識別子とウェイクアップ処理対象ＥＳセルのセル識別子とを含ませて通知してもよい。これによって、サービングセルは、ウェイクアップ要求を行うＥＳセルを特定することが可能となる。また、ウェイクアップ要求メッセージを受信したＥＳセルは、ウェイクアップ要求を行ったＵＥを特定することが可能となる。
【０１４３】
図８では、ＵＥからサービングセルへ、あるいは、サービングセルからＥＳセルへ、ウェイクアップ要求メッセージとは別に、ＵＥのアクセス制限情報を通知する場合について示したが、ＵＥのアクセス制限情報をウェイクアップ要求メッセージに含めて通知してもよい。
【０１４４】
ウェイクアップ要求メッセージを受信したＥＳセルは、ステップＳＴ１１０６において、アクセス制限制御を行う。具体的には、ＥＳセルは、ウェイクアップ処理起動対象ＵＥが自セルにアクセス可能か否かを判断する。ＥＳセルは、ステップＳＴ１１０５で受信したウェイクアップ処理起動対象ＵＥのＵＥ識別子と、ステップＳＴ１１０３で受信した該ＵＥのアクセス制限情報と、自セルのアクセス制限情報とを用いて、アクセス可能か否かを判断する。
【０１４５】
ＥＳセルは、ウェイクアップ処理起動対象ＵＥが自セルにアクセス可能である場合は、ステップＳＴ１１０９に移行する。ステップＳＴ１１０９において、ＥＳセルは、自セルをスイッチオンする。スイッチオンによって、ＥＳセルは、ステップＳＴ１１１０においてアクティブ状態に移行する。
【０１４６】
ＥＳセルは、ウェイクアップ処理起動対象ＵＥが自セルにアクセス不可能である場合は、ステップＳＴ１１０５のウェイクアップ要求メッセージを待機する処理に移行する。
【０１４７】
また、ＥＳセルは、ウェイクアップ処理起動対象ＵＥが自セルにアクセス不可能である場合、ステップＳＴ１１０３のＵＥのアクセス制限情報を待機する処理に移行するようにしてもよい。これは、ＵＥのアクセス制限情報が時間的に変更される場合に有効である。ＵＥのアクセス制限情報の通知が無く、ウェイクアップ要求メッセージを受信した場合は、ＥＳセルは、その時点でのＵＥのアクセス制限情報を用いてアクセス制限制御を行うとよい。
【０１４８】
ＥＳセルは、ウェイクアップ処理起動対象ＵＥが自セルにアクセス不可能である場合、ステップＳＴ１１０７において、サービングセルに、ウェイクアップ要求メッセージに対する拒否メッセージ（以下「ウェイクアップ拒否メッセージ」という場合がある）を通知してもよい。ウェイクアップ拒否メッセージには前述の情報を含ませるとよい。また、ウェイクアップ拒否メッセージには、ウェイクアップ処理起動対象ＵＥのＵＥ識別子を含めるとよい。また、自セルであるＥＳセルのセル識別子を含めてもよい。
【０１４９】
これによって、サービングセルは、どのＵＥが、アクセス制限制御によりアクセスを拒否されたかを認識することが可能となる。また、何の理由でアクセスを拒否されたかを認識することが可能となる。また、どのＥＳセルからアクセスを拒否されたかを認識することが可能となる。
【０１５０】
ステップＳＴ１１０８において、サービングセルは、該ＵＥに、ウェイクアップ拒否メッセージを通知することによって、アクセス制限制御によりアクセスが拒否されたことを通知してもよい。ウェイクアップ拒否メッセージには、拒否理由を含めてもよい。また、アクセス制限制御を行ったＥＳセルの識別子を含めてもよい。これによって、ＵＥは、アクセス制限制御によりアクセスを拒否されたことを認識することが可能となる。また、何の理由でアクセスを拒否されたかを認識することが可能となる。また、どのＥＳセルからアクセスを拒否されたかを認識することが可能となる。
【０１５１】
拒否メッセージには、待機タイマ情報を含めてもよい。例えば、待機タイマで設定された時間、該ＥＳセルへのウェイクアップ処理の起動を禁止すると予め決めておくことで、該待機タイマの待機タイマ情報を受信したＵＥは、該待機タイマで設定された期間、たとえ再度該ＥＳセルの近傍に位置して該ＥＳセルを検出したとしても、該ＥＳセルにウェイクアップ要求を行わないようにすることができる。これは、ＥＳセルのアクセス制限情報が時間的に変更される場合に有効である。このようにすることによって、無駄なシグナリングを行わなくて済む。したがって、通信システム全体として、シグナリング量の低減、ならびにＵＥ、サービングセルおよびＥＳセルの処理負荷の低減、消費電力の低減が可能となる。
【０１５２】
あるいは、待機タイマで設定された時間、該ＥＳセルのメジャメントを行わないことを許可すると予め決めておく。該待機タイマの待機タイマ情報を受信したＵＥは、該待機タイマで設定された期間、該ＥＳセルをメジャメント対象から外すことができる。したがって、アクセス不可能な該ＥＳセルを検出することはなく、ウェイクアップ要求も行うことはない。これは、ＥＳセルのアクセス制限情報が時間的に変更される場合に有効である。このようにすることによって、無駄なメジャメント処理および無駄なシグナリングを行わなくて済む。これによって、通信システム全体として、シグナリング量の低減、ならびにＵＥ、サービングセルおよびＥＳセルの処理負荷の低減、消費電力の低減が可能となる。
【０１５３】
本実施の形態で開示した方法とすることによって、アクセス権の無いＵＥからのウェイクアップ処理を制限することができるようになるので、ドーマント状態のＥＳセルは、無駄なスイッチオンをしなくて済む。すなわち、ＥＳセルの通常動作状態とドーマント状態との切替えが不必要に行われることを防ぐことができる。したがって、ＥＳセルの消費電力を削減することが可能となる。
【０１５４】
また、無駄なスイッチオン処理が行われないので、通信システム全体として、シグナリング量の低減、ならびにＵＥ、サービングセル、ＥＳセルおよびＭＭＥなどにおける処理負荷の低減、消費電力の低減が可能となる。
【０１５５】
また、ドーマント状態のＥＳセルが無駄なスイッチオンを行わないようにすることができるので、干渉の削減が可能となり、通信システム全体として、通信品質の向上を図ることができる。
【０１５６】
また、本実施の形態では、ＥＳセルがアクセス制限制御を行う。これによって、ＥＳセルのアクセス制限情報を他のノードに通知する必要がなくなる。したがって、通信システム全体として、シグナリング量の低減を図ることができる。
【０１５７】
実施の形態１  変形例１．
本変形例では、サービングセルがウェイクアップ処理のアクセス制限制御を行う場合について説明する。前述の実施の形態１では、ＥＳセルがウェイクアップ処理のアクセス制限制御を行うが、本変形例では、サービングセルがウェイクアップ処理のアクセス制限制御を行う。
【０１５８】
サービングセルがアクセス制限制御を行う方法について、以下に開示する。本変形例では、サービングセルがウェイクアップ処理起動対象ＵＥを認識した後にアクセス制限制御を行う方法について開示する。この方法は、前述の、ＵＥがサービングセルにＤＳのメジャメント報告を行い、該メジャメント報告を受信したサービングセルがＥＳセルにウェイクアップメッセージを送信するウェイクアップ処理方法に適用することができる。
【０１５９】
サービングセルがＵＥのアクセス制限情報を取得する方法を以下に開示する。サービングセルは、ウェイクアップ処理起動対象ＵＥのアクセス制限情報を取得する。アクセス制限情報を取得する対象の具体例として、以下の（１），（２）の２つを開示する。
【０１６０】
（１）ＵＥから取得する。
ウェイクアップ処理起動対象ＵＥは、サービングセルに自ＵＥのアクセス制限情報を通知する。ＵＥがサービングセルに自ＵＥのアクセス制限情報を通知する方法としては、ＲＲＣシグナリングを用いて通知する方法がある。例えば、サービングセルに通知するメジャメント報告に含めてもよい。ＥＳセル検出報告、あるいは、ＥＳセルの検出のためのメジャメント報告に含めてもよい。
【０１６１】
（２）ＭＭＥから取得する。
サービングセルは、ＭＭＥに、ウェイクアップ処理起動対象ＵＥのアクセス制限情報を要求する。サービングセルは、ＭＭＥに、ウェイクアップ処理起動対象ＵＥの識別子を通知して、該ＵＥのアクセス制限情報を要求してもよい。ＭＭＥはサービングセルにＵＥのアクセス制限情報を通知する。本具体例（２）は、ＭＭＥがＵＥのアクセス制限情報を有する場合に適用するようにしてもよい。アクセス制限情報としては、例えば、ＭＭＥ内に保持されるＵＥのＣＳＧ−ＩＤのリストであるＣＳＧリスト（CSG list）などがある。
【０１６２】
サービングセルからＭＭＥにＵＥのアクセス制限情報を要求する方法、およびＭＭＥからサービングセルにＵＥのアクセス制限情報を通知する方法として、Ｓ１シグナリング（Ｓ１メッセージ）を用いてもよい。
【０１６３】
サービングセルがＥＳセルのアクセス制限情報を取得する方法について、以下に開示する。サービングセルは、ウェイクアップ処理対象ＥＳセルのアクセス制限情報を取得する。アクセス制限情報を取得する対象の具体例として、以下の（１），（２）の２つを開示する。
【０１６４】
（１）ＥＳセルから取得する。
サービングセルは、ＥＳセルから、該ＥＳセルのアクセス制限情報を取得する。ＥＳセルは、サービングセルに自セルのアクセス制限情報を通知する。この方法では、アクセス制限情報を取得する対象となるＥＳセルを、ウェイクアップ処理対象ＥＳセルに特定しなくてもよい。
【０１６５】
他の方法として、サービングセルは、ウェイクアップ処理対象ＥＳセルにアクセス制限情報を要求してもよい。これによって、アクセス制限情報を取得する対象となるＥＳセルを、ウェイクアップ処理対象ＥＳセルに特定することができる。ウェイクアップ処理対象ＥＳセルは、該要求に応じて、サービングセルにアクセス制限情報を通知する。
【０１６６】
ＥＳセルがサービングセルにアクセス制限情報を通知する方法について、以下に開示する。ＥＳセルから周辺セルに通知する。Ｘ２シグナリングを用いて通知するとよい。具体的には、Ｘ２セットアップ処理において通知してもよい。Ｘ２セットアップ要求メッセージに含めてもよい。また、ｅＮＢアップデート処理において通知してもよい。ｅＮＢコンフィグレーションアップデートメッセージに含めてもよい。新たにＸ２メッセージを設けて通知してもよい。
【０１６７】
他の方法として、ＥＳセルからＭＭＥを介して周辺セルに通知してもよい。Ｓ１シグナリングを用いて通知するとよい。
【０１６８】
（２）ＭＭＥから取得する。
サービングセルは、ＭＭＥに、ウェイクアップ処理対象ＥＳセルのアクセス制限情報を要求する。サービングセルは、ＭＭＥに、ウェイクアップ処理対象ＥＳセルのセル識別子を通知して、該ＥＳセルのアクセス制限情報を要求してもよい。ＭＭＥはサービングセルにＥＳセルのアクセス制限情報を通知する。本具体例（２）は、ＭＭＥがＥＳセルのアクセス制限情報を有する場合に適用するようにしてもよい。ＭＭＥがＥＳセルのアクセス制限情報を有しない場合、ＭＭＥは、ウェイクアップ処理対象ＥＳセルにアクセス制限情報を要求してもよい。ウェイクアップ処理対象ＥＳセルは、該要求に応じて、サービングセルに自セルのアクセス制限情報を通知する。
【０１６９】
サービングセルからＭＭＥにＥＳセルのアクセス制限情報を要求する方法、およびＭＭＥからサービングセルにＥＳセルのアクセス制限情報を通知する方法として、Ｓ１シグナリングを用いてもよい。
【０１７０】
また、ＭＭＥからＥＳセルにＥＳセルのアクセス制限情報を要求する方法、およびＥＳセルからＭＭＥにＥＳセルのアクセス制限情報を通知する方法として、Ｓ１シグナリングを用いてもよい。
【０１７１】
サービングセルによるアクセス制限制御について、以下に具体的に開示する。サービングセルは、ウェイクアップ処理起動対象ＵＥのアクセス制限情報と、ウェイクアップ処理対象ＥＳセルのアクセス制限情報とを用いて、アクセス制限制御を行う。具体的には、サービングセルは、ウェイクアップ処理起動対象ＵＥがウェイクアップ処理対象ＥＳセルにアクセス可能か否かを判断する。ウェイクアップ要求の受信をトリガとして、アクセス制限制御を行うとよい。
【０１７２】
サービングセルによるアクセス制限処理について、以下に開示する。サービングセルは、アクセス制限制御の結果に基づいて、ウェイクアップ処理対象ＥＳセルにウェイクアップ要求を行うか否かを決定する。サービングセルは、該ＵＥがアクセス可能である場合は、該ＥＳセルにウェイクアップ要求を行う。サービングセルからウェイクアップ要求を受信したＥＳセルは、自セルをスイッチオンする。スイッチオンによって、ＥＳセルは、ドーマント状態からアクティブ状態に移行する。サービングセルは、該ＵＥがアクセス不可能である場合は、該ＥＳセルにウェイクアップ要求を行わない。
【０１７３】
拒否処理について、以下に開示する。ウェイクアップ処理起動対象ＵＥがウェイクアップ処理対象ＥＳセルにアクセス不可能である場合、サービングセルは該ＵＥに拒否メッセージを通知してもよい。
【０１７４】
図９は、実施の形態１の変形例１の通信システムにおけるウェイクアップ処理のシーケンスの一例を示す図である。図９では、サービングセルがアクセス制限制御を行う場合について示している。
【０１７５】
ステップＳＴ１２０１において、ＥＳセルは、ドーマント状態にあるとする。
ステップＳＴ１２０２において、ＥＳセルは、サービングセルに、自ＥＳセルのアクセス制限情報を通知する。例えば、Ｘ２シグナリングを用いる。ステップＳＴ１２０３において、ＵＥは、サービングセルに自ＵＥのアクセス制限情報を通知する。例えば、ＲＲＣシグナリングを用いる。これによって、サービングセルは、ＵＥのアクセス制限情報とＥＳセルのアクセス制限情報とを取得することが可能となる。
【０１７６】
ＵＥのアクセス制限情報とともに、ＵＥの識別子を通知してもよい。これによって、ＵＥの識別子とアクセス制限情報とを関連付けることが可能となる。したがって、サービングセルは、どのＵＥが、どのようなアクセス制限情報を有しているかを認識することが可能となる。
【０１７７】
ＥＳセルのアクセス制限情報とともに、ＥＳセルの識別子を通知してもよい。これによって、ＥＳセルの識別子とアクセス制限情報とを関連付けることが可能となる。したがって、サービングセルは、どのＥＳセルが、どのようなアクセス制限情報を有しているかを認識することが可能となる。
【０１７８】
ＵＥは、ウェイクアップ要求をサービングセルに対して行う。近傍にＥＳセルの存在を検出したＵＥは、ステップＳＴ１２０４において、ウェイクアップ要求メッセージをサービングセルに通知する。ウェイクアップ要求メッセージに、ＵＥの識別子とウェイクアップ処理対象ＥＳセルの識別子とを含ませて通知してもよい。これによって、サービングセルは、ウェイクアップ要求を行うＥＳセルを特定することが可能となる。
【０１７９】
ウェイクアップ要求メッセージを受信したサービングセルは、ステップＳＴ１２０５において、アクセス制限制御を行う。具体的には、サービングセルは、ウェイクアップ処理起動対象ＵＥがウェイクアップ処理対象ＥＳセルにアクセス可能か否かを判断する。サービングセルは、ステップＳＴ１２０４で受信したウェイクアップ処理起動対象ＵＥのＵＥ識別子およびウェイクアップ処理対象ＥＳセルのセル識別子、ステップＳＴ１２０２で受信した該ＥＳセルのアクセス制限情報、ならびに、ステップＳＴ１２０３で受信した該ＵＥのアクセス制限情報を用いて、アクセス可能か否かを判断する。
【０１８０】
ウェイクアップ処理起動対象ＵＥがウェイクアップ処理対象ＥＳセルにアクセス可能である場合は、サービングセルは、ステップＳＴ１２０７に移行する。ステップＳＴ１２０７において、サービングセルは、ウェイクアップ処理対象ＥＳセルにウェイクアップ要求メッセージを通知する。ウェイクアップ要求メッセージを受信したＥＳセルは、ステップＳＴ１２０８において、自セルをスイッチオンする。スイッチオンによって、ＥＳセルは、ステップＳＴ１２０９でアクティブ状態に移行する。
【０１８１】
ウェイクアップ処理起動対象ＵＥがウェイクアップ処理対象ＥＳセルにアクセス不可能である場合は、サービングセルは、ステップＳＴ１２０４のウェイクアップ要求メッセージを待機する処理に移行する。
【０１８２】
また、サービングセルは、ウェイクアップ処理起動対象ＵＥがウェイクアップ処理対象ＥＳセルにアクセス不可能である場合、ステップＳＴ１２０３のＵＥのアクセス制限情報を待機する処理に移行するようにしてもよい。これは、ＵＥのアクセス制限情報が時間的に変更される場合に有効である。ＵＥのアクセス制限情報の通知が無く、ウェイクアップ要求メッセージを受信した場合は、ＥＳセルは、その時点でのＵＥのアクセス制限情報を用いてアクセス制限制御を行うとよい。
【０１８３】
また、サービングセルは、ウェイクアップ処理起動対象ＵＥがウェイクアップ処理対象ＥＳセルにアクセス不可能である場合、ステップＳＴ１２０２のＥＳセルのアクセス制限情報を待機する処理に移行するようにしてもよい。これは、ＥＳセルのアクセス制限情報が時間的に変更される場合に有効である。ＥＳセルのアクセス制限情報の通知が無く、ウェイクアップ要求メッセージを受信した場合は、ＥＳセルは、その時点でのＥＳセルのアクセス制限情報を用いてアクセス制限制御を行うとよい。
【０１８４】
ウェイクアップ処理起動対象ＵＥがウェイクアップ処理対象ＥＳセルにアクセス不可能の場合、サービングセルは、ステップＳＴ１２０６において、ＵＥにウェイクアップ要求メッセージに対する拒否メッセージであるウェイクアップ拒否メッセージを通知してもよい。
【０１８５】
ウェイクアップ拒否メッセージには、実施の形態１で開示した情報を含ませるとよい。また、ウェイクアップ処理対象ＥＳセルのセル識別子を含めてもよい。これによって、ＵＥは、アクセス制限制御によりアクセスを拒否されたことを認識することが可能となる。また、何の理由でアクセスを拒否されたかを認識することが可能となる。また、どのＥＳセルからアクセスを拒否されたかを認識することが可能となる。
【０１８６】
ウェイクアップ拒否メッセージには、待機タイマ情報を含めてもよい。例えば、待機タイマで設定された時間、該ＥＳセルへのウェイクアップ処理の起動を禁止すると予め決めておくことで、該待機タイマの待機タイマ情報を受信したＵＥは、該待機タイマで設定された期間、たとえ再度該ＥＳセルの近傍に位置して該ＥＳセルを検出したとしても、サービングセルにウェイクアップ要求を行わないようにすることができる。これによって、無駄なシグナリングを行わなくて済む。したがって、通信システム全体として、シグナリング容量の低減、ならびにＵＥ、サービングセルおよびＥＳセルの処理負荷の低減、消費電力の低減が可能となる。
【０１８７】
あるいは、待機タイマで設定された時間、該ＥＳセルのメジャメントを行わないことを許可すると予め決めておく。該待機タイマの待機タイマ情報を受信したＵＥは、該待機タイマで設定された期間、該ＥＳセルをメジャメント対象から外すことができる。これによって、アクセス不可能な該ＥＳセルを検出することはなく、ウェイクアップ要求も行うことはない。このようにすることによって、無駄なメジャメント処理および無駄なシグナリングを行わなくて済む。したがって、通信システム全体として、シグナリング量の低減、ならびにＵＥ、サービングセルおよびＥＳセルの処理負荷の低減、消費電力の低減が可能となる。
【０１８８】
本変形例で開示した方法とすることによって、実施の形態１と同様の効果を得ることができる。
【０１８９】
また、本変形例では、サービングセルがアクセス制限制御を行う。これによって、無駄なウェイクアップ要求メッセージをＥＳセルに通知する必要がなくなる。したがって、シグナリング量の低減およびＥＳセルの低消費電力化を図ることができる。
【０１９０】
また、サービングセルがアクセス制限制御を行うことによって、サービングセルの状況を考慮に入れることが可能である。例えば、アクセス制限制御の判断指標にサービングセルの負荷状態を入れてもよい。
【０１９１】
具体的には、サービングセルの負荷が比較的高い場合は、ウェイクアップ処理起動対象ＵＥがウェイクアップ処理対象ＥＳセルにアクセス可能であれば、サービングセルは、ウェイクアップ処理対象ＥＳセルにウェイクアップ要求メッセージを通知する。サービングセルの負荷が比較的低い場合は、ウェイクアップ処理起動対象ＵＥがウェイクアップ処理対象ＥＳセルにアクセス可能であっても、サービングセルは、ウェイクアップ処理対象ＥＳセルにウェイクアップ要求メッセージを通知しないようにしてもよい。サービングセルの負荷に閾値を設けて該制御に用いるとよい。
【０１９２】
このようにすることによって、サービングセルの負荷が比較的高いときは、ＵＥをＥＳセルにオフロード可能とし、サービングセルの負荷が比較的低いときは、ＵＥをＥＳセルにオフロードせず、自セルに留めておくことが可能となる。
【０１９３】
サービングセルがアクセス制限制御を行う他の方法について、以下に開示する。以下では、サービングセルがウェイクアップ処理起動対象ＵＥを認識する前にアクセス制限制御を行う方法について開示する。この方法は、前述の、ＵＥがサービングセルにＤＳのメジャメント報告を行い、該メジャメント報告を受信したサービングセルがＥＳセルにウェイクアップメッセージを送信するウェイクアップ処理方法、およびＵＥがＥＳセルにウェイクアップ信号を送信するウェイクアップ処理方法に適用することができる。
【０１９４】
サービングセルがＵＥのアクセス制限情報を取得する方法を以下に開示する。サービングセルは、接続するＵＥのアクセス制限情報を取得する。アクセス制限情報を取得する対象の具体例として、以下の（１），（２）の２つを開示する。
【０１９５】
（１）ＵＥ自身から取得する。
ＵＥは、サービングセルに自ＵＥのアクセス制限情報を通知する。ＵＥがサービングセルに自ＵＥのアクセス制限情報を通知する方法として、ＲＲＣシグナリングを用いて通知するとよい。例えば、サービングセルに通知するＲＲＣ接続設立要求メッセージに含める。あるいは、サービングセルに通知するＲＲＣ接続設立完了メッセージに含めてもよい。あるいは、サービングセルに通知するＲＲＣ接続再設立要求メッセージに含めてもよい。あるいは、サービングセルに通知するＲＲＣ接続再設立完了メッセージに含めてもよい。
【０１９６】
（２）ＭＭＥから取得する。
サービングセルは、ＭＭＥに、接続するＵＥのアクセス制限情報を要求する。サービングセルは、ＭＭＥに、接続するＵＥの識別子を通知して、該ＵＥのアクセス制限情報を要求してもよい。ＭＭＥはサービングセルにＵＥのアクセス制限情報を通知する。本具体例（１）は、ＭＭＥがＵＥのアクセス制限情報を有する場合に適用するようにしてもよい。アクセス制限情報としては、例えば、ＭＭＥ内に保持されるＵＥのＣＳＧ−ＩＤのリストであるＣＳＧリスト（CSG list）などがある。
【０１９７】
サービングセルからＭＭＥにＵＥのアクセス制限情報を要求する方法、およびＭＭＥからサービングセルにＵＥのアクセス制限情報を通知する方法として、Ｓ１シグナリングを用いてもよい。
【０１９８】
サービングセルがＥＳセルのアクセス制限情報を取得する方法について、以下に開示する。サービングセルは、ＥＳセルから、該ＥＳセルのアクセス制限情報を取得する。ＥＳセルは、サービングセルに自セルのアクセス制限情報を通知する。この方法では、アクセス制限情報を取得する対象となるＥＳセルを、ウェイクアップ処理対象ＥＳセルに特定しなくてもよい。
【０１９９】
ＥＳセルがサービングセルにアクセス制限情報を通知する方法は、前述のサービングセルがウェイクアップ処理起動対象ＵＥを認識した後にアクセス制限制御を行う方法で開示した方法と同様であるので、説明を省略する。
【０２００】
サービングセルによるアクセス制限制御について、以下に具体的に開示する。サービングセルは、接続するＵＥのアクセス制限情報と、ＥＳセルのアクセス制限情報とを用いて、アクセス制限制御を行う。具体的には、サービングセルは、接続するＵＥがＥＳセルにアクセス可能か否かを判断する。接続するＵＥのうち、特に、ＥＳセルの検出あるいはＥＳセルのメジャメントを行わせるＵＥとしてもよい。この場合、サービングセルは、接続するＵＥに、ＥＳセルの検出のためのメッセージあるいはＥＳセルのメジャメントのためのメッセージを通知する前に、アクセス制限制御を行う。
【０２０１】
サービングセルによるアクセス制限処理について、以下に開示する。サービングセルは、アクセス制限制御の結果に基づいて、ＥＳセルの検出あるいはＥＳセルのメジャメントを行わせるＵＥに、アクセス可能なＥＳセルを通知する。アクセス可能なＥＳセルの通知には、ＲＲＣシグナリングを用いてもよい。ＲＲＣシグナリングとして、メジャメント制御メッセージで通知してもよい。ＥＳセル検出用のメッセージあるいはＥＳセルメジャメント用のメッセージで通知してもよい。
【０２０２】
サービングセルからアクセス可能ＥＳセルを受信したＵＥは、該ＥＳセルの検出を行う。該ＥＳセルの検出ためのメジャメントを行う、としてもよい。ＵＥは、検出結果、あるいは検出のためのメジャメント結果に従って、ウェイクアップ処理対象ＥＳセルを特定し、該ＥＳセルにウェイクアップ要求を行う。ウェイクアップ要求は、サービングセルを介してもよい。
【０２０３】
ＵＥから、あるいは、ＵＥからサービングセルを介してウェイクアップ要求を受信したＥＳセルは、自セルをスイッチオンする。スイッチオンによって、ＥＳセルは、ドーマント状態からアクティブ状態に移行する。
【０２０４】
このようにサービングセルがウェイクアップ処理起動対象ＵＥを認識する前にアクセス制限制御を行う方法とすることによって、前述のサービングセルがウェイクアップ処理起動対象ＵＥを認識した後にアクセス制限制御を行う方法と同様の効果を得ることができる。
【０２０５】
また、サービングセルは、ＵＥに対して、アクセス不可能なＥＳセルを検出対象あるいはメジャメント対象から外すことが可能となる。これによって、ＵＥは、アクセス不可能なセルを検出あるいはメジャメントすることがなくなり、サービングセルに対してウェイクアップ要求を行うこともない。このようにすることによって、無駄なメジャメント処理および無駄なシグナリングを行わなくて済む。したがって、通信システム全体として、シグナリング量の低減、ならびにＵＥおよびサービングセルの処理負荷の低減、消費電力の低減が可能となる。
【０２０６】
実施の形態１  変形例２．
本変形例では、ＵＥがウェイクアップ処理のアクセス制限制御を行う場合について説明する。前述の実施の形態１では、ＥＳセルがウェイクアップ処理のアクセス制限制御を行うが、本変形例では、ＵＥがウェイクアップ処理のアクセス制限制御を行う。ＵＥがアクセス制限制御を行う方法について、以下に開示する。
【０２０７】
ＵＥがＥＳセルのアクセス制限情報を取得する方法を以下に開示する。ＵＥは、ＥＳセルのアクセス制限情報を取得する。ＥＳセルは、ＵＥに、自セルのアクセス制限情報を通知する。ウェイクアップ処理対象ＥＳセルに特定しなくてもよい。ＥＳセルはサービングセルを介してＵＥに通知してもよい。ＥＳセルはサービングセルへ自セルのアクセス制限情報を通知し、サービングセルはＵＥへ該ＥＳセルのアクセス制限情報を通知する。ＥＳセルは、サービングセルに特定せず、周辺セルへ自セルのアクセス制限情報を通知するとしてもよい。ウェイクアップ処理起動対象ＵＥのサービングセルが、該ＵＥに対してＥＳセルのアクセス制限情報を通知するとよい。
【０２０８】
ＥＳセルからサービングセルあるいは周辺セルへの通知には、Ｘ２シグナリングを用いるとよい。Ｘ２セットアップメッセージに含めてもよい。また、ｅＮＢアップデートメッセージに含めてもよい。他の方法として、ＥＳセルからＭＭＥを介してサービングセルあるいは周辺セルに通知してもよい。Ｓ１シグナリングを用いるとよい。
【０２０９】
サービングセルからＵＥへの通知には、ＲＲＣシグナリングを用いるとよい。メジャメント制御メッセージに含めてもよい。ＥＳセル検出用メッセージあるいはＥＳセルメジャメント用メッセージに含めてもよい。
【０２１０】
ＵＥによるアクセス制限制御について、以下に開示する。ＵＥは、自ＵＥのアクセス制限情報と、ＥＳセルのアクセス制限情報とを用いて、アクセス制限制御を行う。具体的には、ＵＥは、自ＵＥがＥＳセルにアクセス可能か否かを判断する。ＵＥは、ＥＳセルメジャメントあるいはＥＳセルの検出のためのメジャメントを行う前に、アクセス制限制御を行う。ＥＳセルへウェイクアップ要求を通知する前に、アクセス制限制御を行ってもよい。
【０２１１】
ＵＥによるアクセス制限処理について以下に開示する。ＵＥは、アクセス制限制御の結果に基づいて、アクセス可能なＥＳセルを、ＥＳセル検出対象セル、あるいはＥＳセルメジャメント対象セルとする。ＵＥは、アクセス制限制御の結果に基づいて、アクセス不可能なＥＳセルを、ＥＳセル検出対象セル、あるいはＥＳセルメジャメント対象セルとしない。
【０２１２】
ＵＥは、ＥＳセルメジャメント、あるいはＥＳセルの検出のためのメジャメントを行い、その結果に従って、ウェイクアップ処理対象ＥＳセルを特定し、該ＥＳセルにウェイクアップ要求を行う。ＵＥは、サービングセルを介して該ＥＳセルにウェイクアップ要求を行ってもよい。
【０２１３】
ＵＥあるいはサービングセルからウェイクアップ要求を受信したＥＳセルは、自セルをスイッチオンする。スイッチオンによって、ＥＳセルは、ドーマント状態からアクティブ状態に移行する。
【０２１４】
図１０は、実施の形態１の変形例２の通信システムにおけるウェイクアップ処理のシーケンスの一例を示す図である。図１０では、ＵＥがアクセス制限制御を行う場合について示している。
【０２１５】
ステップＳＴ１３０１において、ＥＳセルはドーマント状態にあるとする。
ステップＳＴ１３０２において、ＥＳセルはサービングセルに自セルのアクセス制限情報を通知する。例えば、Ｘ２シグナリングを用いる。ＥＳセルのアクセス制限情報を受信したサービングセルは、ステップＳＴ１３０３において、ＵＥにＥＳセルのアクセス制限情報を通知する。例えば、ＲＲＣシグナリングを用いる。これによって、ＵＥは、ＥＳセルのアクセス制限情報を取得することが可能となる。
【０２１６】
ＥＳセルは、自セルのアクセス制限情報とともに、自セルの識別子を通知してもよい。これによって、ＥＳセルの識別子とアクセス制限情報とを関連付けることが可能となる。したがって、サービングセルは、どのＥＳセルが、どのようなアクセス制限情報を有しているかを認識することが可能となる。
【０２１７】
サービングセルは、ＵＥに、受信したＥＳセルのアクセス制限情報とともに、該ＥＳセルの識別子を通知してもよい。これによって、ＥＳセルの識別子とアクセス制限情報とを関連付けることが可能となる。したがって、ＵＥは、どのＥＳセルが、どのようなアクセス制限情報を有しているかを認識することが可能となる。
【０２１８】
ステップＳＴ１３０４において、ＵＥは、ＥＳセルの検出のためのＤＳのメジャメント（以下「ＤＳメジャメント」という場合がある）、あるいは、ＥＳセルのＤＳメジャメントを行う。
【０２１９】
ステップＳＴ１３０５において、ＵＥは、ステップＳＴ１３０４で検出したＥＳセルのアクセス制限制御を行う。具体的には、ＵＥは、自ＵＥがＥＳセルにアクセス可能か否かを判断する。ＵＥは、ステップＳＴ１３０３で受信したＥＳセルの識別子および該ＥＳセルのアクセス制限情報と、自ＵＥのアクセス制限情報とを用いて、アクセス可能か否かを判断する。本変形例では、ＥＳセルの検出後にアクセス制限制御を行うので、アクセス制限制御を行うＥＳセルを特定することが可能となり、制御を簡略化することができる。
【０２２０】
ＵＥによるアクセス制限制御は、ＥＳセルの検出のためのメジャメントの前、あるいはＥＳセルのメジャメントの前に行ってもよい。この場合は、アクセス不可能なＥＳセルを検出対象、あるいはメジャメント対象から外すことが可能となる。
【０２２１】
ステップＳＴ１３０５において、近傍にアクセス可能なＥＳセルの存在を検出したＵＥは、ステップＳＴ１３０６において、ウェイクアップ要求メッセージをサービングセルに通知する。ウェイクアップ要求メッセージにウェイクアップ処理対象となるＥＳセルの識別子を含めて通知してもよい。これによって、サービングセルは、ウェイクアップ要求を行うＥＳセルを特定することが可能となる。
【０２２２】
ウェイクアップ要求メッセージを受信したサービングセルは、ステップＳＴ１３０７において、ウェイクアップ処理対象ＥＳセルにウェイクアップ要求メッセージを通知する。ウェイクアップ要求メッセージを受信したＥＳセルは、ステップＳＴ１３０８において、自セルをスイッチオンする。スイッチオンによって、ＥＳセルは、ステップＳＴ１３０９においてアクティブ状態に移行する。
【０２２３】
ステップＳＴ１３０５において、ＵＥは、自ＵＥがＥＳセルにアクセス不可能であると判断した場合、ウェイクアップ要求メッセージをサービングセルに通知しない。あるいは、ＵＥは、ウェイクアップ要求メッセージをＥＳセルに通知しない。この場合、ＵＥは、ステップＳＴ１３０４のＤＳメジャメント処理に移行してもよい。
【０２２４】
また、ＵＥは、自ＵＥがＥＳセルにアクセス不可能であると判断した場合、ステップＳＴ１３０３のＥＳセルのアクセス制限情報を待機する処理に移行するようにしてもよい。これは、ＥＳセルのアクセス制限情報が時間的に変更される場合に有効である。ＥＳセルのアクセス制限情報の通知が無く、ＤＳメジャメントでＥＳセルを検出した場合は、ＵＥは、その時点でのＥＳセルのアクセス制限情報を用いてアクセス制限制御を行うとよい。
【０２２５】
本変形例で開示した方法とすることによって、実施の形態１と同様の効果を得ることができる。
【０２２６】
また、本変形例では、ＵＥがアクセス制限制御を行う。これによって、ネットワーク側の制御処理の負荷を低減することが可能となる。したがって、サービングセルおよびＥＳセルの低消費電力化を図ることができる。
【０２２７】
また、ＵＥがアクセス制限制御を行うことによって、ＵＥからネットワーク側に、ＵＥのアクセス制限情報を通知する必要がなくなる。これによって、通信システム全体として、シグナリング量の削減を図ることができる。
【０２２８】
実施の形態１  変形例３．
本変形例では、ＭＭＥがウェイクアップ処理のアクセス制限制御を行う場合について説明する。前述の実施の形態１では、ＥＳセルがウェイクアップ処理のアクセス制限制御を行うが、本変形例では、ＭＭＥがウェイクアップ処理のアクセス制限制御を行う。ＭＭＥがアクセス制限制御を行う方法について、以下に開示する。
【０２２９】
ＭＭＥがＵＥのアクセス制限情報を取得する方法を以下に開示する。ＭＭＥは、ウェイクアップ処理起動対象ＵＥのアクセス制限情報を取得する。アクセス制限情報を取得する対象の具体例として、以下の（１）〜（４）の４つを開示する。
【０２３０】
（１）ＵＥから取得する。
ウェイクアップ処理起動対象ＵＥは、ＭＭＥに自ＵＥのアクセス制限情報を通知する。サービングセルあるいはＥＳセルを介して通知するとよい。ＵＥからＭＭＥへアクセス制限情報を通知する方法として、ＮＡＳメッセージで通知してもよい。
【０２３１】
（２）サービングセルから取得する。
ＵＥは、サービングセルへ自ＵＥのアクセス制限情報を通知する。サービングセルは、ＭＭＥへ、ウェイクアップ処理起動対象ＵＥのアクセス制限情報を通知する。
【０２３２】
ＵＥはサービングセルへ、ＲＲＣシグナリングで通知する。サービングセルへ通知するＲＲＣ接続設立要求メッセージに含めてもよい。サービングセルへ通知するＲＲＣ接続設立完了メッセージに含めてもよい。サービングセルへ通知するＲＲＣ接続再設立要求メッセージに含めてもよい。サービングセルへ通知するＲＲＣ接続再設立完了メッセージに含めてもよい。サービングセルへ通知するメジャメント報告に含めてもよい。
【０２３３】
（３）ＥＳセルから取得する。
ＵＥは、ＥＳセルへ自ＵＥのアクセス制限情報を通知する。サービングセルを介して通知してもよい。ＵＥはサービングセルへ自ＵＥのアクセス制限情報を通知する。サービングセルは、ＥＳセルへ、ウェイクアップ処理起動対象ＵＥのアクセス制限情報を通知する。ＥＳセルは、ＭＭＥへ、ウェイクアップ処理起動対象ＵＥのアクセス制限情報を通知する。
【０２３４】
ＵＥがＥＳセルへアクセス制限情報を通知する方法として、ウェイクアップ処理起動対象ＵＥがＥＳセルへ送信するウェイクアップ信号にＵＥのアクセス制限情報を関連付けて通知してもよい。サービングセルを介して通知する場合は、ＵＥからサービングセルへの通知には、上記具体例（２）の通知方法を用いればよい。サービングセルからＥＳセルへＵＥのアクセス制限情報を通知する方法として、サービングセルからＥＳセルへ通知するウェイクアップ要求メッセージに含めてもよい。Ｘ２シグナリングを用いて通知してもよい。ＥＳセルからＭＭＥへＵＥのアクセス制限情報を通知する方法として、Ｓ１シグナリングで通知するとよい。
【０２３５】
（４）ＭＭＥ自身から取得する。
ＭＭＥがＵＥのアクセス制限情報を保持する。本具体例（４）は、ＭＭＥがＵＥのアクセス制限情報を有する場合に適用するようにしてもよい。例えば、アクセス制限情報としてＣＳＧ関連情報がある。ＭＭＥは、ＵＥのＣＳＧ関連情報、例えばＣＳＧリスト（CSG list）を有する。ＭＭＥは、ＣＳＧ制御を行う場合、自ＭＭＥが有するＵＥのＣＳＧ関連情報を用いてＣＳＧ制御を行うようにしてもよい。
【０２３６】
ＭＭＥは、ウェイクアップ処理起動対象ＵＥの識別子を取得する。ＭＭＥは、ウェイクアップ処理起動対象ＵＥの識別子から該ＵＥのアクセス制限情報を導出するとよい。ウェイクアップ処理起動対象ＵＥの識別子は、ＥＳセルから取得するとよい。ウェイクアップ処理起動対象ＵＥの識別子は、サービングセルから取得してもよい。ウェイクアップ処理起動対象ＵＥの識別子は、該ＵＥ自身から取得してもよい。
【０２３７】
ＭＭＥがＥＳセルのアクセス制限情報を取得する方法を以下に開示する。ＭＭＥは、ＥＳセルのアクセス制限情報を取得する。ＥＳセルは、ＭＭＥに自セルのアクセス制限情報を通知する。ウェイクアップ処理対象ＥＳセルに特定しなくてもよい。
【０２３８】
ＥＳセルからＭＭＥへのアクセス制限情報の通知方法を以下に開示する。Ｓ１シグナリングで通知する。Ｓ１セットアップ処理において通知してもよい。Ｓ１セットアップ要求メッセージに含めてもよい。また、ｅＮＢアップデート処理において通知してもよい。ｅＮＢコンフィグレーションアップデートメッセージに含めてもよい。新たにＳ１メッセージを設けて通知してもよい。
【０２３９】
ＭＭＥがＥＳセルのアクセス制限情報を取得する他の方法として、ＭＭＥは、ウェイクアップ処理対象ＥＳセルにアクセス制限情報を要求してもよい。これによって、ウェイクアップ処理対象ＥＳセルに特定することができる。ウェイクアップ処理対象ＥＳセルは、該要求に応じて、ＭＭＥにアクセス制限情報を通知する。
【０２４０】
ＭＭＥによるアクセス制限制御について、以下に開示する。ＭＭＥは、ウェイクアップ処理起動対象ＵＥのアクセス制限情報と、ウェイクアップ処理対象ＥＳセルのアクセス制限情報とを用いて、アクセス制限制御を行う。具体的には、ＭＭＥは、ウェイクアップ処理起動対象ＵＥがウェイクアップ処理対象ＥＳセルにアクセス可能か否かを判断する。
【０２４１】
アクセス制限制御要求メッセージの受信をトリガとして、アクセス制限制御を行うようにしてもよい。アクセス制限制御要求メッセージは、アクセス制限制御の実行を要求するメッセージであり、ＥＳセルから、あるいは、サービングセルから、ＭＭＥに通知するとよい。
【０２４２】
ＭＭＥでのアクセス制限処理の具体例として、以下の（１）〜（３）の３つを開示する。
【０２４３】
（１）ＭＭＥは、アクセス制限制御結果をＥＳセルに通知する。
ＥＳセルからアクセス制限制御要求メッセージを受信した場合、アクセス制限制御応答メッセージとして、アクセス制限制御結果をＥＳセルに通知するとよい。該通知は、Ｓ１シグナリングで行うとよい。
【０２４４】
ＥＳセルは、ウェイクアップ処理起動対象ＵＥがアクセス可能である場合は、自セルのスイッチオンをする。スイッチオンによって、ＥＳセルは、ドーマント状態からアクティブ状態に移行する。ＥＳセルは、ウェイクアップ処理起動対象ＵＥがアクセス不可能である場合は、自セルのスイッチオンをしない。
【０２４５】
（２）ＭＭＥは、アクセス制限制御結果をサービングセルに通知する。
サービングセルからアクセス制限制御要求メッセージを受信した場合、アクセス制限制御応答メッセージとして、アクセス制限制御結果をサービングセルに通知するとよい。該通知は、Ｓ１シグナリングで行うとよい。
【０２４６】
サービングセルは、ウェイクアップ処理起動対象ＵＥがウェイクアップ処理対象ＥＳセルにアクセス可能である場合は、該ＥＳセルにウェイクアップ要求を通知する。該通知は、Ｘ２シグナリングで行うとよい。
【０２４７】
ウェイクアップ要求を受信したＥＳセルは、自セルのスイッチオンをする。スイッチオンによって、ＥＳセルは、ドーマント状態からアクティブ状態に移行する。
【０２４８】
サービングセルは、ウェイクアップ処理起動対象ＵＥがウェイクアップ処理対象ＥＳセルにアクセス不可能である場合は、該ＥＳセルにウェイクアップ要求を通知しない。
【０２４９】
（３）ＭＭＥは、アクセス制限制御結果に基づいて、ウェイクアップ処理対象ＥＳセルにウェイクアップ要求を行うか否かを決定する。
ＭＭＥは、ウェイクアップ処理起動対象ＵＥがウェイクアップ処理対象ＥＳセルにアクセス可能である場合は、該ＥＳセルにウェイクアップ要求を通知する。ＭＭＥからウェイクアップ要求を受信したＥＳセルは、自セルをスイッチオンする。スイッチオンによって、ＥＳセルは、ドーマント状態からアクティブ状態に移行する。
【０２５０】
ＭＭＥは、ウェイクアップ処理起動対象ＵＥがウェイクアップ処理対象ＥＳセルにアクセス不可能である場合は、該ＥＳセルにウェイクアップ要求を通知しない。
【０２５１】
本具体例（３）では、具体例（１）および具体例（２）と異なり、ＭＭＥが自らウェイクアップ処理対象ＥＳセルにウェイクアップ要求を通知するので、処理の簡略化を図ることができる。したがって、制御遅延の低減を図ることができる。
【０２５２】
拒否処理について、以下に開示する。ＭＭＥからアクセス制限制御結果を受信したＥＳセルは、ウェイクアップ処理起動対象ＵＥがウェイクアップ処理対象ＥＳセルにアクセス不可能である場合、サービングセルに対して拒否メッセージを通知してもよい。また、該ＵＥに対して拒否メッセージを通知してもよい。この方法は、前記（１）の処理に適用することができる。
【０２５３】
ＭＭＥからアクセス制限制御結果を受信したサービングセルは、ウェイクアップ処理起動対象ＵＥがウェイクアップ処理対象ＥＳセルにアクセス不可能である場合、該ＵＥに対して拒否メッセージを通知する。この方法は、前記（２）の処理に適用することができる。
【０２５４】
ＭＭＥは、ウェイクアップ処理起動対象ＵＥがウェイクアップ処理対象ＥＳセルにアクセス不可能である場合、ＥＳセルに対して拒否メッセージを通知する。また、サービングセルに対して拒否メッセージを通知してもよい。また、該ＵＥに対して拒否メッセージを通知してもよい。この方法は、前記（３）の処理に適用することができる。
【０２５５】
図１１は、実施の形態１の変形例３の通信システムにおけるウェイクアップ処理のシーケンスの一例を示す図である。図１１では、ＥＳセルがアクセス制限制御を行う場合において、ＭＭＥがＵＥのアクセス制限情報を有する場合について示している。
【０２５６】
ステップＳＴ１４０１において、ＥＳセルはドーマント状態にあるとする。
ステップＳＴ１４０２およびステップＳＴ１４０３において、ＵＥは、サービングセルを介してドーマント状態のＥＳセルにＵＥの識別子を通知する。具体的には、ステップＳＴ１４０２において、ＵＥは、サービングセルに自ＵＥの識別子を通知する。例えば、ＲＲＣシグナリングを用いる。ＵＥから自ＵＥの識別子を受信したサービングセルは、ステップＳＴ１４０３において、ＥＳセルに、該ＵＥの識別子を通知する。例えば、Ｘ２シグナリングを用いる。これによって、ＥＳセルはＵＥの識別子を取得することが可能となる。
【０２５７】
ステップＳＴ１４０４およびステップＳＴ１４０５において、ＵＥは、サービングセルを介して、ウェイクアップ要求をＥＳセルに対して行う。具体的には、近傍にＥＳセルの存在を検出したＵＥは、ステップＳＴ１４０４において、ウェイクアップ要求メッセージをサービングセルに通知する。該メッセージを受信したサービングセルは、ステップＳＴ１４０５において、ウェイクアップ要求メッセージをＥＳセルに通知する。
【０２５８】
ステップＳＴ１４０４において、ＵＥは、該ウェイクアップ要求メッセージに、検出したＥＳセルの識別子を含めてサービングセルに通知してもよい。サービングセルは、受信したＥＳセルの識別子を用いて、どのＥＳセルにウェイクアップ要求メッセージを通知したらよいかを認識することができる。
【０２５９】
ステップＳＴ１４０４において、ＵＥは、ウェイクアップ要求メッセージにＵＥの識別子を含めてサービングセルに通知してもよい。ステップＳＴ１４０５において、サービングセルは、ウェイクアップ要求メッセージにＵＥの識別子とウェイクアップ処理対象となるＥＳセルの識別子を通知してもよい。ステップＳＴ１４０４、ステップＳＴ１４０５においてＵＥの識別子を通知する場合、ステップＳＴ１４０２、ステップＳＴ１４０３において予めＵＥの識別子を通知しておかなくてもよい。これによって、シグナリング量の削減が可能となる。
【０２６０】
ウェイクアップ要求メッセージを受信したＥＳセルは、ステップＳＴ１４０６において、ＭＭＥに対して、アクセス制限制御要求メッセージを通知する。ＥＳセルは、アクセス制限制御要求メッセージに、ＵＥの識別子と、ＥＳセルのアクセス制限情報とを含めて、ＭＭＥに通知する。
【０２６１】
ＥＳセルのアクセス制限情報の通知は、アクセス制限制御要求メッセージとは異なるシグナリングで行われてもよい。ＥＳセルのアクセス制限情報は、ＥＳセルからＭＭＥに通知する他のメッセージに含めて通知されてもよい。このようにすることによって、アクセス制限情報が設定された場合および、該アクセス制限情報が時間的に変更された場合などのように、アクセス制限制御要求とは別のタイミングでＭＭＥに通知することができるので、柔軟な制御を行うことが可能となる。
【０２６２】
アクセス制限制御要求を受信したＭＭＥは、ステップＳＴ１４０７において、自ＭＭＥに保有するＵＥのアクセス制限情報を用いて、ＵＥの識別子から、該ＵＥのアクセス制限情報を導出する。ＭＭＥは、導出したＵＥのアクセス制限情報と、ＥＳセルから受信したＥＳセルのアクセス制限情報とを用いて、アクセス制限制御を行う。具体的には、ＭＭＥは、該ＵＥが該ＥＳセルにアクセス可能か否かを判断する。
【０２６３】
ＭＭＥは、該ＵＥが該ＥＳセルにアクセス可能である場合は、ステップＳＴ１４０９に移行し、該ＥＳセルに対して、アクセス制限制御応答メッセージを通知する。ステップＳＴ１４０９のアクセス制限制御応答メッセージには、アクセス許可を示す情報を含める。
【０２６４】
ＭＭＥは、該ＵＥが該ＥＳセルにアクセス不可能である場合は、ステップＳＴ１４０８に移行し、該ＥＳセルに対して、アクセス制限制御応答メッセージを通知する。ステップＳＴ１４０８のアクセス制限制御応答メッセージには、アクセス不許可を示す情報を含める。
【０２６５】
ＭＭＥは、ステップＳＴ１４０８でアクセス制限制御応答メッセージを通知した後、ステップＳＴ１４０６のアクセス制限制御要求メッセージを待機する処理に移行する。
【０２６６】
また、アクセス制限制御要求メッセージと、ＥＳセルのアクセス制限情報の通知とが別のシグナリングで行われる場合、ＭＭＥは、ステップＳＴ１４０８でアクセス制限制御応答メッセージを通知した後、アクセス制限制御要求メッセージおよびＥＳセルのアクセス制限情報の通知を待機する処理に移行してもよい。これは、ＥＳセルのアクセス制限情報が時間的に変更される場合に有効である。ＥＳセルのアクセス制限情報の通知が無く、アクセス制限制御要求メッセージを受信した場合は、ＭＭＥは、その時点でのＥＳセルのアクセス制限情報を用いてアクセス制限制御を行うとよい。
【０２６７】
ステップＳＴ１４１０において、ＥＳセルは、ＭＭＥからアクセス制限制御応答メッセージとしてアクセス許可を受信したか否か、すなわちアクセス許可およびアクセス不許可のいずれを受信したかを判断する。
【０２６８】
アクセス許可を受信したと判断された場合、ＥＳセルは、ステップＳＴ１４１３において、自セルをスイッチオンする。スイッチオンによって、ＥＳセルは、ステップＳＴ１４１４においてアクティブ状態に移行する。
【０２６９】
アクセス不許可を受信したと判断された場合、ＥＳセルは、自セルをスイッチオンせず、ステップＳＴ１４０５のウェイクアップウェイクアップ要求メッセージの待機に戻る。
【０２７０】
アクセス不許可を受信したと判断された場合、ＥＳセルは、ステップＳＴ１４１１において、サービングセルに、ウェイクアップ要求メッセージに対する拒否メッセージであるウェイクアップ拒否メッセージを通知してもよい。
【０２７１】
ウェイクアップ拒否メッセージには、ウェイクアップ処理起動対象ＵＥの識別子を含めるとよい。また、ウェイクアップ拒否メッセージには、実施の形態１で示した情報を含ませるとよい。また、自セルの識別子を含めてもよい。これによって、サービングセルは、どのＵＥが、アクセス制限制御によりアクセスを拒否されたかを認識することが可能となる。また、何の理由でアクセスを拒否されたかを認識することが可能となる。また、どのＥＳセルからアクセスを拒否されたかを認識することが可能となる。
【０２７２】
ステップＳＴ１４１２において、サービングセルは、該ＵＥに対して、ウェイクアップ拒否メッセージを通知することによって、アクセス制限制御によりアクセスが拒否されたことを通知してもよい。ウェイクアップ拒否メッセージには前述の情報を含ませるとよい。また、アクセス制限制御を行ったＥＳセルの識別子を含めてもよい。これによって、ＵＥは、アクセス制限制御によりアクセスが拒否されたことを認識することが可能となる。また、何の理由でアクセスを拒否されたかを認識することが可能となる。また、どのＥＳセルからアクセスを拒否されたかを認識することが可能となる。
【０２７３】
ウェイクアップ拒否メッセージに待機タイマ情報を含めた場合、例えば、待機タイマで設定された時間、該ＥＳセルへのウェイクアップ処理の起動を禁止すると予め決めておくことで、該待機タイマの待機タイマ情報を受信したＵＥは、該待機タイマで設定された期間、たとえ再度該ＥＳセルの近傍に位置して該ＥＳセルを検出したとしても、該ＥＳセルへウェイクアップ要求を行わないようにすることができる。これによって、無駄なシグナリングを行わなくて済む。したがって、通信システム全体として、シグナリング量の低減、ならびにＵＥ、サービングセルおよびＥＳセルの処理負荷の低減、消費電力の低減が可能となる。
【０２７４】
あるいは、待機タイマで設定された時間、該ＥＳセルのメジャメントを行わないことを許可すると予め決めておく。該待機タイマの待機タイマ情報を受信したＵＥは、該待機タイマで設定された期間、該ＥＳセルをメジャメント対象から外すことができる。これによって、アクセス不可能な該ＥＳセルを検出することはなく、ウェイクアップ要求も行うことはない。このようにすることによって、無駄なメジャメント処理および無駄なシグナリングを行わなくて済む。したがって、通信システム全体として、シグナリング量の低減、ならびにＵＥ、サービングセルおよびＥＳセルの処理負荷の低減、消費電力の低減が可能となる。
【０２７５】
本変形例で開示した方法とすることによって、実施の形態１と同様の効果を得ることができる。
【０２７６】
また、本変形例では、ＭＭＥがアクセス制限制御を行う。これによって、ＵＥ、サービングセルおよびＥＳセルのＲＡＮ側の制御処理の負荷を低減することが可能となる。したがって、サービングセルおよびＥＳセルの低消費電力化を図ることができる。
【０２７７】
また、ＭＭＥがアクセス制限制御を行うことによって、ＵＥからＥＳセルへＵＥのアクセス制限情報を通知する必要がない。したがって、通信システム全体としてのシグナリング量の低減を図ることができる。
【０２７８】
また、ＭＭＥがアクセス制限制御を行うことによって、ＭＭＥがアクセス制限情報を保有する場合に適用することができ、該アクセス制限制御情報をＭＭＥから他ノードに通知する必要がなくなる。したがって、通信システム全体として、シグナリング量の低減が可能となる。
【０２７９】
以上の実施の形態１から実施の形態１の変形例３では、ドーマント状態のＥＳセルのウェイクアップ処理においてアクセス制限を行う方法を開示している。この方法を用いる場合、ＥＳセルが通常動作状態に移行した後に、ウェイクアップ処理起動対象ＵＥが該ＥＳセルにアクセス処理を行うときの、従来のアクセス制限を省略してもよい。これは、該ＥＳセルのウェイクアップ処理においてウェイクアップ処理起動対象ＵＥのアクセス制限は行われているので、スイッチオンされて通常動作状態に移行したＥＳセルへのウェイクアップ処理起動対象ＵＥのアクセスは許可されているためである。このようにすることによって、従来のアクセス制限を行うノードの制御処理量を削減することが可能となる。したがって、制御遅延の削減、および該ノードの消費電力の削減が可能となる。
【０２８０】
あるいは、ＥＳセルが通常動作状態に移行した後に、ウェイクアップ処理起動対象ＵＥが該ＥＳセルにアクセス処理を行うときの、従来のアクセス制限を行うようにしてもよい。このようにウェイクアップ処理時のアクセス制限と二重のアクセス制限を行うことによって、誤動作を防止することができる。
【０２８１】
これらは、通信システムとしての要求に従い、適宜適用されるとよい。予め通信システムとして決めておくとよい。
【０２８２】
実施の形態２．
本実施の形態では、アクセス制限制御を行う方法について、アクセス制限がＥＡＢの場合の具体例を開示する。
【０２８３】
従来のアクセス制限のうち、ＥＡＢ（Extended Access Class Barring）およびＡＣＢ（Access Class Barring）（以下「ＥＡＢ／ＡＣＢ」という場合がある）では、ＵＥがアクセス制限制御を行う。しかし、ＥＳセルがドーマント状態の場合、該ＥＳセルはシステム情報を報知しない。したがって、ＵＥが報知されるシステム情報を受信して判断する従来のアクセス制限制御の方法を用いることはできない。
【０２８４】
ここでは、ドーマント状態のＥＳセルをウェイクアップするウェイクアップ処理において、ＥＡＢ制御を行う方法を開示する。
【０２８５】
図１２は、実施の形態２の通信システムにおけるウェイクアップ処理のシーケンスの一例を示す図である。図１２では、ウェイクアップ処理において、ＥＳセルがＵＥのＥＡＢ用アクセスクラス（ＡＣ）によるアクセス制限制御を行う場合について示す。また、ＵＥがサービングセルへＤＳメジャメント報告を行い、該メジャメント報告を受信したサービングセルがＥＳセルへウェイクアップメッセージを送信する場合について示す。
【０２８６】
ステップＳＴ１５０１において、ＥＳセルはドーマント状態にあるとする。
ステップＳＴ１５０２において、ＵＥは、ＥＳセルのＤＳメジャメントを行う。ＥＳセルの検出のためのＤＳメジャメントを行ってもよい。サービングセルは、ＵＥに対して、予め、ＤＳメジャメントを行わせるＥＳセルのＤＳ構成を通知しておく。この通知メッセージをメジャメント制御メッセージと称する。ＥＳセルの識別子とＤＳ構成とを関連付けて通知してもよい。ＵＥは、該ＤＳ構成を用いて、ＤＳメジャメントを行う。
【０２８７】
メジャメント制御メッセージに、ＥＳセルが、ドーマント状態であるか、またはアクティブ状態であるかの情報を含めてもよい。これによって、ＵＥは、ドーマント状態のＥＳセルのみＤＳメジャメントを行うようにすることができる。また、メジャメント制御メッセージに、ＤＳメジャメントがＥＳセルのウェイクアップ用か否かの情報を含めてもよい。これによって、ＵＥは、ウェイクアップ用のみのＤＳメジャメントを行うようにすることができる。
【０２８８】
サービングセルは、予め、ＥＳセルがドーマント状態であるか、またはアクティブ状態であるかの情報を取得しておくとよい。
【０２８９】
ＥＳセルがサービングセルに、ドーマント状態であるか、またはアクティブ状態であるかの情報を通知する方法について、以下に開示する。ＥＳセルから周辺セルに通知する。Ｘ２シグナリングを用いて通知するとよい。具体的には、Ｘ２セットアップ処理において通知してもよい。Ｘ２セットアップ要求メッセージに含めてもよい。また、ｅＮＢアップデート処理において通知してもよい。ｅＮＢコンフィグレーションアップデートメッセージに含めてもよい。新たにＸ２メッセージを設けて通知してもよい。
【０２９０】
他の方法として、ＥＳセルからＭＭＥを介して周辺セルに通知してもよい。Ｓ１シグナリングを用いて通知するとよい。
【０２９１】
また、ＵＥにおけるＤＳメジャメントがドーマント状態のＥＳセルに限定されない場合、メジャメント報告に、報告対象となるＥＳセルがドーマント状態であるか、またはアクティブ状態であるかを示す情報を含めてもよい。これによって、サービングセルは、メジャメント報告で通知されたＥＳセルがドーマント状態であるか、またはアクティブ状態であるかを明確に認識することが可能となり、誤動作を防ぐことができる。
【０２９２】
サービングセルは、予め、周辺セルがＥＳセルか否かの情報を取得しておくとよい。セルは、周辺セルに、自セルがＥＳセルか否かの情報を通知する。Ｘ２シグナリングを用いて通知するとよい。具体的には、Ｘ２セットアップ処理において通知してもよい。Ｘ２セットアップ要求メッセージに含めてもよい。また、ｅＮＢアップデート処理において通知してもよい。ｅＮＢコンフィグレーションアップデートメッセージに含めてもよい。新たにＸ２メッセージを設けて通知してもよい。
【０２９３】
他の方法として、ＥＳセルからＭＭＥを介して周辺セルに通知してもよい。Ｓ１シグナリングを用いて通知するとよい。
【０２９４】
これは、全てのセルがＥＳセルではない場合に有効である。サービングセルは、メジャメント制御メッセージで、メジャメント対象とするセルにＥＳセルを設定することが可能となる。
【０２９５】
サービングセルは、予め、ＥＳセルに関する情報を取得しておくとよい。前述の情報を組合せてＥＳセルに関する情報とするとよい。例えば、セルは、周辺セルに、セルの識別子と、ＥＳセルか否かの情報、ウェイクアップ信号構成情報などを組合せて関連付けて通知するとよい。セルがＥＳセルである場合には、セルは、例えば、セルの識別子と、ＥＳセルか否かの情報、ドーマント状態であるか、またはアクティブ状態であるかの情報、ＤＳ構成情報、ウェイクアップ信号構成情報などを組合せて関連付けて、周辺セルに通知するとよい。
【０２９６】
ＵＥは、検出したＤＳの受信品質を測定する。受信品質は、受信電力であってもよい。受信品質としては、ＲＳＲＱ（Reference Signal Received Quality）、ＲＳＲＰ（Reference Signal Received Power）などがある。ＤＳの受信品質が予め定めるクライテリアを満たした場合、ＵＥは、サービングセルにメジャメント報告を通知する。
【０２９７】
ステップＳＴ１５０３において、ＵＥは、サービングセルに対して、ＤＳのメジャメント報告を行う。該メジャメント報告に含める情報の具体例として、以下の（１）〜（７）の７つを開示する。
（１）ＵＥのアクセス制限情報。ここでは、ＥＡＢ用ＡＣ情報。
（２）ＵＥの識別子。ＵＥのＥＡＢ用ＡＣ情報と関連付けてもよい。
（３）予め定めるクライテリアの識別子（イベント）。
（４）ＥＳセルのＤＳ受信品質。
（５）ＥＳセルのＤＳ受信電力。
（６）ＥＳセルの識別子。予め定めるクライテリアの識別子、ＥＳセルのＤＳ受信品質、ＤＳ受信電力と関連付けてもよい。
（７）前記（１）〜（６）の組合せ。
【０２９８】
前記具体例（１），（２）の情報をサービングセルに通知することによって、サービングセルは、ウェイクアップ処理起動対象ＵＥの識別子、および、該ＵＥのアクセス制限情報を認識することが可能となる。
【０２９９】
また、前記具体例（６）の情報をサービングセルに通知することによって、どのＥＳセルがウェイクアップ処理対象であるかを、サービングセルは認識することが可能となる。
【０３００】
ここでは、ＵＥがサービングセルに自ＵＥのアクセス制限情報を通知する方法を開示した。他の方法として、サービングセルは、ＵＥに対してアクセス制御に関する情報を要求してもよい。該要求のためのメッセージは、ＲＲＣシグナリングで通知してもよい。該要求を示す情報をメジャメント制御メッセージに含めて通知してもよい。要求内容は、ＥＳセルのメジャメント報告の場合、自ＵＥのアクセス制限情報を含めることとするとよい。あるいは、要求情報を複数ビットで構成し、アクセス制限情報の種類を指定できるようにしてもよい。
【０３０１】
ＵＥは、該要求に応じて、ＥＳセルに、自ＵＥのアクセス制御に関する情報を通知する。ＵＥは、該要求に応じて、サービングセルに、自ＵＥのアクセス制御に関する情報を通知してもよい。該通知には、ＲＲＣシグナリングを用いてもよい。メジャメント報告で通知してもよい。要求情報をメジャメント制御メッセージに含ませた場合に適用することによって、制御を簡易にすることができる。
【０３０２】
ＵＥからＤＳメジャメント報告を受信したサービングセルは、メジャメント報告に含まれるＥＳセルの識別子から、該ＥＳセルをウェイクアップ処理対象ＥＳセルとして、ステップＳＴ１５０４において、該ウェイクアップ処理対象ＥＳセルにウェイクアップ要求メッセージを通知する。このメッセージは、Ｘ２シグナリングで通知してもよい。
【０３０３】
ＵＥがドーマント状態に限らず、アクティブ状態のＥＳセルに対してもＤＳメジャメントを行う場合、サービングセルが該ＵＥからメジャメント報告によって通知されたＥＳセルには、ドーマント状態のＥＳセルとアクティブ状態のＥＳセルとが存在する。
【０３０４】
サービングセルは、メジャメント報告に含まれるＥＳセルの識別子から、該ＥＳセルがドーマント状態であるか、またはアクティブ状態であるかを判断してもよい。該ＥＳセルがドーマント状態のである場合に、該ＥＳセルをウェイクアップ処理対象ＥＳセルとして、ウェイクアップ要求メッセージを該ＥＳセルに通知する。サービングセルが、ＥＳセルがドーマント状態であるか、またはアクティブ状態であるかの情報を取得する方法としては、前述の方法を適用すればよい。
【０３０５】
サービングセルは、ＤＳメジャメント報告に含まれる情報と、自セルが保有する他の情報とを用いて、ＥＳセルをウェイクアップするかどうか判断してもよい。ウェイクアップする場合、ウェイクアップ処理対象ＥＳセルにウェイクアップ要求を通知する。ウェイクアップしない場合、ウェイクアップ処理対象ＥＳセルにウェイクアップ要求メッセージを通知しない。この場合、サービングセルは、ＵＥに対して、メジャメント制御メッセージでメジャメントさせるＥＳセルを再設定して通知してもよい。
【０３０６】
ウェイクアップ要求メッセージに含める情報の具体例として、以下の（１）〜（５）の５つを開示する。
（１）ＵＥのアクセス制限情報。ここでは、ＥＡＢ用ＡＣ。
（２）ＵＥの識別子。メジャメント報告を行ったＵＥの識別子。ＵＥのＥＡＢ用ＡＣ情報と関連付けてもよい。
（３）ＵＥのＰＬＭＮ情報。
（４）サービングセルの識別子。
（５）前記（１）〜（４）の組合せ。
【０３０７】
前記具体例（１），（２）の情報をＥＳセルに通知することによって、ＥＳセルは、ウェイクアップ処理起動対象ＵＥの識別子、および、該ＵＥのアクセス制限情報を認識することが可能となる。
【０３０８】
ステップＳＴ１５０４においてウェイクアップ要求メッセージを受信したＥＳセルは、ステップＳＴ１５０５において、ＥＡＢ制御でアクセス制限制御を行う。具体的には、ＥＳセルは、ステップＳＴ１５０５において、ウェイクアップ処理を起動したＵＥの識別子と、該識別子に関連付けられたＥＡＢ用ＡＣ情報と、自セルのＥＡＢ用アクセスクラスに対するアクセス制限設定情報とを用いて、ウェイクアップ処理起動対象ＵＥが自セルにアクセス可能か否かを判断する。アクセス可能か否かの判断に、ＵＥのＰＬＭＮ情報など、ウェイクアップ要求メッセージに含まれる他の情報を用いてもよい。
【０３０９】
ＥＳセルは、ステップＳＴ１５０５で行ったアクセス制限制御の結果、ウェイクアップ処理を起動したＵＥが自セルにアクセス可能である場合は、ステップＳＴ１５０８に移行して、自セルをスイッチオンする。ＥＳセルは、スイッチオンによって、ステップＳＴ１５０９において、ドーマント状態からアクティブ状態に移行する。
【０３１０】
ＥＳセルは、ステップＳＴ１５０５で行ったアクセス制限制御の結果、ウェイクアップ処理を起動したＵＥが自セルにアクセス不可能である場合は、自セルをスイッチオンしない。ステップＳＴ１５０４のウェイクアップメッセージを待機する処理に戻るとよい。
【０３１１】
ＥＳセルは、ウェイクアップ処理を起動したＵＥが自セルにアクセス不可能と判断した場合、ウェイクアップ処理を起動したサービングセルに対して、ウェイクアップ拒否メッセージを通知してもよい。ステップＳＴ１５０６において、ＥＳセルは、ウェイクアップ要求を通知してきたサービングセルに対して、ウェイクアップ拒否メッセージを通知する。
【０３１２】
ウェイクアップ拒否メッセージは、ウェイクアップ要求が拒否されたことを示す。ウェイクアップ拒否メッセージに、原因情報、または、待機タイマ情報を含めてもよい。原因情報として、アクセス制限によることを示す情報としてもよい。ここでは、ＥＡＢによるアクセス制限であることを示すとよい。
【０３１３】
待機タイマ情報を受信したサービングセルは、待機タイマで設定された時間、該ＥＳセルへのウェイクアップ要求の通知を禁止するとしてもよい。または、待機タイマで設定された時間、該ＥＳセルを傘下のＵＥにメジャメントさせないよう設定してもよい。待機タイマで設定された時間満了後、サービングセルは、該ＥＳセルを傘下のＵＥにメジャメントさせるよう設定することを可能としてもよい。
【０３１４】
ウェイクアップ拒否メッセージを受信したサービングセルは、ウェイクアップ処理起動対象ＵＥに、ウェイクアップ拒否メッセージを通知してもよい。この場合、ステップＳＴ１５０７において、サービングセルは、ＵＥに対して、ウェイクアップ拒否メッセージを通知する。ウェイクアップ拒否メッセージは、ウェイクアップ処理対象ＥＳセルにアクセスできないことを示す。該ＥＳセルをウェイクアップできないことを示してもよい。ステップＳＴ１５０７において、ウェイクアップ拒否メッセージを受信したＵＥは、該ＥＳセルのメジャメントを行わないとしてもよい。あるいは、メジャメント報告を行わないとしてもよい。
【０３１５】
ウェイクアップ拒否メッセージに、原因情報、または、待機タイマ情報を含めてもよい。原因情報として、アクセス制限によることを示す情報としてもよい。ここでは、ＥＡＢによるアクセス制限であることを示すとよい。
【０３１６】
待機タイマ情報を受信したＵＥは、待機タイマで設定された時間、該ＥＳセルのメジャメントを行わないとしてもよい。または、待機タイマで設定された時間、該ＥＳセルのメジャメント報告を行わないとしてもよい。
【０３１７】
ウェイクアップ拒否メッセージを受信したサービングセルは、ウェイクアップ処理起動対象ＵＥにメジャメントさせるＥＳセルの再設定を行ってもよい。アクセス制限されたＥＳセルのメジャメントを行わないように設定してもよい。再度メジャメント制御メッセージで通知するとよい。メジャメント制御メッセージで、該ＥＳセルを設定しないようにするとよい。あるいは、メジャメント制御メッセージで、ブラックリスト（black list）に該ＥＳセルを設定して通知してもよい。あるいは、メジャメント制御メッセージで、グレイリスト（gray list）に該ＥＳセルを設定して通知してもよい。
【０３１８】
本実施の形態で開示した方法とすることによって、システム情報を報知しないドーマント状態のＥＳセルに対するウェイクアップ処理に、ＥＡＢによるアクセス制限を導入することが可能となる。ＥＳセルによるＥＡＢ制御によって、アクセス権の無いＵＥからのウェイクアップ処理を制限できるようになるので、ドーマント状態のＥＳセルは、無駄なスイッチオンをしなくて済む。すなわち、実施の形態１と同様の効果を得ることができる。
【０３１９】
実施の形態２  変形例１．
本変形例では、アクセス制限制御を行う方法について、アクセス制限がＥＡＢの場合の他の具体例を開示する。
【０３２０】
図１３は、実施の形態２の変形例１の通信システムにおけるウェイクアップ処理のシーケンスの一例を示す図である。図１３では、ウェイクアップ処理において、サービングセルがＵＥのＥＡＢ用ＡＣによるアクセス制限制御を行う場合について示す。また、ＵＥがサービングセルへＤＳメジャメント報告を行い、該メジャメント報告を受信したサービングセルがＥＳセルへウェイクアップメッセージを送信する場合について示す。
【０３２１】
サービングセルは、メジャメント制御メッセージをＵＥに通知した後にアクセス制御を行う。図１３では、サービングセルは、ＵＥからのＤＳメジャメント報告をトリガとしてアクセス制限制御を行う。
【０３２２】
ステップＳＴ１６０１において、ＥＳセルはドーマント状態にあるとする。
サービングセルはＥＳセルのアクセス制限情報を取得する。ステップＳＴ１６０２において、ＥＳセルは、サービングセルに自セルのシステム情報を通知する。ＳＩＢを通知してもよい。ＥＡＢアクセス制限情報はＳＩＢ１５に含まれるので、ＳＩＢ１５を通知してもよい。あるいは、システム情報ではなく、ＥＡＢアクセス制限に関する情報に限定して通知するとしてもよい。これによって、通知する情報量を削減することができる。
【０３２３】
ＥＳセルは、自セルの識別子を併せて通知してもよい。自セルの識別子とＥＡＢアクセス制限情報とを関連付けてサービングセルに通知してもよい。
【０３２４】
該通知はＸ２シグナリングで通知するとよい。Ｘ２セットアップ要求メッセージとしてもよい。ＥＳセルは設置時に周辺セルにＸ２セットアップ要求メッセージを通知する。これに含めることで、シグナリング量の削減を図ることができる。また、新たなメッセージを設ける必要がなく、制御を簡易にできる。あるいは、ｅＮＢコンフィグレーションアップデートメッセージとしてもよい。例えば、ＥＳセルのアクセス制限情報が変更された場合に、該メッセージにアクセス制限情報を含めて通知するとよい。これによって、シグナリング量の削減が図れる。また、新たなメッセージを設ける必要がなく、制御を簡易にできる。
【０３２５】
ステップＳＴ１６０２のＥＡＢアクセス制限情報の通知は、ＥＳセルがドーマント状態に入る前に行われてもよい。前述した、ＥＳセル設置時、あるいは、ドーマント状態に入る前のアクティブ状態のときに、ＥＳセルは周辺セルに自セルのＥＡＢアクセス制限情報を通知してもよい。これによって、サービングセルはＥＳセルのアクセス制限情報を取得することができる。
【０３２６】
ステップＳＴ１６０３において、ＵＥは、ＥＳセルのＤＳメジャメントを行う。ＥＳセルの検出のためのＤＳメジャメントを行ってもよい。これは、実施の形態２で開示した方法と同様であるので、説明を省略する。
【０３２７】
ステップＳＴ１６０４において、ＵＥは、サービングセルに対して、ＤＳのメジャメント報告を行う。これは、実施の形態２で開示した方法と同様であるので、説明を省略する。
【０３２８】
サービングセルは、ステップＳＴ１６０４において、該ＵＥの識別子と、該識別子に関連付けられたＥＡＢ用ＡＣ情報と、該ＥＳセルの識別子とを受信する。該ＵＥをウェイクアップ処理起動対象ＵＥとし、メジャメント報告対象のＥＳセルをウェイクアップ起動対象ＥＳセルとする。
【０３２９】
サービングセルは、ステップＳＴ１６０５において、該ＥＳセルの識別子と、ステップＳＴ１６０２で受信したＥＳセルのＥＡＢアクセス制限情報とを用いて、該ＥＳセルのＥＡＢアクセス制限情報を導出する。
【０３３０】
サービングセルは、ステップＳＴ１６０５において、ウェイクアップ処理起動対象ＵＥのＥＡＢアクセス制限情報と、ウェイクアップ処理対象ＥＳセルのＥＡＢアクセス制限情報とを用いて、ＥＡＢ制御でアクセス制限制御を行う。具体的には、サービングセルは、ウェイクアップ処理起動対象ＵＥがウェイクアップ処理対象ＥＳセルにアクセス可能か否かを判断する。
【０３３１】
サービングセルは、ステップＳＴ１６０５で行ったアクセス制限制御の結果、ウェイクアップ処理起動対象ＵＥがウェイクアップ処理対象ＥＳセルにアクセス可能である場合は、ステップＳＴ１６０７に移行して、該ＥＳセルにウェイクアップ要求メッセージを通知する。このウェイクアップ要求メッセージはＸ２シグナリングで行うとよい。
【０３３２】
サービングセルは、ステップＳＴ１６０５で行ったアクセス制限制御の結果、ウェイクアップ処理起動対象ＵＥがウェイクアップ処理対象ＥＳセルにアクセス不可能である場合は、ＥＳセルにウェイクアップ要求メッセージを通知しない。この場合、ステップＳＴ１６０４のＵＥからのＤＳメジャメント報告を待機する処理に戻るとよい。
【０３３３】
ステップＳＴ１６０７でウェイクアップ要求メッセージを受信したＥＳセルは、ステップＳＴ１６０８において、自セルをスイッチオンする。これによって、ＥＳセルは、ステップＳＴ１６０９において、ドーマント状態からアクティブ状態に移行する。
【０３３４】
ステップＳＴ１６０７のウェイクアップ要求メッセージに、ウェイクアップ処理対象ＥＳセルの識別子を含めてもよい。これによって、ＥＳセルは、自セル宛のウェイクアップメッセージか否かを確認できるので、誤動作を防ぐことが可能となる。また、ウェイクアップ要求メッセージに、該サービングセルの識別子を含めてもよい。例えば、ＥＳセルがスイッチオンした後、あるいはアクティブ状態に移行した後に、該サービングセルにウェイクアップ処理完了メッセージを通知してもよい。そのときに、サービングセルの識別子を用いることができる。
【０３３５】
サービングセルは、ウェイクアップ処理を起動したＵＥが、ウェイクアップ処理対象ＥＳセルにアクセス不可能と判断した場合、ウェイクアップ処理起動対象ＵＥに対して、ウェイクアップ要求拒否メッセージを通知してもよい。この場合、ステップＳＴ１６０６において、サービングセルは、ウェイクアップ要求を通知してきたＵＥに対して、ウェイクアップ拒否メッセージを通知する。
【０３３６】
ウェイクアップ拒否メッセージを受信したＵＥの処理については、実施の形態２で開示した処理と同様であるので、説明を省略する。
【０３３７】
サービングセルは、ウェイクアップ処理を起動したＵＥが、ウェイクアップ処理対象ＥＳセルにアクセス不可能と判断した場合、ウェイクアップ処理起動対象ＵＥにメジャメントさせるＥＳセルの再設定を行ってもよい。再設定については、実施の形態２で開示した方法と同様であるので、説明を省略する。
【０３３８】
本変形例で開示した方法とすることによって、システム情報を報知しないドーマント状態のＥＳセルに対するウェイクアップ処理に、ＥＡＢによるアクセス制限を導入することが可能となる。具体的には、ウェイクアップ処理起動対象ＵＥを、サービングセルによって、ＥＡＢ制御することができる。これによって、ウェイクアップ処理対象ＥＳセルにアクセス権の無いＵＥからのウェイクアップ処理を制限できるようになるので、ドーマント状態のＥＳセルは、無駄なスイッチオンをしなくて済む。したがって、実施の形態１の変形例１と同様の効果を得ることができる。
【０３３９】
実施の形態２  変形例２．
本変形例では、アクセス制限制御を行う方法について、アクセス制限がＥＡＢの場合の他の具体例を開示する。
【０３４０】
図１４は、実施の形態２の変形例２の通信システムにおけるウェイクアップ処理のシーケンスの一例を示す図である。図１４では、ウェイクアップ処理において、サービングセルがＵＥのＥＡＢ用ＡＣによるアクセス制限制御を行う場合について示す。また、ＵＥがサービングセルへＤＳメジャメント報告を行い、該メジャメント報告を受信したサービングセルがＥＳセルへウェイクアップメッセージを送信する場合について示す。
【０３４１】
サービングセルは、メジャメント制御メッセージをＵＥに通知する前にアクセス制御を行う。図１４では、サービングセルは、ＵＥからのＲＲＣ接続設立要求をトリガとしてアクセス制限制御を行う。
【０３４２】
ステップＳＴ１７０１において、ＥＳセルはドーマント状態にあるとする。
サービングセルはＥＳセルのアクセス制限情報を取得する。ステップＳＴ１７０２において、ＥＳセルは、サービングセルに自セルのシステム情報を通知する。これは、実施の形態２の変形例１で開示した方法と同様であるので、説明を省略する。
【０３４３】
サービングセルはＵＥのアクセス制限情報を取得する。ステップＳＴ１７０３において、ＵＥはサービングセルに自ＵＥのＥＡＢ用ＡＣ情報を通知する。ＵＥは、アクセス制限情報を、ＲＲＣシグナリングでサービングセルに通知してもよい。ＲＲＣシグナリングとして、ＲＲＣ接続設立処理において通知してもよい。例えば、ＲＲＣ接続設立要求メッセージに含めて通知してもよいし、ＲＲＣ接続設立完了メッセージに含めて通知してもよい。あるいは、ＲＲＣ接続再設立処理において通知してもよい。例えば、ＲＲＣ接続再設立要求メッセージに含めて通知してもよいし、ＲＲＣ接続再設立完了メッセージに含めて通知してもよい。
【０３４４】
ＵＥは、アクセス制限情報とともに自ＵＥの識別子を関連付けて通知してもよい。これによって、サービングセルは、どのＵＥが、どのアクセス制限情報を有するかを認識することが可能となる。
【０３４５】
ここでは、ＵＥがサービングセルに自ＵＥのアクセス制限情報を通知する方法を開示している。他の方法として、サービングセルは、ＵＥに対してアクセス制御に関する情報を要求してもよい。該要求のためのメッセージは、ＲＲＣシグナリングで通知してもよい。該要求を示す情報をＲＲＣ接続設立において通知してもよい。要求内容は、サービングセルに対して自ＵＥのＥＡＢ用ＡＣを送信すること、とするとよい。あるいは、要求情報を複数ビットで構成し、アクセス制限情報の種類を指定できるようにしておいてもよい。
【０３４６】
ＵＥは、該要求に応じて、サービングセルに、自ＵＥのアクセス制御に関する情報を通知してもよい。ＲＲＣシグナリングで通知してもよい。ＲＲＣ接続設立処理において通知してもよい。
【０３４７】
要求情報をＲＲＣ接続設立処理において通知することによって、制御を簡易にすることができる。例えば、サービングセルは、アクセス制御に関する情報の要求を、ＵＥのＲＲＣ接続設立要求に対するＲＲＣ接続設立許可メッセージに含めてＵＥに通知する。該メッセージを受信したＵＥは、ＲＲＣ接続設立完了メッセージに、自ＵＥのアクセス制御に関する情報を通知する。これによって、サービングセルは、ＵＥに対して、アクセス制限情報を要求することができるので、適宜、必要に応じてＵＥのアクセス制限情報を取得することが可能となる。
【０３４８】
ステップＳＴ１７０４において、サービングセルは、ＲＲＣ接続しているＵＥのＥＡＢ用ＡＣ情報と、ＥＳセルのＥＡＢ用ＡＣ情報とを用いて、ＥＡＢ制御でアクセス制限制御を行う。例えば、ＵＥ毎にアクセス可能なＥＳセル、または、アクセス不可能なＥＳセルを導出するとよい。ＵＥとアクセス可能なＥＳセルのリスト、または、ＵＥとアクセス不可能なＥＳセルのリストを作成して記憶してもよい。サービングセルは、ＵＥからアクセス制限情報を取得したことをトリガとしてアクセス制限制御を行ってもよい。
【０３４９】
サービングセルは、予め定めるＵＥに対するＥＳセルのＤＳメジャメントあるいはＥＳセルの検出のためのＤＳメジャメントを設定するときに、アクセス制限制御を行ってもよい。この場合、例えば、ステップＳＴ１７０４において、該ＵＥのＥＡＢ用ＡＣ情報と、ＥＳセルのＥＡＢ用ＡＣ情報とを用いて、ＥＡＢ制御でアクセス制限制御を行う。
【０３５０】
該ＵＥがアクセス可能なＥＳセルの場合、サービングセルは、該ＥＳセルをメジャメント対象のＥＳセルとして設定する。該ＵＥがアクセス不可能なＥＳセルの場合、サービングセルは、ステップＳＴ１７０５において、該ＥＳセルをメジャメント対象のセルから除外する。このアクセス制限制御に前述のリストを用いてもよい。
【０３５１】
ステップＳＴ１７０６において、サービングセルはＵＥにメジャメント制御メッセージを通知する。サービングセルは、該メッセージ中で、ＵＥがアクセス可能なＥＳセルをメジャメントセルとして設定する。メジャメントセルの設定は、セル識別子を用いて行うとよい。
【０３５２】
メジャメント制御メッセージには、メジャメントセルの設定として、ＥＳセルのＤＳの構成を含めてもよい。また、ＥＳセルのウェイクアップ信号構成を含めてもよい。これらを、セル識別子と関連付けておくとよい。
【０３５３】
ＤＳ構成、あるいはウェイクアップ信号構成は、ＥＳセル個別であってもよいし、共通であってもよいし、クラスタ毎であってもよい。クラスタ毎の場合、クラスタの識別子を併せて通知してもよい。また、ＤＳには、セル個別識別子によるシーケンスを用いてもよい。
【０３５４】
ウェイクアップ信号構成は、ＵＥからＥＳセルへウェイクアップ信号を送信する場合に用いるとよい。あるいは、ウェイクアップ信号構成は、ＵＥからＥＳセルへウェイクアップ信号を送信する場合に通知するとしてもよい。
【０３５５】
このようにすることによって、サービングセルは、ＵＥに対して、該ＵＥがアクセス不可能なＥＳセルをメジャメントセルとして設定しないようにすることができる。
【０３５６】
ステップＳＴ１７０７において、ＵＥは、メジャメントセルとして設定されたＥＳセルのＤＳメジャメントを行う。該ＥＳセルの検出のためのＤＳメジャメントを行ってもよい。これは、実施の形態２で開示した方法と同様であるので、説明を省略する。
【０３５７】
ステップＳＴ１７０８において、ＵＥは、サービングセルに対して、ＤＳのメジャメント報告を行う。これは、実施の形態２で開示した方法と同様であるので、説明を省略する。
【０３５８】
サービングセルは、ステップＳＴ１７０８において、メジャメント報告対象のＥＳセルの識別子を受信する。ステップＳＴ１７０９において、サービングセルは、該ＥＳセルにウェイクアップ要求メッセージを通知する。このウェイクアップ要求メッセージはＸ２シグナリングで行うとよい。これは、実施の形態２の変形例１で開示した方法と同様であるので、説明を省略する。
【０３５９】
ステップＳＴ１７０９でウェイクアップ要求メッセージを受信したＥＳセルは、ステップＳＴ１７１０において、自セルをスイッチオンする。これによって、ＥＳセルは、ステップＳＴ１７１１において、ドーマント状態からアクティブ状態に移行する。
【０３６０】
本変形例で開示した方法とすることによって、システム情報を報知しないドーマント状態のＥＳセルに対するウェイクアップ処理に、ＥＡＢによるアクセス制限を導入することが可能となる。具体的には、サービングセルによって、ＥＡＢ制御を行うことができる。これによって、ＵＥに対してアクセス不許可のセルを、ＥＳセルのメジャメント設定から除外することが可能となるので、ＵＥは、アクセス権の無いＥＳセルのメジャメントを行わなくなる。このように、ウェイクアップ処理対象ＥＳセルにアクセス権の無いＵＥからのウェイクアップ処理を制限できるようになるので、ドーマント状態のＥＳセルは、無駄なスイッチオンをしなくて済む。したがって、実施の形態１の変形例１と同様の効果を得ることができる。
【０３６１】
サービングセルがＵＥのアクセス制限制御を行う他の方法について示す。ステップＳＴ１７０４において、サービングセルは、ＥＳセルが自セルと同じアクセス制限情報を有するか否かを判断する。サービングセルは、自セルと同じアクセス制限情報を有するＥＳセルをアクセス可能とする。ステップＳＴ１７０５において、サービングセルは、アクセス可能と判断したＥＳセルをメジャメント対象とするとよい。すなわち、サービングセルは、自セルと同じアクセス制限情報を有するＥＳセルを、ＥＳセルの検出のためのＤＳメジャメントあるいはＥＳセルのＤＳメジャメントを行う対象として、ＵＥに対して設定する。
【０３６２】
ＵＥは、既にサービングセルに接続しているので、サービングセルのアクセス制限情報に対してはアクセス可能である。したがって、サービングセルと同じアクセス制限情報を有するＥＳセルに対してもアクセス可能となる。
【０３６３】
このようにすることによって、ＵＥからサービングセルに、ＵＥのアクセス制限情報を通知する必要がなくなる。これによって、シグナリングの削減が可能となる。
【０３６４】
実施の形態２  変形例３．
本変形例では、アクセス制限制御を行う方法について、アクセス制限がＥＡＢの場合の他の具体例を開示する。
【０３６５】
図１５は、実施の形態２の変形例３の通信システムにおけるウェイクアップ処理のシーケンスの一例を示す図である。図１５では、ウェイクアップ処理において、ＵＥがＥＡＢ用ＡＣによるアクセス制限制御を行う場合について示す。また、ＵＥがサービングセルへＤＳメジャメント報告を行い、該メジャメント報告を受信したサービングセルがＥＳセルへウェイクアップメッセージを送信する場合について示す。
【０３６６】
ステップＳＴ１８０１において、ＥＳセルはドーマント状態にあるとする。
ＵＥは、以下のようにして、ＥＳセルのアクセス制限情報を取得する。まず、ステップＳＴ１８０２において、ＥＳセルは、サービングセルに自セルのシステム情報を通知する。これは、実施の形態２の変形例１で開示した方法と同様であるので、説明を省略する。
【０３６７】
ステップＳＴ１８０３において、サービングセルは、ＵＥに、メジャメント制御メッセージを通知する。サービングセルは、該メッセージ中で、予め定めるＵＥに対するＥＳセルのＤＳメジャメント、あるいはＥＳセルの検出のためのＤＳメジャメントを設定する。メジャメントセルの設定は、セル識別子を用いて行うとよい。メジャメント制御メッセージには、メジャメントセルの設定として、ＥＳセルのＤＳの構成を含めてもよい。また、ＥＳセルのウェイクアップ信号構成を含めてもよい。これらを、セル識別子と関連付けておくとよい。
【０３６８】
サービングセルは、ＵＥに、ＥＳセルのアクセス制限に関する情報（以下「アクセス制限関連情報」という場合がある）を通知する。アクセス制限関連情報の通知には、ＲＲＣシグナリングを用いるとよい。サービングセルがＵＥに通知するメジャメント制御メッセージに、ＥＳセルのアクセス制限関連情報を含めて通知してもよい。該アクセス制限関連情報をＥＳセルの識別子と関連付けて通知してもよい。あるいは、メジャメントセルの設定と関連付けて通知してもよい。アクセス制限関連情報として、ここでは、ＥＳセルのＥＡＢ用ＡＣに対するアクセス制限情報とする。あるいは、ＥＳセルのシステム情報を通知してもよい。ＳＩＢ情報を通知してもよい。ＥＡＢ用ＡＣに対するアクセス制限情報はＳＩＢ１５に含まれるので、ＳＩＢ１５を通知してもよい。
【０３６９】
以上のようにすることによって、ＵＥは、ＥＳセルのアクセス制限情報を取得することが可能となる。
【０３７０】
ステップＳＴ１８０４において、ＵＥは、自ＵＥが保持するＥＡＢ用ＡＣ情報と、メジャメント制御メッセージで設定されたＥＳセルのＥＡＢ用ＡＣに対するアクセス制限情報とを用いて、ＥＡＢ制御でアクセス制限制御を行う。具体的には、ＵＥは、メジャメント制御メッセージで設定されたＥＳセルが、アクセス可能か否か判断する。
【０３７１】
ＵＥは、アクセス制限制御の結果、メジャメント設定のＥＳセルがアクセス可能ならば、該ＥＳセルのメジャメントをメジャメント設定に従って行う。
【０３７２】
ＵＥは、アクセス制限制御の結果、メジャメント設定のＥＳセルがアクセス不可能ならば、ステップＳＴ１８０５において、アクセス不可能なＥＳセルをメジャメント対象から除外する。あるいは、該ＥＳセルのメジャメントを行わないように設定してもよい。
【０３７３】
このようにすることによって、ＵＥがアクセス不可能なＥＳセルをメジャメントすることはなくなる。したがって、メジャメントによってＥＳセルが検出された場合、該ＥＳセルは、アクセス可能なＥＳセルに限定されることになる。
【０３７４】
ステップＳＴ１８０６において、ＵＥは、メジャメントセルとして設定されたＥＳセルのＤＳメジャメントを行う。該ＥＳセルの検出のためのＤＳメジャメントを行ってもよい。これは、実施の形態２で開示した方法と同様であるので、説明を省略する。
【０３７５】
ステップＳＴ１８０７において、ＵＥは、サービングセルに対して、ＤＳのメジャメント報告を行う。これは、実施の形態２で開示した方法と同様であるので、説明を省略する。
【０３７６】
サービングセルは、ステップＳＴ１８０７において、メジャメント報告対象のＥＳセルの識別子を受信する。ステップＳＴ１８０８において、サービングセルは、該ＥＳセルにウェイクアップ要求メッセージを通知する。このウェイクアップ要求メッセージはＸ２シグナリングで行うとよい。これは、実施の形態２の変形例１で開示した方法と同様であるので、説明を省略する。
【０３７７】
ステップＳＴ１８０８でウェイクアップ要求メッセージを受信したＥＳセルは、ステップＳＴ１８０９において、自セルをスイッチオンする。これによって、ＥＳセルは、ステップＳＴ１８１０において、ドーマント状態からアクティブ状態に移行する。
【０３７８】
ステップＳＴ１８０４のアクセス制限制御は、ステップＳＴ１８０６のＥＳセルのＤＳメジャメントあるいはＥＳセルの検出のためのＤＳメジャメントの後に行われてもよい。これによって、アクセス制限制御を行うＥＳセルを、ＤＳメジャメントした結果、報告すべきイベントがトリガされたＥＳセルに限定することが可能となる。したがって、制御を簡略化することができる。
【０３７９】
メジャメント報告対象ＥＳセルが、アクセス制限制御で、アクセス可能となった場合、ＵＥは、サービングセルに対して、ＤＳメジャメント報告を行う。
【０３８０】
メジャメント報告対象ＥＳセルが、アクセス制限制御で、アクセス不可能となった場合、ＵＥは、サービングセルに対して、ＤＳメジャメント報告を行わない。さらに、該ＥＳセルをメジャメント対象から外して、再度サービングセルからのメジャメント制御メッセージを待つ動作に移行するとよい。
【０３８１】
メジャメント報告対象ＥＳセルが、アクセス制限制御で、アクセス不可能となった場合、ＵＥは、サービングセルに対して、該ＥＳセルがアクセス不可能であることを通知してもよい。アクセス不可能なＥＳセルのセル識別子を通知してもよい。ＲＲＣシグナリングで通知するとよい。例えば、メジャメント報告として通知してもよい。ステップＳＴ１８０７のメジャメント報告に含めて通知してもよい。ＵＥから該ＥＳセルがアクセス不可能であることを受信したサービングセルは、該ＵＥに対して、メジャメント制御メッセージで異なるＥＳセルを設定するとよい。このようにすることによって、ＵＥは、アクセス可能なＥＳセルのメジャメントを行うことが可能になる。
【０３８２】
本変形例で開示した方法とすることによって、システム情報を報知しないドーマント状態のＥＳセルに対するウェイクアップ処理に、ＥＡＢによるアクセス制限を導入することが可能となる。具体的には、ＵＥによって、ＥＡＢ制御を行うことができる。これによって、ＵＥは、アクセス不許可のセルをＥＳセルのメジャメント設定から除外することが可能となるので、ＵＥは、アクセス権の無いＥＳセルのメジャメントを行わなくなる。このように、ウェイクアップ処理対象ＥＳセルにアクセス権の無いＵＥからのウェイクアップ処理を制限できるようになるので、ドーマント状態のＥＳセルは、無駄なスイッチオンをしなくて済む。したがって、実施の形態１の変形例２と同様の効果を得ることができる。
【０３８３】
実施の形態３．
本実施の形態では、アクセス制限制御を行う方法について、アクセス制限がＥＡＢの場合の他の具体例を開示する。
【０３８４】
図１６は、実施の形態３の通信システムにおけるウェイクアップ処理のシーケンスの一例を示す図である。図１６では、ウェイクアップ処理において、ＥＳセルがＵＥのＥＡＢ用ＡＣによるアクセス制限制御を行う場合について示す。また、ＵＥがＥＳセルへウェイクアップ信号を送信する場合について示す。
【０３８５】
ステップＳＴ１９０１において、ＥＳセルはドーマント状態にあるとする。
ＥＳセルは、以下のようにして、ＵＥのアクセス制限情報を取得する。
ＵＥは、ＥＳセルに自ＵＥのＥＡＢ用ＡＣ情報を通知する。サービングセルを介して通知する場合について開示する。ステップＳＴ１９０２において、ＵＥは、サービングセルにアクセス制限情報を通知する。これは、実施の形態２の変形例２で開示した方法と同様であるので、説明を省略する。
【０３８６】
ステップＳＴ１９０２でＵＥからアクセス制限情報を取得したサービングセルは、該ＵＥに対して、ウェイクアップ信号用にＵＥ個別シーケンスを設定する。
【０３８７】
該ＵＥ個別シーケンスは、ＵＥからＥＳセルをウェイクアップするために通知する、ウェイクアップ信号に用いる。該ＵＥ個別シーケンスは、ＥＳセルがウェイクアップ信号をＵＥ毎に分離可能とする。ウェイクアップ信号に、該ＵＥ個別シーケンスとして、ＵＥ個別のパラメータを設定してもよい。ＵＥ個別のパラメータの具体例として、以下の（１）〜（４）の４つを開示する。
【０３８８】
（１）ウェイクアップ信号に用いるシーケンス。
（２）ウェイクアップ信号送信タイミング。例えば、送信サブフレームなどがある。
（３）ウェイクアップ信号送信周波数。例えば、サブキャリア、ＲＢ（Resource Block）などがある。
（４）ルートインデックス。
ウェイクアップ信号にＰＲＡＣＨを適用してもよい。
【０３８９】
ＵＥからＥＡＢ用ＡＣ情報を受信したサービングセルは、ステップＳＴ１９０３において、ＥＳセルに該ＵＥのＥＡＢ用ＡＣ情報を通知する。Ｘ２シグナリングで通知するとよい。このときに、該ＵＥに設定したウェイクアップ信号用のＵＥ個別シーケンスを通知する。ＵＥのＥＡＢ用ＡＣ情報とＵＥ個別シーケンスをＵＥの識別子に関連付けて通知するとよい。
【０３９０】
サービングセルは、その他の情報をＥＳセルに通知してもよい。その他の情報の具体例として、以下の（１）〜（３）の３つを開示する。
（１）ＵＥのＰＬＭＮ情報。
（２）サービングセルの識別子。
（３）前記（１），（２）の組合せ。アクセス制限情報、ＵＥ個別シーケンスと組合せて通知してもよい。また、ＵＥの識別子と関連付けて通知してもよい。
【０３９１】
ステップＳＴ１９０４において、サービングセルはＵＥにメジャメント制御メッセージを通知する。サービングセルは、該メッセージ中で、予め定めるＵＥに対するＥＳセルのＤＳメジャメントあるいはＥＳセルの検出のためのＤＳメジャメントを設定する。メジャメントセルの設定は、セル識別子を用いて行うとよい。メジャメントセルの設定として、ＥＳセルのＤＳの構成を含めてもよい。また、ＥＳセルのウェイクアップ信号構成を含めてもよい。これらを、セル識別子と関連付けておくとよい。
【０３９２】
サービングセルは、ＵＥに、該ＵＥに対して設定したウェイクアップ信号用ＵＥ個別シーケンスを、ＥＳセルのウェイクアップ信号構成に含めて通知する。該アクセス制限に関する情報をＥＳセルの識別子と関連付けて通知してもよい。あるいは、メジャメントセルの設定と関連付けて通知してもよい。
【０３９３】
メジャメント制御メッセージで通知することを開示したが、他のＲＲＣシグナリングで通知してもよい。例えば、ＲＲＣリソース再構成（RRC resource reconfiguration）メッセージを用いてもよい。あるいは、新たなＲＲＣシグナリングを設けて通知してもよい。
【０３９４】
ステップＳＴ１９０４でサービングセルからメジャメント制御メッセージを受信したＵＥは、ステップＳＴ１９０５において、メジャメントセルとして設定されたＥＳセルのＤＳメジャメントを行う。該ＥＳセルの検出のためのＤＳメジャメントを行ってもよい。これは、実施の形態２で開示した方法と同様であるので、説明を省略する。
【０３９５】
ステップＳＴ１９０５において、ＥＳセルのＤＳメジャメント、あるいは、ＥＳセルの検出のためのＤＳメジャメントのクライテリアが満たされた場合、ステップＳＴ１９０６において、該ＵＥは、該クライテリアが満たされたＥＳセルに対して、ウェイクアップを要求するためのウェイクアップ信号を送信する。ＵＥは、サービングセルから受信したウェイクアップ信号構成で、ウェイクアップ信号を送信する。
【０３９６】
このウェイクアップ信号に、サービングセルから受信したＵＥ個別シーケンスを用いる。ウェイクアップ信号のシーケンスを、ＵＥ個別シーケンスとＥＳセル識別子を用いて導出する。
【０３９７】
ＵＥは、ウェイクアップ信号に、サービングセルから受信したＵＥ個別のパラメータを用いてもよい。このようにすることによって、ウェイクアップ信号を送信したＵＥを特定することが可能となる。
【０３９８】
ＵＥは、ウェイクアップ信号に、ＤＳ検出時に取得したＥＳセル識別子を用いてもよい。あるいは、クラスタ毎のウェイクアップ信号が構成される場合、クラスタの識別子を用いてもよい。あるいは、ＥＳセル共通のウェイクアップ信号が構成されてもよく、その場合、ＥＳセル共通のシーケンスを用いてもよい。これらによって、該ウェイクアップ信号が、どのＥＳセル宛なのか、あるいは、どのクラスタ内ＥＳセル宛なのか、あるいは、ＥＳセル宛なのか否かの判別が可能となる。
【０３９９】
ステップＳＴ１９０６において、ＵＥからのウェイクアップ信号を受信したＥＳセルは、該ウェイクアップ信号に用いられているセル識別子を用いて、自セルへのウェイクアップ信号か否かを判断する。あるいは、自セルのセル識別子から、自セル宛のウェイクアップ信号を検出してもよい。
【０４００】
自セルへのウェイクアップ信号の場合、該ウェイクアップ信号に用いられているＵＥ個別シーケンスを取得し、ステップＳＴ１９０７のアクセス制限制御を行う。自セルへのウェイクアップ信号で無い場合、該ウェイクアップ信号に対する処理は行わない。
【０４０１】
ステップＳＴ１９０７において、ＥＳセルはアクセス制限制御を行う。ステップＳＴ１９０６でＵＥから受信したウェイクアップ信号から取得したＵＥ個別シーケンスを用いて、ステップＳＴ１９０３でサービングセルから受信したＵＥ個別シーケンスと関連付けられたＵＥの識別子を導出する。これによって、ウェイクアップ信号を送信したＵＥを特定することができる。該ＵＥの識別子から、ステップＳＴ１９０３で同じく受信した該ＵＥのアクセス制限情報を導出する。これによって、ＥＳセルは、ウェイクアップ信号を送信したＵＥのアクセス制限情報を取得することができる。アクセス制限情報としては、ここでは、ＥＡＢ用ＡＣ情報とする。
【０４０２】
ＥＳセルは、取得したＵＥのアクセス制限情報と、自セルのアクセス制限情報、すなわち、ＥＡＢ用ＡＣに対するアクセス制限情報とを用いて、ウェイクアップ処理起動対象ＵＥのアクセス制限制御を行う。具体的には、ＥＳセルは、ウェイクアップ処理起動対象ＵＥが自セルにアクセス可能か否かを判断する。
【０４０３】
ＥＳセルは、ステップＳＴ１９０７で行ったアクセス制限制御結果に基づいて、自セルのスイッチオンをするか否かを決定する。
【０４０４】
ＥＳセルは、ステップＳＴ１９０７で行ったアクセス制限制御の結果、ウェイクアップ処理を起動したＵＥが自セルにアクセス可能である場合は、ステップＳＴ１９１０に移行して、自セルをスイッチオンする。ＥＳセルは、スイッチオンによって、ステップＳＴ１９１１で、ドーマント状態からアクティブ状態に移行する。
【０４０５】
ＥＳセルは、ステップＳＴ１９０７で行ったアクセス制限制御の結果、ウェイクアップ処理を起動したＵＥが自セルにアクセス不可能である場合は、自セルをスイッチオンしない。ウェイクアップ信号を待機する処理に戻るとよい。
【０４０６】
ＥＳセルは、ウェイクアップ処理を起動したＵＥが自セルにアクセス不可能と判断した場合、ウェイクアップ処理を起動したＵＥに対して、ウェイクアップ要求拒否メッセージを通知してもよい。サービングセルを介して通知してもよい。ステップＳＴ１９０８において、ＥＳセルは、ウェイクアップ要求を通知してきたサービングセルに対して拒否メッセージを通知する。サービングセルを介してＵＥに拒否メッセージを通知する方法は、実施の形態２で開示した方法と同様であるので、説明を省略する。
【０４０７】
本実施の形態で開示した方法とすることによって、システム情報を報知しないドーマント状態のＥＳセルに対するウェイクアップ処理に、ＥＡＢによるアクセス制限を導入することが可能となる。ＥＳセルによるＥＡＢ制御によって、アクセス権の無いＵＥからのウェイクアップ信号の送信によるウェイクアップ処理を制限できるようになる。したがって、ドーマント状態のＥＳセルは、無駄なスイッチオンをしなくて済む。これによって、実施の形態２と同様の効果を得ることができる。
【０４０８】
また、ＵＥから直接ＥＳセルに対してウェイクアップ信号を送信するので、サービングセルの制御負荷を削減することが可能となる。
【０４０９】
実施の形態３  変形例１．
本変形例では、アクセス制限制御を行う方法について、アクセス制限がＥＡＢの場合の他の具体例を開示する。
【０４１０】
図１７は、実施の形態３の変形例１の通信システムにおけるウェイクアップ処理のシーケンスの一例を示す図である。図１７では、ウェイクアップ処理において、サービングセルがＵＥのＥＡＢ用ＡＣによるアクセス制限制御を行う場合について示す。また、ＵＥがＥＳセルへウェイクアップ信号を送信する場合について示す。図１４と同一のステップには同一のステップ番号を付して、共通する説明を省略する。
【０４１１】
実施の形態２の変形例２では、ＵＥがサービングセルへＤＳメジャメント報告を行い、該メジャメント報告を受信したサービングセルがＥＳセルへウェイクアップメッセージを送信する方法を開示した。本変形例では、代わりに、ＵＥがＥＳセルへウェイクアップ信号を送信する。図１４のステップＳＴ１７０８のＤＳメジャメント報告、ステップＳＴ１７０９のウェイクアップメッセージの代わりに、図１７のステップＳＴ２００１で示すように、ＵＥがＥＳセルへ、ウェイクアップ信号を送信する。
【０４１２】
ステップＳＴ１７０６において、サービングセルは、ＵＥにメジャメント制御メッセージを通知する。サービングセルは、該メッセージ中で、ＵＥがアクセス可能なＥＳセルをメジャメントセルとして設定する。メジャメントセルの設定は、セル識別子を用いて行うとよい。
【０４１３】
メジャメントセルの設定として、アクセス可能なＥＳセルのＤＳの構成とともにウェイクアップ信号構成を含める。これらを、セル識別子と関連付けておくとよい。
【０４１４】
ＤＳ構成、あるいはウェイクアップ信号構成は、ＥＳセル個別であってもよいし、共通であってもよいし、クラスタ毎であってもよい。クラスタ毎の場合、クラスタの識別子をあわせて通知してもよい。
ウェイクアップ信号にＰＲＡＣＨを用いてもよい。
【０４１５】
ステップＳＴ１７０７において、ＥＳセルのＤＳメジャメント、あるいは、ＥＳセルの検出のためのＤＳメジャメントのクライテリアが満たされた場合、ステップＳＴ２００１において、該ＵＥは、該クライテリアが満たされたＥＳセルに対して、ウェイクアップを要求のためのウェイクアップ信号を送信する。ＵＥは、サービングセルから受信したウェイクアップ信号構成で、ウェイクアップ信号を送信する。ＵＥは、ウェイクアップ信号に、ＤＳ検出時に取得したＥＳセル識別子を用いてもよい。あるいは、クラスタ毎のウェイクアップ信号が構成される場合、クラスタの識別子を用いてもよい。あるいは、ＥＳセル共通のウェイクアップ信号が構成されてもよく、その場合、ＥＳセル共通のシーケンスを用いてもよい。これらによって、該ウェイクアップ信号が、どのＥＳセル宛なのか、あるいは、どのクラスタ内ＥＳセル宛なのか、あるいは、ＥＳセル宛なのか否かの判別が可能となる。
【０４１６】
ステップＳＴ１７０６において、サービングセルは、メジャメント制御メッセージに、メジャメントがドーマント状態のＥＳセルの検出用か否かを示す情報を含めて通知してもよい。あるいは、サービングセルは、メジャメント制御メッセージに、メジャメントがドーマント状態のＥＳセルのウェイクアップ用か否かを示す情報を含めて通知してもよい。このようにすることによって、ＵＥは、該メジャメント制御メッセージのメジャメント設定がＥＳセルの検出用か否か、あるいは、ウェイクアップ用か否かを判断することができる。
【０４１７】
該メジャメント制御メッセージに、ドーマント状態のＥＳセルの検出用であることを示す情報、あるいはドーマント状態のＥＳセルのウェイクアップ用であることを示す情報が含まれている場合は、ＵＥは、検出したＥＳセルに対して、ウェイクアップ信号を送信する。
【０４１８】
そうでない場合、すなわち該メジャメント制御メッセージに、ドーマント状態のＥＳセルの検出用であることを示す情報、あるいはドーマント状態のＥＳセルのウェイクアップ用であることを示す情報が含まれていない場合は、ＵＥは、ウェイクアップ信号を送信しない。あるいは、通常のメジャメントとして、サービングセルにメジャメント報告を行うようにしてもよい。
【０４１９】
ステップＳＴ２００１において、ＵＥからのウェイクアップ信号を受信したＥＳセルは、該ウェイクアップ信号に用いられているセル識別子を用いて、自セルへのウェイクアップ信号か否かを判断する。あるいは、自セルのセル識別子から、自セル宛のウェイクアップ信号を検出してもよい。
【０４２０】
自セル宛のウェイクアップ信号を検出したＥＳセルは、ステップＳＴ１７１０に移行して、自セルをスイッチオンする。ＥＳセルは、スイッチオンによって、ステップＳＴ１７１１において、ドーマント状態からアクティブ状態に移行する。
【０４２１】
本変形例で開示した方法とすることによって、システム情報を報知しないドーマント状態のＥＳセルに対するウェイクアップ処理に、ＥＡＢによるアクセス制限を導入することが可能となる。サービングセルによるＥＡＢ制御によって、アクセス権の無いＵＥからのウェイクアップ信号の送信によるウェイクアップ処理を制限できるようになる。したがって、ドーマント状態のＥＳセルは、無駄なスイッチオンをしなくて済む。これによって、実施の形態２の変形例２と同様の効果を得ることができる。
【０４２２】
また、ＵＥから直接ＥＳセルに対してウェイクアップ信号を送信するので、サービングセルの制御負荷を削減することが可能となる。
【０４２３】
また、サービングセルがＥＡＢによるアクセス制限制御を行うので、ウェイクアップ信号にＵＥ個別シーケンスを用いる必要がない。サービングセルからウェイクアップ信号用にＵＥ個別シーケンスを割当てる必要もなく、サービングセルからＥＳセルあるいはＵＥへＵＥ個別シーケンスを通知する必要もない。したがって、制御の簡略化を図ることができると共に、シグナリングする情報量の低減を図ることができる。
【０４２４】
また、サービングセルが、ＵＥへのメジャメント設定を行う前に、ＥＡＢによるアクセス制限制御を行うので、サービングセルは、ＵＥに対して、該ＵＥがアクセス不可能なＥＳセルをメジャメントセルとして設定しないようにすることができる。
【０４２５】
ウェイクアップ処理において、サービングセルがＵＥのＥＡＢ用ＡＣによるアクセス制限制御を行う場合、また、ＵＥがＥＳセルへウェイクアップ信号を送信する場合、他のアクセス制限制御を行う方法として、実施の形態２の変形例１で開示した方法を適用してもよい。この場合、サービングセルはＵＥから一度ＤＳメジャメント報告を受信した後にＥＡＢ制御を行い、ウェイクアップ処理対象ＥＳセルにアクセス可能か否かを判断する。アクセス可能な場合、サービングセルは、該ＵＥに対して、ウェイクアップ処理対象ＥＳセルにウェイクアップ信号を送信するよう要求する。該要求メッセージにウェイクアップ処理対象ＥＳセルのセル識別子を含めてもよい。該通知にはＲＲＣシグナリングを用いるとよい。該要求メッセージを受信したＵＥは、ウェイクアップ処理対象ＥＳセルにウェイクアップ信号を送信する。
【０４２６】
また、サービングセルへメジャメント報告させるメジャメント制御メッセージと、ＥＳセルにウェイクアップ信号を送信させるメジャメント制御メッセージとを区別して設けてもよい。区別するための情報を設けて、該メジャメント制御メッセージに含ませてもよい。区別するための情報は、例えば前述の、メジャメントがドーマント状態のＥＳセルの検出用か否かを示す情報、あるいは、メジャメントがドーマント状態のＥＳセルのウェイクアップ用か否かを示す情報としてもよい。
【０４２７】
該区別されたメジャメント制御メッセージを前述の方法に適用するとよい。最初のメジャメント制御メッセージには、サービングセルへメジャメント報告をさせる方を用いる。サービングセルがＥＡＢ制御を行った後のウェイクアップ信号送信要求メッセージには、ＥＳセルにウェイクアップ信号を送信させるメジャメント制御メッセージを用いるとよい。
このようにすることによって、前述と同様の効果を得ることができる。
【０４２８】
実施の形態３  変形例２．
本変形例では、アクセス制限制御を行う方法について、アクセス制限がＥＡＢの場合の他の具体例を開示する。
【０４２９】
ウェイクアップ処理において、ＵＥがＥＡＢ用ＡＣによるアクセス制限制御を行う場合について示す。また、ＵＥがＥＳセルへウェイクアップ信号を送信する場合について示す。
【０４３０】
実施の形態２の変形例３では、ＵＥがサービングセルへＤＳメジャメント報告を行い、該メジャメント報告を受信したサービングセルがＥＳセルへウェイクアップメッセージを送信する方法を開示した。本変形例では、代わりに、ＵＥがＥＳセルへウェイクアップ信号を送信する。本変形例では、図１５に示すシーケンスの一部のステップを変更することによって適用することができる。変更部分としては、図１５のステップＳＴ１８０７のＤＳメジャメント報告、ステップＳＴ１８０８のウェイクアップメッセージの代わりに、ＵＥがＥＳセルに、ウェイクアップ信号を送信すればよい。
【０４３１】
ステップＳＴ１８０３において、サービングセルは、ＵＥにメジャメント制御メッセージを通知する。サービングセルは、該メッセージ中で、予め定めるＵＥに対するＥＳセルのＤＳメジャメントあるいはＥＳセルの検出のためのＤＳメジャメントを設定する。メジャメントセルの設定は、セル識別子を用いて行うとよい。メジャメントセルの設定として、ＥＳセルのＤＳの構成とともに、ＥＳセルのウェイクアップ信号構成を含める。これらを、セル識別子と関連付けておくとよい。ウェイクアップ信号にＰＲＡＣＨを用いてもよい。サービングセルは、ＵＥに、メジャメント制御メッセージで、ＥＳセルのアクセス制限に関する情報を通知してもよい。
【０４３２】
ステップＳＴ１８０６において、ＥＳセルのＤＳメジャメント、あるいは、ＥＳセルの検出のためのＤＳメジャメントのクライテリアが満たされた場合、ステップＳＴ１８０７、ステップＳＴ１８０８の代わりに、該ＵＥは、該クライテリアが満たされたＥＳセルに対して、ウェイクアップを要求するためのウェイクアップ信号を送信する。ＵＥは、サービングセルから受信したウェイクアップ信号構成で、ウェイクアップ信号を送信する。ＵＥは、ウェイクアップ信号に、ＤＳ検出時に取得したＥＳセル識別子を用いてもよい。あるいは、クラスタ毎のウェイクアップ信号が構成される場合、クラスタの識別子を用いてもよい。あるいは、ＥＳセル共通のウェイクアップ信号が構成されてもよく、その場合、ＥＳセル共通のシーケンスを用いてもよい。これらによって、該ウェイクアップ信号が、どのＥＳセル宛なのか、あるいは、どのクラスタ内ＥＳセル宛なのか、あるいは、ＥＳセル宛なのか否かの判別が可能となる。
【０４３３】
ＵＥからのウェイクアップ信号を受信したＥＳセルは、該ウェイクアップ信号に用いられているセル識別子を用いて、自セルへのウェイクアップ信号か否かを判断する。あるいは、自セルのセル識別子から、自セル宛のウェイクアップ信号を検出してもよい。
【０４３４】
自セル宛のウェイクアップ信号を検出したＥＳセルは、ステップＳＴ１８０９に移行して、自セルをスイッチオンする。ＥＳセルは、スイッチオンによって、ステップＳＴ１８１０において、ドーマント状態からアクティブ状態に移行する。
【０４３５】
本変形例で開示した方法とすることによって、システム情報を報知しないドーマント状態のＥＳセルに対するウェイクアップ処理に、ＥＡＢによるアクセス制限を導入することが可能となる。ＥＳセルによるＥＡＢ制御によって、アクセス権の無いＵＥからのウェイクアップ信号の送信によるウェイクアップ処理を制限できるようになる。したがって、ドーマント状態のＥＳセルは、無駄なスイッチオンをしなくて済む。これによって、実施の形態２の変形例３と同様の効果を得ることができる。
【０４３６】
また、ＵＥから直接ＥＳセルに対してウェイクアップ信号を送信するので、サービングセルの制御負荷を削減することが可能となる。
【０４３７】
実施の形態２から実施の形態３の変形例２では、アクセス制限の具体例としてＥＡＢについて開示した。これらの実施の形態および変形例で開示した方法は、ＡＣＢにも適用可能である。アクセス制限情報としてＥＡＢ用ＡＣではなく、ＡＣＢ用ＡＣを用いればよい。
【０４３８】
実施の形態４．
本実施の形態では、アクセス制限制御を行う方法について、アクセス制限がＣＳＧの場合の具体例を開示する。
【０４３９】
従来のアクセス制限制御であるＣＳＧ制御では、ＵＥがＣＳＧ−ＩＤリスト、例えば許可ＣＳＧリスト（allowed CSG list）を有する場合、ＵＥは、セルがシステム情報として報知するＣＳＧ−ＩＤを受信し、自ＵＥのＣＳＧ−ＩＤリスト内ＣＳＧ−ＩＤと比較することで、該セルにアクセス可能か否かを判断する。ＵＥは、セルのＣＳＧ−ＩＤと自ＵＥのＣＳＧ−ＩＤが同じである場合は、同一ＣＳＧに属するとしてアクセス可能と判断し、アクセスを行う。
【０４４０】
しかし、ＥＳセルがドーマント状態の場合、該ＥＳセルはシステム情報を報知しない。したがって、ＵＥがセルから報知されるシステム情報を受信して判断する従来のアクセス制限制御の方法を用いることはできない。
【０４４１】
ここでは、ドーマント状態のＥＳセルをウェイクアップする処理において、ＣＳＧ制御を行う方法を開示する。
【０４４２】
ウェイクアップ処理において、ＥＳセルがＵＥのＣＳＧ制御を行う場合、また、ＵＥがサービングセルへＤＳメジャメント報告を行い、該メジャメント報告を受信したサービングセルがＥＳセルへウェイクアップメッセージを送信する場合について開示する。この場合は、実施の形態２の一部を変更して適用することができる。アクセス制限情報として、ＥＡＢ用ＡＣの代わりに、ＣＳＧに関する情報を用いればよい。
【０４４３】
シーケンスの具体例は、図１２の一部を変更して適用すればよい。変更部分について以下に説明する。
【０４４４】
図１２のステップＳＴ１５０３では、ＵＥからサービングセルへＵＥのＥＡＢ用ＡＣ情報を通知していたが、代わりに、ＵＥのＣＳＧ−ＩＤ情報を通知すればよい。あるいは、ＵＥが保持するＣＳＧ−ＩＤのリストである許可ＣＳＧリスト（allowed CSG list）を通知してもよい。これによって、サービングセルは、ＤＳメジャメント報告をするＵＥのＣＳＧ−ＩＤを取得することが可能となる。
【０４４５】
図１２のステップＳＴ１５０４において、サービングセルはＥＳセルへのウェイクアップ要求メッセージにウェイクアップ処理起動対象ＵＥのＥＡＢ用ＡＣを含めて通知していたが、代わりにＵＥのＣＳＧ−ＩＤ情報を通知すればよい。あるいは、ＵＥが保持するＣＳＧ−ＩＤのリストである許可ＣＳＧリスト（allowed CSG list）を通知してもよい。これによって、ＥＳセルは、ウェイクアップ処理起動対象ＵＥのＣＳＧ−ＩＤを取得することが可能となる。
【０４４６】
図１２のステップＳＴ１５０５において、ＥＳセルはＥＡＢ制御を行ったが、代わりに、ＣＳＧ制御を行えばよい。ＥＳセルは、ウェイクアップ処理を起動したＵＥの識別子と、該識別子に関連付けられたＣＳＧ−ＩＤ情報と、自セルのＣＳＧ関連情報とを用いて、ウェイクアップ処理起動対象ＵＥが自セルにアクセス可能か否かを判断する。ＥＳセルは、該ＵＥのＣＳＧ−ＩＤと自セルのＣＳＧ−ＩＤとが、同じである場合はアクセス可能と判断し、異なる場合はアクセス不可能と判断する。
【０４４７】
本実施の形態で開示した方法とすることによって、システム情報を報知しないドーマント状態のＥＳセルに対するウェイクアップ処理に、ＣＳＧによるアクセス制限を導入することが可能となる。ＥＳセルによるＣＳＧ制御によって、アクセス権の無いＵＥからのウェイクアップ処理を制限できるようになる。したがって、ドーマント状態のＥＳセルは、無駄なスイッチオンをしなくて済む。これによって、実施の形態１と同様の効果を得ることができる。
【０４４８】
ＵＥがＣＳＧに属さない場合の処理について開示する。ＵＥがＣＳＧに属さない場合、ＵＥからＥＳセル、あるいはサービングセルへ、自ＵＥのＣＳＧ−ＩＤを通知する代わりに、ＣＳＧに属さないことを通知してもよい。
【０４４９】
ＵＥがＣＳＧに属さない場合は、該ＵＥは、許可ＣＳＧリスト（allowed CSG list）を有しない、あるいは許可ＣＳＧリスト（allowed CSG list）が空となる。
【０４５０】
例えば、図１２のステップＳＴ１５０３において、ＵＥは、サービングセルに対して、自ＵＥが許可ＣＳＧリスト（allowed CSG list）を有しない、あるいは許可ＣＳＧリスト（allowed CSG list）が空の場合、ＣＳＧに属さないことを示す情報を含めて通知するとよい。あるいは、許可ＣＳＧリスト（allowed CSG list）が空であることを示す情報を通知するとよい。あるいは、空の許可ＣＳＧリスト（allowed CSG list）を通知してもよい。これによって、サービングセルは該ＵＥがＣＳＧに属さないことを認識可能となる。
【０４５１】
図１２のステップＳＴ１５０４において、サービングセルはＥＳセルに、ＵＥがＣＳＧに属さないことを示す情報を通知すればよい。あるいは、該ＵＥの許可ＣＳＧリスト（allowed CSG list）が空であることを示す情報を通知するとよい。あるいは、空の許可ＣＳＧリスト（allowed CSG list）を通知してもよい。これによって、ＥＳセルは、ウェイクアップ処理起動対象ＵＥがＣＳＧに属さないことを認識することが可能となる。
【０４５２】
図１２のステップＳＴ１５０５において、ＥＳセルはＣＳＧ制御を行う。自セルがクローズドモードで運用されている場合は、ウェイクアップ処理起動対象ＵＥがＣＳＧに属さない場合、アクセス不可能と判断する。自セルがＣＳＧに属さない場合、あるいはオープンモードで運用されている場合は、ウェイクアップ処理起動対象ＵＥがＣＳＧに属さない場合、アクセス可能と判断する。
【０４５３】
このようにすることによって、ウェイクアップ処理起動対象ＵＥがＣＳＧに属さない場合にもＣＳＧ制御を行うことが可能となる。
【０４５４】
他の方法として、ＵＥがＣＳＧに属さない場合、サービングセルあるいはＥＳセルに、ＣＳＧに関する情報を送らない、としてもよい。
【０４５５】
例えば、図１２のステップＳＴ１５０３において、ＵＥは、サービングセルに対して、ＣＳＧに関する情報を送らない。サービングセルはＵＥからＣＳＧに関する情報を受信しない場合は、該ＵＥがＣＳＧに属さないと認識する。
【０４５６】
図１２のステップＳＴ１５０４において、サービングセルは、ＥＳセルに、ＵＥがＣＳＧに属さないことを示すために、該ＵＥのＣＳＧに関する情報を通知しない。ＥＳセルは、ウェイクアップ処理起動対象ＵＥのＣＳＧに関する情報を受信しない場合には、該ＵＥがＣＳＧに属さないと認識する。
【０４５７】
このようにすることによって、ウェイクアップ処理起動対象ＵＥがＣＳＧに属さない場合のＣＳＧ制御を行うことが可能となる。前述の方法に比べて、ＵＥからサービングセル、サービングセルからＥＳセルに通知する情報量を削減することが可能となる。
【０４５８】
ＥＳセルがＣＳＧに属さない場合、あるいは、オープンモードで運用されている場合の処理について開示する。
【０４５９】
ＥＳセルがＣＳＧに属さない場合、アクセス制限制御において、任意のＵＥに対してアクセス可能としてもよい。あるいは、ＥＳセルがオープンモードの場合、アクセス制限制御において、任意のＵＥに対してアクセス可能としてもよい。
【０４６０】
図１２のステップＳＴ１５０５において、ＥＳセルはＣＳＧ制御を行う。ＥＳセルは、自セルのＣＳＧ関連情報、例えば、アクセスモード情報、あるいは、ＣＳＧ−ＩＤ情報とＣＳＧインジケーション（CSG indication）情報などを用いて、自セルがＣＳＧに属さないか否か、オープンモードか否かを判断するとよい。ＣＳＧに属さない、あるいはオープンモードである場合、任意のＵＥに対してアクセス可能と判断する。ＥＳセルが、ＣＳＧに属している、あるいは、クローズドモードで運用している場合、前述のアクセス制御を行う。
【０４６１】
このようにすることによって、ＥＳセルがＣＳＧに属さない場合、あるいはオープンモードで運用されている場合のＣＳＧ制御を行うことが可能となる。ＥＳセルがＣＳＧに属する場合も含めて、図１２のシーケンス例で統一した制御を行うことができるので、制御を簡略化でき、誤動作を少なくすることが可能となる。
【０４６２】
ウェイクアップ処理におけるＣＳＧ制御の他の方法として、サービングセルのＣＳＧに関する情報を用いてもよい。例えば、図１２のステップＳＴ１５０４において、サービングセルは、ＥＳセルへのウェイクアップメッセージに、自セルのＣＳＧに関する情報も含めて送信する。該ウェイクアップメッセージを受信したＥＳセルは、図１２のステップＳＴ１５０５において、ＵＥのＣＳＧに関する情報と、該メッセージを送信してきたセル（サービングセル）のＣＳＧに関する情報と、自セルのＣＳＧに関する情報を用いて、ＣＳＧ制御を行う。ＵＥ、サービングセル、ＥＳセルのＣＳＧ−ＩＤが全て同じである場合は、該ＵＥは、該ＥＳセルにアクセス可能と判断する。ＣＳＧ-ＩＤが一つでも異なれば、該ＵＥは該ＥＳセルにアクセス不可能と判断する。
【０４６３】
また、サービングセルのＣＳＧに関する情報を用いてＣＳＧ制御を行う他の方法として、例えば、図１２のステップＳＴ１５０４において、サービングセルは、ＥＳセルへのウェイクアップメッセージに、自セルのＣＳＧに関する情報も含めて送信する。該ウェイクアップメッセージを受信したＥＳセルは、図１２のステップＳＴ１５０５において、該メッセージを送信してきたセル（サービングセル）のＣＳＧに関する情報と、自セルのＣＳＧに関する情報を用いて、ウェイクアップ処理起動対象ＵＥのＣＳＧ制御を行ってもよい。サービングセルとＥＳセルのＣＳＧ−ＩＤが同じである場合は、該ＵＥは、該ＥＳセルにアクセス可能と判断する。ＣＳＧ-ＩＤが異なる場合は、該ＵＥは該ＥＳセルにアクセス不可能と判断する。これは、ＵＥはＣＳＧの異なるセルをサービングセルにできないので、上記の判断が可能となる。
【０４６４】
なお、サービングセルは、ＥＳセルに対して、ＣＳＧ関連情報として、アクセスモードとともにＣＳＧ−ＩＤを通知してもよい。ＥＳセルは、サービングセルがクローズドモードの場合に、サービングセルのＣＳＧに関する情報と、自セルのＣＳＧに関する情報とを用いて、ウェイクアップ処理起動対象ＵＥのＣＳＧ制御を行うようにしてもよい。
【０４６５】
このようにすることによって、ドーマント状態のＥＳセルをウェイクアップする処理において、ＣＳＧ制御を行うことが可能となる。
【０４６６】
また、ＥＳセルは、ＵＥのＣＳＧ関連情報を必要としないので、ＵＥからサービングセルへ、また、サービングセルからＥＳセルへ、ＵＥのＣＳＧ関連情報を通知する必要がなくなる。したがって、シグナリング量の削減が可能となる。
【０４６７】
実施の形態４  変形例１．
本変形例では、アクセス制限制御を行う方法について、アクセス制限がＣＳＧの場合の他の具体例を開示する。
【０４６８】
ウェイクアップ処理において、サービングセルがＵＥのＣＳＧ制御を行う場合、また、ＵＥがサービングセルへＤＳメジャメント報告を行い、該メジャメント報告を受信したサービングセルがＥＳセルへウェイクアップメッセージを送信する場合について開示する。
【０４６９】
この場合は、実施の形態２の変形例１の一部を変更して適用することができる。アクセス制限情報として、ＥＡＢ用ＡＣの代わりに、ＣＳＧに関する情報を用いればよい。
【０４７０】
シーケンスの具体例は、図１３の一部を変更して適用すればよい。変更部分について以下に説明する。
【０４７１】
図１３のステップＳＴ１６０２では、ＥＳセルからサービングセルへＥＳセルのＥＡＢ用ＡＣ情報を通知していたが、代わりに、ＥＳセルのＣＳＧ関連情報を通知すればよい。ＣＳＧ関連情報として、ＣＳＧ−ＩＤ、ＣＳＧインジケーション（CSG indication）、アクセスモードなどがある。これによって、サービングセルは、ＤＳメジャメント報告をするＵＥのＣＳＧ−ＩＤを取得することが可能となる。
【０４７２】
図１３のステップＳＴ１６０４では、ＵＥからサービングセルへＵＥのＥＡＢ用ＡＣ情報を通知していたが、代わりに、ＵＥのＣＳＧ関連情報を通知すればよい。あるいは、ＵＥが保持するＣＳＧ−ＩＤのリストである許可ＣＳＧリスト（allowed CSG list）を通知してもよい。これによって、サービングセルは、ＤＳメジャメント報告をするＵＥのＣＳＧ−ＩＤを取得することが可能となる。
【０４７３】
図１３のステップＳＴ１６０５において、サービングセルは、ＥＡＢ制御を行ったが、代わりに、ＣＳＧ制御を行えばよい。この場合、サービングセルは、ウェイクアップ処理を起動したＵＥの識別子と、該識別子に関連付けられたＣＳＧ−ＩＤ情報と、ＥＳセルのＣＳＧ関連情報とを用いて、ウェイクアップ処理起動対象ＵＥがＥＳセルにアクセス可能であるか否かを判断する。
【０４７４】
具体的には、サービングセルは、ＥＳセルがＣＳＧに属するか否か、およびアクセスモードがオープンモードであるか、またはクローズドモードであるかを判断することによって、ウェイクアップ処理起動対象ＵＥがＥＳセルにアクセス可能であるか否かを判断する。
【０４７５】
ＥＳセルがＣＳＧに属さない場合、または、アクセスモードがオープンモードである場合は、サービングセルは、ウェイクアップ処理起動対象ＵＥがＥＳセルにアクセス可能であると判断する。ＥＳセルがＣＳＧに属し、かつ、アクセスモードがクローズドモードである場合、サービングセルは、該ＵＥのＣＳＧ−ＩＤとＥＳセルのＣＳＧ−ＩＤとが同一であれば、ウェイクアップ処理起動対象ＵＥがＥＳセルにアクセス可能であると判断し、該ＵＥのＣＳＧ−ＩＤとＥＳセルのＣＳＧ−ＩＤとが異なれば、ウェイクアップ処理起動対象ＵＥがＥＳセルにアクセス不可能であると判断する。
【０４７６】
本変形例で開示した方法とすることによって、システム情報を報知しないドーマント状態のＥＳセルに対するウェイクアップ処理に、ＣＳＧによるアクセス制限を導入することが可能となる。ウェイクアップ処理起動対象ＵＥのサービングセルによるＣＳＧ制御によって、ウェイクアップ処理対象ＥＳセルにアクセス権の無いＵＥからのウェイクアップ処理を制限できるようになる。したがって、ドーマント状態のＥＳセルは、無駄なスイッチオンをしなくて済む。これによって、実施の形態１の変形例１と同様の効果を得ることができる。
【０４７７】
実施の形態４  変形例２．
ウェイクアップ処理において、サービングセルがＵＥのＣＳＧ制御を行う場合、また、ＵＥがサービングセルへＤＳメジャメント報告を行い、該メジャメント報告を受信したサービングセルがＥＳセルへウェイクアップメッセージを送信する場合の、ＣＳＧ制御を行う他の方法を開示する。
【０４７８】
実施の形態２の変形例２の一部を変更して適用するとよい。アクセス制限情報として、ＥＡＢ用ＡＣの代わりに、ＣＳＧに関する情報を用いればよい。
【０４７９】
シーケンスの具体例は、図１４の一部を変更して適用すればよい。変更部分について以下に説明する。
【０４８０】
図１４のステップＳＴ１７０２では、ＥＳセルからサービングセルへＥＳセルのＥＡＢ用ＡＣ情報を通知していたが、代わりに、ＥＳセルのＣＳＧ関連情報を通知すればよい。ＣＳＧ関連情報として、ＣＳＧ−ＩＤ、ＣＳＧインジケーション（CSG indication）、アクセスモードなどがある。これによって、サービングセルは、ＤＳメジャメント報告をするＵＥのＣＳＧ−ＩＤを取得することが可能となる。
【０４８１】
図１４のステップＳＴ１７０３では、ＵＥからサービングセルへＵＥのＥＡＢ用ＡＣ情報を通知していたが、代わりに、ＵＥのＣＳＧ関連情報を通知すればよい。あるいは、ＵＥが保持するＣＳＧ−ＩＤのリストである許可ＣＳＧリスト（allowed CSG list）を通知してもよい。これによって、サービングセルは、接続するＵＥのＣＳＧ−ＩＤを取得することが可能となる。
【０４８２】
図１４のステップＳＴ１７０４において、サービングセルはＥＡＢ制御を行ったが、代わりに、ＣＳＧ制御を行えばよい。この場合、サービングセルは、ステップＳＴ１７０３でＣＳＧ−ＩＤ情報を通知したＵＥの識別子と、該識別子に関連付けられたＣＳＧ−ＩＤ情報と、ＥＳセルのＣＳＧ関連情報とを用いて、ウェイクアップ処理起動対象ＵＥがＥＳセルにアクセス可能であるか否かを判断する。
【０４８３】
具体的には、サービングセルは、ＥＳセルがＣＳＧに属するか否か、およびアクセスモードがオープンモードであるか、またはクローズドモードであるかを判断することによって、ウェイクアップ処理起動対象ＵＥがＥＳセルにアクセス可能であるか否かを判断する。
【０４８４】
ＥＳセルがＣＳＧに属さない場合、または、アクセスモードがオープンモードである場合は、サービングセルは、ウェイクアップ処理起動対象ＵＥがＥＳセルにアクセス可能であると判断する。ＥＳセルがＣＳＧに属し、かつ、アクセスモードがクローズドモードである場合、サービングセルは、該ＵＥのＣＳＧ−ＩＤとＥＳセルのＣＳＧ−ＩＤとが同一であれば、ウェイクアップ処理起動対象ＵＥがＥＳセルにアクセス可能であると判断し、該ＵＥのＣＳＧ−ＩＤとＥＳセルのＣＳＧ−ＩＤが異なれば、ウェイクアップ処理起動対象ＵＥがＥＳセルにアクセス不可能であると判断する。
【０４８５】
本変形例で開示した方法とすることによって、システム情報を報知しないドーマント状態のＥＳセルに対するウェイクアップ処理に、ＣＳＧによるアクセス制限を導入することが可能となる。サービングセルによるＣＳＧ制御によって、ＵＥに対してアクセス不許可のセルをＥＳセルのメジャメント設定から除外することが可能となる。ＵＥは、アクセス権の無いＥＳセルのメジャメントを行わなくなる。したがって、ウェイクアップ処理対象ＥＳセルにアクセス権の無いＵＥからのウェイクアップ処理を制限できるようになるので、ドーマント状態のＥＳセルは無駄なスイッチオンをしなくて済む。これによって、実施の形態１の変形例１と同様の効果を得ることができる。
【０４８６】
実施の形態４  変形例３．
本変形例では、アクセス制限制御を行う方法について、アクセス制限がＣＳＧの場合の他の具体例を開示する。
【０４８７】
ウェイクアップ処理において、ＵＥがＣＳＧ制御を行う場合、また、ＵＥがサービングセルへＤＳメジャメント報告を行い、該メジャメント報告を受信したサービングセルがＥＳセルへウェイクアップメッセージを送信する場合について開示する。
【０４８８】
この場合は、実施の形態２の変形例３の一部を変更して適用することができる。アクセス制限情報として、ＥＡＢ用ＡＣの代わりに、ＣＳＧに関する情報を用いればよい。
【０４８９】
シーケンスの具体例は、図１５の一部を変更して適用すればよい。変更部分について以下に説明する。
【０４９０】
図１５のステップＳＴ１８０２では、ＥＳセルからサービングセルへＥＳセルのＥＡＢ用ＡＣ情報を通知していたが、代わりに、ＥＳセルのＣＳＧ関連情報を通知すればよい。ＣＳＧ関連情報として、ＣＳＧ−ＩＤ、ＣＳＧインジケーション（CSG indication）、アクセスモードなどがある。これによって、サービングセルは、ＤＳメジャメント報告をするＵＥのＣＳＧ−ＩＤを取得することが可能となる。
【０４９１】
図１５のステップＳＴ１８０３では、サービングセルからＵＥへＥＳセルのＥＡＢ用ＡＣ情報を通知していたが、代わりに、ＥＳセルのＣＳＧ関連情報を通知すればよい。これによって、ＵＥは、ＤＳメジャメント設定されたＥＳセルのＣＳＧ関連情報を取得することが可能となる。
【０４９２】
図１５のステップＳＴ１８０４において、ＵＥは、ＥＡＢ制御を行ったが、代わりに、ＣＳＧ制御を行えばよい。この場合、ＵＥは、自ＵＥのＣＳＧ−ＩＤ情報と、ＥＳセルのＣＳＧ関連情報とを用いて、自ＵＥが該ＥＳセルにアクセス可能であるか否かを判断する。
【０４９３】
具体的には、ＵＥは、ＥＳセルがＣＳＧに属するか否か、およびアクセスモードがオープンモードであるか、またはクローズドモードであるかを判断することによって、自ＵＥが該ＥＳセルにアクセス可能であるか否かを判断する。
【０４９４】
ＥＳセルがＣＳＧに属さない場合、または、アクセスモードがオープンモードである場合は、ＵＥは、自ＵＥが該ＥＳセルにアクセス可能であると判断する。ＥＳセルがＣＳＧに属し、かつ、アクセスモードがクローズドモードである場合、ＵＥは、自ＵＥのＣＳＧ−ＩＤとＥＳセルのＣＳＧ−ＩＤとが同一であれば、アクセス可能であると判断し、自ＵＥのＣＳＧ−ＩＤとＥＳセルのＣＳＧ−ＩＤとが異なれば、アクセス不可能であると判断する。
【０４９５】
本変形例で開示した方法とすることによって、システム情報を報知しないドーマント状態のＥＳセルに対するウェイクアップ処理に、ＣＳＧによるアクセス制限を導入することが可能となる。ＵＥによるＣＳＧ制御によって、ＵＥはアクセス不許可のセルをＥＳセルのメジャメント設定から除外することが可能となる。ＵＥは、アクセス権の無いＥＳセルのメジャメントを行わなくなる。したがって、ウェイクアップ処理対象ＥＳセルにアクセス権の無いＵＥからのウェイクアップ処理を制限できるようになるので、ドーマント状態のＥＳセルは、無駄なスイッチオンをしなくて済む。これによって、実施の形態１の変形例２と同様の効果を得ることができる。
【０４９６】
実施の形態４  変形例４．
ウェイクアップ処理において、ＵＥがＣＳＧ制御を行う場合、また、ＵＥがサービングセルへＤＳメジャメント報告を行い、該メジャメント報告を受信したサービングセルがＥＳセルへウェイクアップメッセージを送信する場合の、ＣＳＧ制御を行う他の方法を開示する。
【０４９７】
実施の形態４の変形例３で開示した方法では、サービングセルはＥＳセルからＥＳセルのＣＳＧに関する情報を取得し、該ＣＳＧ関連情報をＵＥに対して通知していた。これによって、ＵＥは、ＣＳＧ制御を行うことが可能となった。
【０４９８】
本変形例では、ＵＥは自ＵＥ内に保持している周辺ＣＳＧセル情報を用いる。
【０４９９】
ＵＥは、以前システム情報を取得したセルの、セル識別子とＣＳＧ関連情報を関連付けて記録しておく。また、ＰＬＭＮ情報も記録してもよい。ＵＥは、記録したセル識別子がどのＰＬＭＮ内で有効であるかを、判断可能となる。システム情報の取得は、ＵＥがセルにキャンプオン（camp on）する場合、および周辺セルのメジャメントを行う場合などに行われる。これによって、ＵＥは、以前訪れたセルおよび周辺セルも含めたセルのＣＳＧ関連情報を認識することが可能となる。ＵＥが記憶した、セルのＣＳＧに関する情報を周辺ＣＳＧセル情報と称する。周辺ＣＳＧセル情報として、以前キャンプオンしたセルに限定してもよい。ＣＳＧに関する情報としては、ＣＳＧ−ＩＤ、アクセスモード、ＣＳＧインジケーション（CSG indication）がある。
【０５００】
ＵＥは、サービングセルから通知されたＤＳメジャメントを行うＥＳセルについて、該ＥＳセルのＣＳＧ関連情報を、自ＵＥが保持する周辺ＣＳＧセル情報から導出する。このようにすることによって、ＵＥは、自ＵＥのＣＳＧ−ＩＤと該ＥＳセルのＣＳＧ関連情報を用いて、ＣＳＧ制御を行うことが可能となる。
【０５０１】
図１８は、実施の形態４の変形例３の通信システムにおけるウェイクアップ処理のシーケンスの一例を示す図である。図１８では、自ＵＥ内に保持している周辺ＣＳＧセル情報を用いたウェイクアップ処理について示している。図１５と同一のステップには同一のステップ番号を付して、共通する説明を省略する。
【０５０２】
ステップＳＴ１８０１において、ＥＳセルはドーマント状態にあるとする。
ＵＥはサービングセルからＥＳセルのセル識別子を取得する。
【０５０３】
ステップＳＴ３００１において、サービングセルはＵＥにメジャメント制御メッセージを通知する。サービングセルは、該メッセージ中で、予め定めるＵＥに対するＥＳセルのＤＳメジャメントあるいはＥＳセルの検出のためのＤＳメジャメントを設定する。メジャメントセルの設定は、セル識別子を用いて行うとよい。メジャメントセルの設定として、ＥＳセルのＤＳの構成を含めてもよい。また、ＥＳセルのウェイクアップ信号構成を含めてもよい。これらを、セル識別子と関連付けておくとよい。ここでは、ＥＳセルのＣＳＧに関する情報をＵＥに通知しなくてよい。これによって、ＵＥはＥＳセルのセル識別子を取得することが可能となる。
【０５０４】
ステップＳＴ３００２において、ＵＥは、自ＵＥが保持する周辺ＣＳＧセル情報を用いて、メジャメント制御メッセージで設定されたＥＳセルのセル識別子から、該ＥＳセルのＣＳＧ関連情報を導出する。
【０５０５】
ステップＳＴ３００３において、ＵＥは、自ＵＥが保持するＣＳＧ−ＩＤ情報と、導出したＥＳセルのＣＳＧ関連情報とを用いて、アクセス制限制御を行う。具体的には、ＵＥは、自ＵＥが、メジャメント制御メッセージで設定されたＥＳセルにアクセス可能であるか否かを判断する。
【０５０６】
ＵＥは、ＥＳセルがＣＳＧに属するか否か、およびアクセスモードがオープンモードであるか、またはクローズドモードであるかを判断することによって、自ＵＥが、メジャメント制御メッセージで設定されたＥＳセルにアクセス可能であるか否かを判断する。
【０５０７】
ＥＳセルがＣＳＧに属さない場合、または、アクセスモードがオープンモードである場合は、ＵＥは、自ＵＥが、メジャメント制御メッセージで設定されたＥＳセルにアクセス可能であると判断する。ＥＳセルがＣＳＧに属し、かつ、アクセスモードがクローズドモードである場合、ＵＥは、自ＵＥのＣＳＧ−ＩＤとＥＳセルのＣＳＧ−ＩＤとが同一であれば、アクセス可能であると判断し、自ＵＥのＣＳＧ−ＩＤとＥＳセルのＣＳＧ−ＩＤとが異なれば、アクセス不可能であると判断する。
【０５０８】
ＵＥは、アクセス制限制御の結果、メジャメント設定のＥＳセルがアクセス可能ならば、該ＥＳセルのメジャメントをメジャメント設定に従って行う。
【０５０９】
ＵＥは、アクセス制限制御の結果、メジャメント設定のＥＳセルがアクセス不可能ならば、ステップＳＴ１８０５において、該ＥＳセルのメジャメントを行わないよう設定する。あるいは、アクセス不可能なＥＳセルをメジャメント対象から除外するとしてもよい。
【０５１０】
このようにすることによって、ＵＥがアクセス不可能なＥＳセルをメジャメントすることはなくなる。メジャメントによりＥＳセルを検出した場合、該ＥＳセルはアクセス可能なＥＳセルに限定されることになる。
【０５１１】
ステップＳＴ３００２において、メジャメント制御メッセージで設定されたＥＳセルのセル識別子が、自ＵＥの周辺ＣＳＧセル情報に存在しない場合、ＵＥは該ＥＳセルにアクセス不可能と判断してもよい。このようにすることによって、ＵＥが、以前にシステム情報を取得していないＥＳセルに対してウェイクアップ処理を行わないようにできる。これによって、無駄なウェイクアップ処理の発生頻度を低減させることが可能となる。
【０５１２】
他の方法として、ステップＳＴ３００２において、メジャメント制御メッセージで設定されたＥＳセルのセル識別子が、自ＵＥの周辺ＣＳＧセル情報に存在しない場合、ＵＥは、該ＥＳセルにアクセス可能と判断してもよい。この場合、従来のアクセス制限制御も併せて行うようにする。このようにすることによって、ＵＥが、以前にシステム情報を取得していないＥＳセルに対しても、ウェイクアップ処理を行わせることができる。これによって、ウェイクアップ処理が可能なＥＳセルを増大させることが可能となる。ウェイクアップ処理の完了後、ＥＳセルがアクティブ状態になった後に、ＵＥが該ＥＳセルにアクセスする際に、従来のアクセス制限制御、ここではＣＳＧ制御を行うようにすればよい。これによって、アクセス制限制御も可能となる。
【０５１３】
本変形例で開示した方法とすることによって、実施の形態４の変形例３と同様の効果を得ることができる。
【０５１４】
また、ＵＥが周辺セル情報を保持し、該周辺セル情報を用いるので、ＵＥは、ＥＳセルからＥＳセルのＣＳＧ関連情報を取得する必要がなくなる。したがって、通信システム全体として、シグナリング量の削減を図ることができる。
【０５１５】
実施の形態４  変形例５．
本変形例では、アクセス制限制御を行う方法について、アクセス制限がＣＳＧの場合の他の具体例を開示する。
【０５１６】
従来のアクセス制限制御であるＣＳＧ制御では、実施の形態４で記したように、まずは、ＵＥが該セルにアクセス可能か否かを判断する。その後、ＵＥが実際にアクセスする際に、ＭＭＥがＣＳＧの検証（verification）によるＣＳＧ制御を行う。ＭＭＥはＵＥのＣＳＧ−ＩＤのリストであるＣＳＧリスト（CSG list）を保持する。あるいは、ＨＳＳがＵＥのＣＳＧ−ＩＤのリストであるＣＳＧリスト（CSG list）を記録し、ＭＭＥはＨＳＳからＵＥのＣＳＧ−ＩＤのリストであるＣＳＧリスト（CSG list）を取得して保持する。ＭＭＥは自ＭＭＥに保持するＵＥのＣＳＧリスト（CSG list）によって、ＵＥのＣＳＧ−ＩＤの管理を行う。ＭＭＥは、このＣＳＧリスト（CSG list）を用いて、ＵＥのＣＳＧの検証によるＣＳＧ制御を行う。これは、例えば、ＵＥの新規ＣＳＧ登録時など、ＵＥ内に許可ＣＳＧリスト（allowed CSG list）が無い場合、あるいは空の場合に、ＵＥが行う手動セル選択（manual cell selection）処理に有効である。ＵＥがまだ有効なＣＳＧ−ＩＤを有さないので、ＣＳＧ制御はＵＥで行うことができない。ＵＥのＣＳＧ登録後、ＵＥのＣＳＧ−ＩＤは、直ちにＣＳＧリスト（CSG list）に記録されてＭＭＥに保持されるので、ＭＭＥでのＣＳＧ制御が有効となる。
【０５１７】
本変形例では、ウェイクアップ処理において、ＭＭＥが保持するＵＥのＣＳＧリスト（CSG list）を用いる。
【０５１８】
本変形例では、実施の形態４で開示した方法において、ＥＳセルがアクセス制限制御を行う代わりに、ＭＭＥへのアクセス制限制御要求が付加され、ＭＭＥがアクセス制限制御を行い、ＥＳセルはその結果に従って、自セルのスイッチオンを行う。
【０５１９】
図１９は、実施の形態４の変形例５の通信システムにおけるウェイクアップ処理のシーケンスの一例を示す図である。ウェイクアップ処理において、ＭＭＥがＣＳＧ制御を行う場合について示す。また、ＵＥがサービングセルへＤＳメジャメント報告を行い、該メジャメント報告を受信したサービングセルがＥＳセルへウェイクアップメッセージを送信する場合について示す。
【０５２０】
ステップＳＴ３１０１において、ＥＳセルはドーマント状態にあるとする。
ステップＳＴ３１０２において、ＵＥは、ＥＳセルのＤＳメジャメントを行う。ＥＳセルの検出のためのＤＳメジャメントを行ってもよい。この処理は、図１２のステップＳＴ１５０２の処理と同様であるので、説明を省略する。ＤＳの受信品質が予め定めるクライテリアを満たした場合、ＵＥは、サービングセルにメジャメント報告を通知する。
【０５２１】
ステップＳＴ３１０３において、ＵＥは、サービングセルに対して、ＤＳのメジャメント報告を行う。該メジャメント報告に含める情報の具体例として、以下の（１）〜（６）の６つを開示する。
（１）ＵＥの識別子。
（２）予め定めるクライテリアの識別子（イベント）。
（３）ＥＳセルのＤＳ受信品質。
（４）ＥＳセルのＤＳ受信電力。
（５）ＥＳセルの識別子。予め定めるクライテリアの識別子、ＥＳセルのＤＳ受信品質、ＤＳ受信電力と関連付けてもよい。
（６）前記（１）〜（５）の組合せ。
【０５２２】
前記具体例（１）の情報をサービングセルに通知することによって、サービングセルは、ウェイクアップ処理起動対象ＵＥの識別子を認識することが可能となる。
【０５２３】
また、前記具体例（５）をサービングセルに通知することによって、どのＥＳセルがウェイクアップ処理対象かを、サービングセルは認識することが可能となる。
【０５２４】
実施の形態４で開示した方法とは異なり、ＵＥのアクセス制限情報、すなわち、ＵＥのＣＳＧ関連情報は、本変形例では通知しなくてよい。この場合、メジャメント報告で必要な情報のみとなるので、シグナリングの情報量の削減、制御の簡略化が可能となる。
【０５２５】
ＵＥからＤＳメジャメント報告を受信したサービングセルは、メジャメント報告に含まれるＥＳセルの識別子から、該ＥＳセルをウェイクアップ処理対象ＥＳセルとして、ステップＳＴ３１０４において、該ウェイクアップ処理対象ＥＳセルにウェイクアップ要求メッセージを通知する。このメッセージは、Ｘ２シグナリングで通知してもよい。
【０５２６】
サービングセルは、ＤＳメジャメント報告に含まれる情報と、自セルが保有する他の情報を用いて、ＥＳセルをウェイクアップするかどうか判断してもよい。ウェイクアップ起動する場合、ウェイクアップ処理対象ＥＳセルにウェイクアップ要求を通知する。ウェイクアップ起動しない場合、ウェイクアップ処理対象ＥＳセルにウェイクアップ要求メッセージを通知しない。この場合、サービングセルは、ＵＥに対して、メジャメント制御メッセージでメジャメントさせるＥＳセルを再設定して通知してもよい。
【０５２７】
ウェイクアップ要求メッセージに含める情報の具体例として、以下の（１）〜（４）の４つを開示する。
（１）ＵＥの識別子。メジャメント報告を行ったＵＥの識別子。
（２）ＵＥのＰＬＭＮ情報。
（３）サービングセルの識別子。
（４）前記（１）〜（３）の組合せ。
【０５２８】
前記具体例（１）の情報をＥＳセルに通知することによって、ＥＳセルは、ウェイクアップ処理起動対象ＵＥの識別子を認識することが可能となる。
【０５２９】
実施の形態４で開示した方法とは異なり、ＵＥのアクセス制限情報、すなわち、ＵＥのＣＳＧ関連情報は、本変形例では通知しないでよい。シグナリングの情報量削減が可能となる。
【０５３０】
ステップＳＴ３１０４でウェイクアップ要求メッセージを受信したＥＳセルは、ステップＳＴ３１０５において、ＭＭＥに対して、アクセス制限制御を要求するメッセージを通知する。この通知には、Ｓ１シグナリングを用いるとよい。アクセス制限制御要求メッセージに、ウェイクアップ処理起動対象ＵＥのＵＥ識別子を含める。また、アクセス制限制御要求メッセージに、自ＥＳセル、すなわち、ウェイクアップ処理対象ＥＳセルのＣＳＧ関連情報を含めるとよい。
【０５３１】
これによって、ＭＭＥは、ウェイクアップ処理起動対象ＵＥのＵＥ識別子と、ウェイクアップ処理対象ＥＳセルのＣＳＧ関連情報を取得することが可能となる。
【０５３２】
ＥＳセルのアクセス制限情報の通知は、アクセス制限制御要求メッセージとは異なるシグナリングで行われてもよい。ＥＳセルのアクセス制限情報は、ＥＳセルからＭＭＥに通知する他のメッセージに含めて通知されてもよい。アクセス制限情報が設定された場合および、該アクセス制限情報が時間的に変更された場合などのように、アクセス制限制御要求とは別のタイミングでＭＭＥに通知できるので、柔軟な制御を行うことが可能となる。
【０５３３】
ＥＳセルのアクセス制限情報の通知がアクセス制限制御要求メッセージと異なるシグナリングで行われる場合、ＥＡＢアクセス制限情報の通知は、ＥＳセルがドーマント状態に移行する前に行われてもよい。ＥＳセル設置時、あるいは、ドーマント状態に移行する前のアクティブ状態のときに、ＥＳセルは、ＭＭＥに自セルのＥＡＢアクセス制限情報を通知してもよい。これによって、サービングセルは、ＥＳセルのアクセス制限情報を取得することができる。
【０５３４】
ＥＳセルのアクセス制限情報は、Ｓ１シグナリングで通知するとよい。Ｓ１セットアップ要求メッセージとしてもよい。ＥＳセルは、自セルの設置時に、ＭＭＥにＳ１セットアップ要求メッセージを通知する。これに含めることによって、シグナリング量の削減を図ることができる。また、新たなメッセージを設ける必要がなく、制御を簡易にすることができる。あるいは、ｅＮＢコンフィグレーションアップデートメッセージとしてもよい。例えば、ＥＳセルのアクセス制限情報が変更された場合に、該ｅＮＢコンフィグレーションアップデートメッセージにアクセス制限情報を含めて通知するとよい。これによって、シグナリング量の削減を図ることができる。また、新たなメッセージを設ける必要がなく、制御を簡易にすることができる。
【０５３５】
ステップＳＴ３１０６において、ＭＭＥはＣＳＧ制御を行う。ＭＭＥは、自ＭＭＥに保持するＵＥのＣＳＧリスト（CSG list）を用いて、ステップＳＴ３１０５で取得したウェイクアップ処理起動対象ＵＥの識別子から該ＵＥのＣＳＧ関連情報を導出する。ＣＳＧ関連情報として、ＣＳＧ−ＩＤがある。ＭＭＥは、導出したＵＥのＣＳＧ関連情報と、ステップＳＴ３１０５で取得したウェイクアップ処理対象ＥＳセルのＣＳＧ関連情報とを用いて、ウェイクアップ処理起動対象ＵＥがウェイクアップ処理対象ＥＳセルにアクセス可能であるか否かを判断する。
【０５３６】
ＭＭＥは、ＥＳセルがＣＳＧに属するか否か、およびアクセスモードがオープンモードであるか、またはクローズドモードであるかを判断することによって、ウェイクアップ処理起動対象ＵＥがウェイクアップ処理対象ＥＳセルにアクセス可能であるか否かを判断する。
【０５３７】
ＥＳセルがＣＳＧに属さない場合、または、アクセスモードがオープンモードである場合は、ＭＭＥは、ウェイクアップ処理起動対象ＵＥがウェイクアップ処理対象ＥＳセルにアクセス可能であると判断する。ＥＳセルがＣＳＧに属し、かつ、アクセスモードがクローズドモードである場合、ＭＭＥは、該ＵＥのＣＳＧ−ＩＤとＥＳセルのＣＳＧ−ＩＤとが同一であれば、アクセス可能であると判断し、該ＵＥのＣＳＧ−ＩＤとＥＳセルのＣＳＧ−ＩＤとが異なれば、アクセス不可能であると判断する。
【０５３８】
ＭＭＥは、アクセス制限制御の結果、ウェイクアップ処理起動対象ＵＥがウェイクアップ処理対象ＥＳセルにアクセス可能であれば、該ＥＳセルに対して、アクセス許可メッセージを通知する。この通知には、Ｓ１シグナリングを用いるとよい。
【０５３９】
ＭＭＥは、アクセス制限制御の結果、ウェイクアップ処理起動対象ＵＥがウェイクアップ処理対象ＥＳセルにアクセス不可能である場合は、該ＥＳセルに対して、アクセス不許可メッセージを通知する。この通知には、Ｓ１シグナリングを用いるとよい。
【０５４０】
アクセス許可メッセージとアクセス不許可メッセージを同一のメッセージ（例えば、アクセス制限制御応答メッセージ）として、該メッセージに、アクセス可能かアクセス不可能かを示す情報を含ませるようにしてもよい。ＭＭＥがＥＳセルに該メッセージを通知するようにしてもよい。この通知にはＳ１シグナリングを用いるとよい。
【０５４１】
ＭＭＥは、ステップＳＴ３１０６で行ったアクセス制限制御の結果、ウェイクアップ処理起動対象ＵＥがウェイクアップ処理対象ＥＳセルにアクセス可能である場合は、ステップＳＴ３１０７において、アクセス制限制御応答メッセージに該ＥＳセルに対するアクセス許可情報を設定して、ステップＳＴ３１１０において、アクセス制限制御応答メッセージをＥＳセルに通知する。
【０５４２】
ＭＭＥは、ステップＳＴ３１０６で行ったアクセス制限制御の結果、ウェイクアップ処理起動対象ＵＥがウェイクアップ処理対象ＥＳセルにアクセス不可能である場合は、ステップＳＴ３１０８において、アクセス制限制御応答メッセージに該ＥＳセルに対するアクセス不許可情報を設定して、ステップＳＴ３１１０において、アクセス制限制御応答メッセージをＥＳセルに通知する。
【０５４３】
アクセス許可メッセージあるいはアクセス不許可メッセージに、ウェイクアップ処理起動対象ＵＥのＵＥ識別子を含ませてもよい。また、該ＵＥのＣＳＧ−ＩＤを含ませてもよい。アクセスを許可あるいは不許可にしたＵＥを明示することが可能となる。誤動作を防げる。
【０５４４】
また、アクセス不許可メッセージに、拒否情報を含めてもよい。拒否情報は、実施の形態１で開示したリジェクトメッセージに含む情報とするとよい。ここでは、ＣＳＧ制御によるアクセス不許可であることを示す情報を含めるとよい。
【０５４５】
ＭＭＥは、ステップＳＴ３１０６で行ったアクセス制限制御の結果、ウェイクアップ処理起動対象ＵＥがウェイクアップ処理対象ＥＳセルにアクセス不可能の場合、ステップＳＴ３１０８の設定に加えて、ステップＳＴ３１０９において、アクセス制限制御応答メッセージに拒否情報を設定して、ステップＳＴ３１１０において、アクセス制限制御応答メッセージをＥＳセルに通知する。
【０５４６】
ステップＳＴ３１１０において、アクセス制限制御応答メッセージを受信したＥＳセルは、ステップＳＴ３１１１において、該メッセージに含まれるアクセス可能かアクセス不可能かを示す情報を用いて、ウェイクアップ処理起動対象ＵＥが自セルにアクセス可能か否かを判断する。アクセス可能を示す情報が含まれている場合、ステップＳＴ３１１４において、ＥＳセルは、自セルをスイッチオンする。ＥＳセルは、スイッチオンによって、ステップＳＴ３１１５において、ドーマント状態からアクティブ状態に移行する。
【０５４７】
ステップＳＴ３１１１において、アクセス不可能を示す情報が含まれている場合、ＥＳセルは自セルをスイッチオンしない。ウェイクアップメッセージを待機する処理に戻るとよい。
【０５４８】
ステップＳＴ３１１０において、アクセス不可能を示す情報とともに、拒否情報を受信したＥＳセルは、ウェイクアップ処理を起動したサービングセルに対して、拒否メッセージを通知してもよい。ステップＳＴ３１１２において、ＥＳセルは、ウェイクアップ要求を通知してきたサービングセルに対して拒否メッセージを通知する。
【０５４９】
拒否メッセージに、拒否情報を含めてもよい。ここでは、ＣＳＧ制御によるアクセス制限であることを示すとよい。
【０５５０】
待機タイマを受信したサービングセルは、待機タイマで設定された時間、該ＥＳセルへのウェイクアップ要求の通知を禁止するとしてもよい。または、待機タイマで設定された時間、該ＥＳセルを傘下のＵＥにメジャメントさせないよう設定してもよい。待機タイマで設定された時間満了後、サービングセルは、該ＥＳセルを傘下のＵＥにメジャメントさせるよう設定することを可能としてもよい。
【０５５１】
拒否メッセージを受信したサービングセルは、ウェイクアップ処理起動対象ＵＥに拒否メッセージを通知してもよい。ステップＳＴ３１１３において、サービングセルは、ＵＥに対して、拒否メッセージを通知する。拒否メッセージは、ウェイクアップ処理対象ＥＳセルにアクセスできないことを示す。該ＥＳセルをウェイクアップできないことを示してもよい。ステップＳＴ３１１３において、拒否メッセージを受信したＵＥは、該ＥＳセルのメジャメントを行わないとしてもよい。あるいは、メジャメント報告を行わないとしてもよい。
【０５５２】
拒否メッセージに、原因情報、または、待機タイマを含めてもよい。原因情報として、アクセス制限によることを示す情報としてもよい。ここでは、ＣＳＧ制御によるアクセス制限であることを示すとよい。
【０５５３】
待機タイマを受信したＵＥは、待機タイマで設定された時間、該ＥＳセルのメジャメントを行わないとしてもよい。または、待機タイマで設定された時間、該ＥＳセルのメジャメント報告を行わないとしてもよい。
【０５５４】
拒否メッセージを受信したサービングセルは、ウェイクアップ処理起動対象ＵＥにメジャメントさせるＥＳセルの再設定を行ってもよい。アクセス制限されたＥＳセルのメジャメントを行わないよう設定してもよい。再度メジャメント制御メッセージで通知するとよい。メジャメント制御メッセージで、該ＥＳセルを設定しないようにするとよい。あるいは、メジャメント制御メッセージで、black listに該ＥＳセルを設定して通知してもよい。あるいは、メジャメント制御メッセージで、gray listに該ＥＳセルを設定して通知してもよい。
【０５５５】
本変形例で開示した方法とすることによって、システム情報を報知しないドーマント状態のＥＳセルに対するウェイクアップ処理に、ＣＳＧによるアクセス制限を導入することが可能となる。ＭＭＥによるＣＳＧ制御によって、アクセス権の無いＵＥからのウェイクアップ処理を制限できるようになる。したがって、ドーマント状態のＥＳセルは、無駄なスイッチオンをしなくて済む。これによって、実施の形態１の変形例３と同様の効果を得ることができる。
【０５５６】
実施の形態４  変形例６．
本変形例では、アクセス制限制御を行う方法について、アクセス制限がＣＳＧの場合の他の具体例を開示する。
【０５５７】
図２０は、実施の形態４の変形例６の通信システムにおけるウェイクアップ処理のシーケンスの一例を示す図である。ウェイクアップ処理において、ＭＭＥがＵＥのＣＳＧ制御を行う場合について示す。また、ＵＥがサービングセルへＤＳメジャメント報告を行い、該メジャメント報告を受信したサービングセルがＥＳセルへウェイクアップメッセージを送信する場合について示す。
【０５５８】
実施の形態４の変形例５では、ＥＳセルがＭＭＥへアクセス制限制御要求を行ったが、本変形例では、サービングセルがＭＭＥへアクセス制限制御要求を行う。ＭＭＥがアクセス制限制御を行い、サービングセルはその結果に従って、ＥＳセルにウェイクアップメッセージを通知する。
【０５５９】
ステップＳＴ３２０１において、ＥＳセルはドーマント状態にあるとする。
ステップＳＴ３２０２において、ＵＥは、ＥＳセルのＤＳメジャメントを行う。ＥＳセルの検出のためのＤＳメジャメントを行ってもよい。この処理は、図１２のステップＳＴ１５０２の処理と同様であるので、説明を省略する。ＤＳの受信品質が予め定めるクライテリアを満たした場合、ＵＥは、サービングセルにメジャメント報告を通知する。
【０５６０】
ステップＳＴ３２０３において、ＵＥは、サービングセルに対して、ＤＳのメジャメント報告を行う。これは、実施の形態４の変形例５で開示した方法と同様であるので、説明を省略する。
【０５６１】
ＵＥからＤＳメジャメント報告を受信したサービングセルは、メジャメント報告に含まれるＥＳセルの識別子から、該ＥＳセルをウェイクアップ処理対象ＥＳセルとして、ステップＳＴ３２０４において、ＭＭＥに対して、アクセス制限制御を要求するメッセージを通知する。この通知には、Ｓ１シグナリングを用いるとよい。アクセス制限制御要求メッセージに、ウェイクアップ処理起動対象ＵＥのＵＥ識別子を含める。また、アクセス制限制御要求メッセージに、ＵＥからメジャメント報告で通知されたＥＳセルのセル識別子を含めるとよい。
【０５６２】
これによって、ＭＭＥは、ウェイクアップ処理起動対象ＵＥのＵＥ識別子と、ウェイクアップ処理対象ＥＳセルのセル識別子を取得可能となる。
【０５６３】
サービングセルからアクセス制限制御要求メッセージを受信したＭＭＥは、該メッセージ含まれるウェイクアップ処理対象ＥＳセルのセル識別子を用いて、該ＥＳセルに、アクセス制限情報を要求する。ステップＳＴ３２０５において、ＭＭＥは、ウェイクアップ処理対象ＥＳセルに対してアクセス制限情報要求メッセージを通知する。
【０５６４】
ＭＭＥからアクセス制限情報要求メッセージを受信したＥＳセルは、ステップＳＴ３２０６において、ＭＭＥに対して自セルのアクセス制限情報を通知する。アクセス制限情報応答メッセージとしてもよい。ここでは、アクセス制限情報としてＣＳＧに関する情報とする。
【０５６５】
これらのメッセージにＳ１シグナリングを用いるとよい。これらのメッセージをＳ１シグナリングに新たに設けてもよい。
【０５６６】
ステップＳＴ３２０６でＥＳセルからＣＳＧ関連情報を受信したＭＭＥは、ステップＳＴ３２０７において、ＣＳＧ制御を行う。この処理は、実施の形態４の変形例５で開示した図１９のステップＳＴ３１０６の処理と同様であるので、説明を省略する。
【０５６７】
また、ステップＳＴ３２０８からステップＳＴ３２１１の処理は、実施の形態４の変形例５で開示した図１９のステップＳＴ３１０７からステップＳＴ３１１０の処理と同様であるので、説明を省略する。なお、図１９のステップＳＴ３１１０では、ＭＭＥからＥＳセルに通知されるが、図２０のステップＳＴ３２１１では、ＭＭＥからサービングセルに通知される。
【０５６８】
ステップＳＴ３２１１でアクセス制限制御応答メッセージを受信したサービングセルは、ステップＳＴ３２１２において、該メッセージに含まれるアクセス可能かアクセス不可能かを示す情報を用いて、ウェイクアップ処理起動対象ＵＥが自セルにアクセス可能か否かを判断する。アクセス可能を示す情報が含まれている場合、ステップＳＴ３２１４において、サービングセルは、ウェイクアップ処理対象ＥＳセルに対して、ウェイクアップ要求メッセージを通知する。該通知には、Ｘ２シグナリングを用いるとよい。該ウェイクアップ要求メッセージを受信したＥＳセルは、ステップＳＴ３２１５において、自セルをスイッチオンする。ＥＳセルは、スイッチオンによって、ステップＳＴ３２１６において、ドーマント状態からアクティブ状態に移行する。
【０５６９】
ステップＳＴ３２１２において、アクセス不可能を示す情報が含まれている場合、サービングセルは、ＥＳセルに対して、ウェイクアップ要求メッセージを通知しない。ＵＥからのＤＳメジャメント報告を待機する処理に戻るとよい。
【０５７０】
ステップＳＴ３２１１において、アクセス不可能を示す情報とともに、拒否情報を受信したサービングセルは、ウェイクアップ処理起動対象ＵＥに対して、ウェイクアップ要求拒否メッセージを通知してもよい。ステップＳＴ３２１３において、サービングセルは、ＵＥに対して拒否メッセージを通知する。拒否メッセージについて、拒否メッセージを受信したＵＥの処理については、実施の形態４の変形例５で開示した処理と同様であるので、説明を省略する。
【０５７１】
サービングセルは、ウェイクアップ処理を起動したＵＥが、ウェイクアップ処理対象ＥＳセルにアクセス不可能である場合、ウェイクアップ処理起動対象ＵＥにメジャメントさせるＥＳセルの再設定を行ってもよい。再設定については、実施の形態４の変形例５で開示した方法と同様であるので、説明を省略する。
【０５７２】
本変形例で開示した方法とすることによって、実施の形態４の変形例５と同様の効果を得ることができる。
【０５７３】
また、サービングセルがＭＭＥに対してアクセス制限制御要求を通知するので、サービングセルはＥＳセルのアクセス制限情報を取得する必要が無い。したがって、サービングセルとＥＳセル間のシグナリングを削減することが可能となる。多数のセルが運用される場合、セル間のシグナリングは莫大に増大する。したがって、セル間のシグナリングを削減することは安定したシステム運用に効果的である。
【０５７４】
本変形例では、ＭＭＥがＥＳセルからアクセス制限情報を取得した。他の例として、サービングセルがＥＳセルからアクセス制限情報を取得し、サービングセルが該ＥＳセルのアクセス制限情報をＭＭＥに通知してもよい。サービングセルがＥＳセルからアクセス制限情報を取得は、サービングセルがＭＭＥに対してアクセス制限制御要求を通知する前に行ってもよい。サービングセルからＭＭＥへのアクセス制限情報の通知は、サービングセルからＭＭＥへのアクセス制限制御要求メッセージに含めてもよい。サービングセルがＥＳセルからアクセス制限情報を取得する方法は、実施の形態２の変形例１の方法を適用するとよい。
【０５７５】
このようにすることによって、サービングセルがＥＳセルのアクセス制限情報を取得する必要が生じるが、ＭＭＥはアクセス制限制御およびアクセス制限制御処理のみを行えばよくなり、ＭＭＥにおける制御を簡略化することが可能となる。
【０５７６】
実施の形態４  変形例７．
本変形例では、アクセス制限制御を行う方法について、アクセス制限がＣＳＧの場合の他の具体例を開示する。
【０５７７】
図２１は、実施の形態４の変形例７の通信システムにおけるウェイクアップ処理のシーケンスの一例を示す図である。ウェイクアップ処理において、ＭＭＥがＵＥのＣＳＧ制御を行う場合について示す。また、ＵＥがサービングセルへＤＳメジャメント報告を行う場合について示す。図２０と同一のステップには同一のステップ番号を付して、共通する説明を省略する。
【０５７８】
実施の形態４の変形例７では、サービングセルがＥＳセルへウェイクアップメッセージを通知したが、本変形例では、ＭＭＥがアクセス制限制御を行い、ＭＭＥがその結果に従ってＥＳセルへウェイクアップメッセージを通知する。
【０５７９】
ステップＳＴ３２０３において、ＵＥからＤＳのメジャメント報告を受信したサービングセルは、メジャメント報告内のＥＳセルをウェイクアップ処理対象ＥＳセルとして、ＭＭＥに該ＥＳセルのウェイクアップ要求を行う。ステップＳＴ３３０１において、サービングセルは、ウェイクアップ要求メッセージをＭＭＥに通知する。該メッセージには、メジャメント報告を行ったＵＥの識別子、ウェイクアップ処理対象ＥＳセルを含める。これによって、ＭＭＥは、ウェイクアップ処理起動対象ＵＥの識別子とウェイクアップ処理対象ＥＳセルの識別子を認識できる。
【０５８０】
ステップＳＴ３２０５において、ＭＭＥは、ウェイクアップ処理対象ＥＳセルに対してアクセス制限情報要求メッセージを通知する。
【０５８１】
ＭＭＥからアクセス制限情報要求メッセージを受信したＥＳセルは、ステップＳＴ３２０６において、ＭＭＥに対して自セルのアクセス制限情報を通知する。
【０５８２】
ステップＳＴ３２０７において、ＭＭＥはＣＳＧ制御を行う。
【０５８３】
ＭＭＥは、ステップＳＴ３２０７で行ったアクセス制限制御の結果、ウェイクアップ処理起動対象ＵＥがウェイクアップ処理対象ＥＳセルにアクセス可能である場合は、ステップＳＴ３３０３に移行して、ウェイクアップ処理対象ＥＳセルに対して、ウェイクアップ要求メッセージを通知する。この通知には、Ｓ１シグナリングを用いるとよい。
【０５８４】
該ウェイクアップ要求メッセージを受信したＥＳセルは、ステップＳＴ３２１５において、自セルをスイッチオンする。ＥＳセルは、スイッチオンによって、ステップＳＴ３２１６において、ドーマント状態からアクティブ状態に移行する。
【０５８５】
ＭＭＥは、ステップＳＴ３２０７で行ったアクセス制限制御の結果、ウェイクアップ処理起動対象ＵＥがウェイクアップ処理対象ＥＳセルにアクセス不可能である場合は、ステップＳＴ３３０１のウェイクアップ要求メッセージの待機処理に戻る。
【０５８６】
ＭＭＥは、ステップＳＴ３２０７で行ったアクセス制限制御の結果、ウェイクアップ処理起動対象ＵＥがウェイクアップ処理対象ＥＳセルにアクセス不可能である場合、ステップＳＴ３３０２において、サービングセルに対して、拒否メッセージを通知してもよい。
【０５８７】
ステップＳＴ３３０２において、拒否メッセージを受信したサービングセルは、ウェイクアップ処理起動対象ＵＥに対して、拒否メッセージを通知してもよい。
【０５８８】
本変形例で開示した方法とすることによって、実施の形態４の変形例６と同様の効果を得ることができる。
【０５８９】
また、ＭＭＥからサービングセルにアクセス制限制御応答メッセージが不要となり、加えて、サービングセルからＥＳセルへのウェイクアップメッセージが不要となる。したがって、サービングセルとＭＭＥ間のシグナリングを削減することができるとともに、サービングセルとＥＳセル間のシグナリングをさらに削減することが可能となる。安定したシステム運用に効果的である。
【０５９０】
実施の形態５．
本実施の形態では、アクセス制限制御を行う方法について、アクセス制限がＣＳＧの場合の具体例を開示する。
【０５９１】
ウェイクアップ処理において、ＥＳセルがＵＥのＣＳＧ制御を行う場合、また、ＥＳセルへウェイクアップ信号を送信する場合については、実施の形態３の一部を変更して適用することができる。アクセス制限情報として、ＥＡＢ用ＡＣの代わりに、ＣＳＧに関する情報を用いればよい。
【０５９２】
シーケンスの具体例は、図１６の一部を変更して適用すればよい。変更部分について以下に説明する。
【０５９３】
図１６のステップＳＴ１９０２では、ＵＥからサービングセルへＵＥのＥＡＢ用ＡＣ情報を通知していたが、代わりに、ＵＥのＣＳＧ−ＩＤ情報を通知すればよい。あるいは、ＵＥが保持するＣＳＧ−ＩＤのリストである許可ＣＳＧリスト（allowed CSG list）を通知してもよい。これによって、サービングセルは、ＤＳメジャメント報告をするＵＥのＣＳＧ−ＩＤを取得することが可能となる。
【０５９４】
図１６のステップＳＴ１９０３において、サービングセルはＥＳセルへのウェイクアップメッセージにウェイクアップ処理起動対象ＵＥのＥＡＢ用ＡＣを含めて通知していたが、代わりにＵＥのＣＳＧ−ＩＤ情報を通知すればよい。あるいは、ＵＥが保持するＣＳＧ−ＩＤのリストである許可ＣＳＧリスト（allowed CSG list）を通知してもよい。該ＵＥに設定したウェイクアップ信号用のＵＥ個別シーケンスおよびその他の情報については、実施の形態３と同様であるので、説明を省略する。これによって、ＥＳセルは、サービングセルがウェイクアップ処理起動対象ＵＥに割当てたＵＥ個別のシーケンスと、該ＵＥのＣＳＧ−ＩＤを取得することが可能となる。
【０５９５】
図１６のステップＳＴ１９０７において、ＥＳセルはＥＡＢ制御を行ったが、代わりに、ＣＳＧ制御を行えばよい。ステップＳＴ１９０６でＵＥから受信したウェイクアップ信号から取得したＵＥ個別シーケンスを用いて、ステップＳＴ１９０３でサービングセルから受信したＵＥ個別シーケンスと関連付けられたＵＥの識別子を導出する。これによって、ウェイクアップ信号を送信したＵＥを特定することができる。該ＵＥの識別子から、ステップＳＴ１９０３で同じく受信した該ＵＥのアクセス制限情報を導出する。これによって、ＥＳセルは、ウェイクアップ信号を送信したＵＥのアクセス制限情報を取得することができる。アクセス制限情報として、ここでは、ＣＳＧ−ＩＤ情報とする。
【０５９６】
ＥＳセルは、取得したＵＥのアクセス制限情報と、自セルのアクセス制限情報、すなわち、ＣＳＧに関する情報を用いて、ウェイクアップ処理起動対象ＵＥのアクセス制限制御を行う。ウェイクアップ処理起動対象ＵＥが自セルにアクセス可能か否かを判断する。
【０５９７】
本実施の形態で開示した方法とすることによって、システム情報を報知しないドーマント状態のＥＳセルに対するウェイクアップ処理に、ＣＳＧによるアクセス制限を導入することが可能となる。ＥＳセルによるＣＳＧ制御によって、アクセス権の無いＵＥからのウェイクアップ信号の送信によるウェイクアップ処理を制限できるようになる。したがって、ドーマント状態のＥＳセルは、無駄なスイッチオンをしなくて済む。これによって、実施の形態２と同様の効果を得ることができる。
【０５９８】
また、ＵＥから直接ＥＳセルに対してウェイクアップ信号を送信するので、サービングセルの制御負荷を削減することが可能となる。
【０５９９】
実施の形態５  変形例１．
本変形例では、アクセス制限制御を行う方法について、アクセス制限がＣＳＧの場合の他の具体例を開示する。
【０６００】
ウェイクアップ処理において、サービングセルがＵＥのＣＳＧ制御を行う場合、また、ＵＥがＥＳセルへウェイクアップ信号を送信する場合について開示する。
【０６０１】
この場合は、実施の形態３の変形例１の一部を変更して適用することができる。アクセス制限情報として、ＥＡＢ用ＡＣの代わりに、ＣＳＧに関する情報を用いればよい。
【０６０２】
シーケンスの具体例は、図１７の一部を変更して適用すればよい。変更部分について以下に説明する。
【０６０３】
図１７のステップＳＴ１７０２では、ＥＳセルからサービングセルへＥＳセルのＥＡＢ用ＡＣ情報を通知していたが、代わりに、ＥＳセルのＣＳＧ関連情報を通知すればよい。ＣＳＧ関連情報として、ＣＳＧ−ＩＤ、ＣＳＧインジケーション（CSG indication）、アクセスモードなどがある。これによって、サービングセルは、ＤＳメジャメント報告をするＵＥのＣＳＧ−ＩＤを取得することが可能となる。
【０６０４】
図１７のステップＳＴ１７０３では、ＵＥからサービングセルへＵＥのＥＡＢ用ＡＣ情報を通知していたが、代わりに、ＵＥのＣＳＧ−ＩＤ情報を通知すればよい。あるいは、ＵＥが保持するＣＳＧ−ＩＤのリストである許可ＣＳＧリスト（allowed CSG list）を通知してもよい。これによって、サービングセルは、接続するＵＥのＣＳＧ−ＩＤを取得することが可能となる。
【０６０５】
図１７のステップＳＴ１７０４において、サービングセルはＥＡＢ制御を行ったが、代わりに、ＣＳＧ制御を行えばよい。サービングセルは、ステップＳＴ１７０３でＣＳＧ−ＩＤ情報を通知したＵＥの識別子と、該識別子に関連付けられたＣＳＧ−ＩＤ情報と、ＥＳセルのＣＳＧ関連情報とを用いて、ウェイクアップ処理起動対象ＵＥがＥＳセルにアクセス可能か否かを判断する。
【０６０６】
サービングセルは、ＥＳセルがＣＳＧに属するか否か、およびアクセスモードがオープンモードであるか、またはクローズドモードかを判断することによって、ウェイクアップ処理起動対象ＵＥがＥＳセルにアクセス可能か否かを判断する。ＥＳセルがＣＳＧに属さない場合、または、アクセスモードがオープンモードである場合は、サービングセルは、ウェイクアップ処理起動対象ＵＥがＥＳセルにアクセス可能であると判断する。ＥＳセルがＣＳＧに属し、かつ、アクセスモードがクローズドモードである場合、サービングセルは、該ＵＥのＣＳＧ−ＩＤとＥＳセルのＣＳＧ−ＩＤとが同一であれば、アクセス可能であると判断し、該ＵＥのＣＳＧ−ＩＤとＥＳセルのＣＳＧ−ＩＤとが異なれば、アクセス不可能であると判断する。
【０６０７】
本変形例で開示した方法とすることによって、システム情報を報知しないドーマント状態のＥＳセルに対するウェイクアップ処理に、ＣＳＧによるアクセス制限を導入することが可能となる。ＥＳセルによるＣＳＧ制御によって、アクセス権の無いＵＥからのウェイクアップ信号の送信によるウェイクアップ処理を制限できるようになる。したがって、ドーマント状態のＥＳセルは、無駄なスイッチオンをしなくて済む。これによって、実施の形態４の変形例２と同様の効果を得ることができる。
【０６０８】
また、ＵＥから直接ＥＳセルに対してウェイクアップ信号を送信するので、サービングセルの制御負荷を削減することが可能となる。
【０６０９】
また、サービングセルがＣＳＧによるアクセス制限制御を行うので、ウェイクアップ信号にＵＥ個別シーケンスを用いる必要がない。サービングセルからウェイクアップ信号用にＵＥ個別シーケンスを割当てる必要もなく、サービングセルからＥＳセルあるいはＵＥにＵＥ個別シーケンスを通知する必要もない。したがって、制御の簡略化を図ることができると共に、シグナリングする情報量の低減を図ることができる。
【０６１０】
実施の形態５  変形例２．
本変形例では、アクセス制限制御を行う方法について、アクセス制限がＣＳＧの場合の他の具体例を開示する。
【０６１１】
ウェイクアップ処理において、ＵＥがＣＳＧ制御を行う場合、また、ＵＥがＥＳセルへウェイクアップ信号を送信する場合について開示する。
【０６１２】
この場合は、実施の形態３の変形例２の一部を変更して適用することができる。アクセス制限情報として、ＥＡＢ用ＡＣの代わりに、ＣＳＧに関する情報を用いればよい。
【０６１３】
シーケンスの具体例は、図１５の一部を変更して適用すればよい。実施の形態３の変形例２で行った変更に加えて、以下の変更を行えばよい。
【０６１４】
図１５のステップＳＴ１８０２では、ＥＳセルからサービングセルへＥＳセルのＥＡＢ用ＡＣ情報を通知していたが、代わりに、ＥＳセルのＣＳＧ関連情報を通知すればよい。ＣＳＧ関連情報として、ＣＳＧ−ＩＤ、ＣＳＧインジケーション（CSG indication）、アクセスモードなどがある。これによって、サービングセルは、ＤＳメジャメント報告をするＵＥのＣＳＧ−ＩＤを取得することが可能となる。
【０６１５】
図１５のステップＳＴ１８０３では、サービングセルからＵＥへＥＳセルのＥＡＢ用ＡＣ情報を通知していたが、代わりに、ＥＳセルのＣＳＧ関連情報を通知すればよい。これによって、ＵＥは、ＤＳメジャメント設定されたＥＳセルのＣＳＧ関連情報を取得することが可能となる。
【０６１６】
図１５のステップＳＴ１８０４において、ＵＥは、ＥＡＢ制御を行ったが、代わりに、ＣＳＧ制御を行えばよい。この場合、ＵＥは、自ＵＥのＣＳＧ−ＩＤ情報と、ＥＳセルのＣＳＧ関連情報とを用いて、該ＥＳセルにアクセス可能か否かを判断する。具体的には、ＵＥは、ＥＳセルがＣＳＧに属するか否か、およびアクセスモードがオープンモードであるか、またはクローズドモードであるかを判断することによって、自ＵＥが該ＥＳセルにアクセス可能か否かを判断する。
【０６１７】
ＥＳセルがＣＳＧに属さない場合、または、アクセスモードがオープンモードである場合は、ＵＥは、該ＥＳセルにアクセス可能であると判断する。ＥＳセルがＣＳＧに属し、かつ、アクセスモードがクローズドモードである場合、ＵＥは、自ＵＥのＣＳＧ−ＩＤとＥＳセルのＣＳＧ−ＩＤとが同一であれば、該ＥＳセルにアクセス可能であると判断し、自ＵＥのＣＳＧ−ＩＤとＥＳセルのＣＳＧ−ＩＤとが異なれば、該ＥＳセルにアクセス不可能であると判断する。
【０６１８】
本変形例で開示した方法とすることによって、システム情報を報知しないドーマント状態のＥＳセルに対するウェイクアップ処理に、ＣＳＧによるアクセス制限を導入することが可能となる。ＵＥによるＣＳＧ制御によって、ＵＥは、アクセス不許可のセルをＥＳセルのメジャメント設定から除外することが可能となる。ＵＥは、アクセス権の無いＥＳセルのメジャメントを行わなくなる。したがって、ウェイクアップ処理対象ＥＳセルにアクセス権の無いＵＥからのウェイクアップ処理を制限できるようになるので、ドーマント状態のＥＳセルは、無駄なスイッチオンをしなくて済む。これによって、実施の形態４の変形例３と同様の効果を得ることができる。
【０６１９】
また、ＵＥから直接ＥＳセルに対してウェイクアップ信号を送信するので、サービングセルの制御負荷を削減することが可能となる。
【０６２０】
実施の形態５  変形例３．
本変形例では、アクセス制限制御を行う方法について、アクセス制限がＣＳＧの場合の他の具体例を開示する。
【０６２１】
本変形例では、ウェイクアップ処理において、ＭＭＥが保持するＵＥのＣＳＧリスト（CSG list）を用いる。
【０６２２】
本変形例では、実施の形態５で開示した方法において、ＥＳセルがアクセス制限制御を行う代わりに、ＭＭＥへのアクセス制限制御要求が付加され、ＭＭＥがアクセス制限制御を行い、ＥＳセルはその結果に従って、自セルのスイッチオンを行う。
【０６２３】
図２２は、実施の形態５の変形例３の通信システムにおけるウェイクアップ処理のシーケンスの一例を示す図である。ウェイクアップ処理において、ＭＭＥがＣＳＧ制御を行う場合について示す。また、ＵＥがＥＳセルへウェイクアップ信号を送信する場合について示す。
【０６２４】
ステップＳＴ３４０１において、ＥＳセルはドーマント状態にあるとする。
ステップＳＴ３４０２において、ＵＥは、サービングセルに自ＵＥの識別子を通知する。該通知にＲＲＣシグナリングを用いてもよい。ＲＲＣシグナリングとして、ＲＲＣ接続設立処理において通知してもよい。すなわち、ＲＲＣ接続設立要求メッセージに含めて通知してもよいし、ＲＲＣ接続設立完了メッセージに含めて通知してもよい。あるいは、ＲＲＣ接続再設立処理において通知してもよい。すなわち、ＲＲＣ接続再設立要求メッセージに含めて通知してもよいし、ＲＲＣ接続再設立完了メッセージに含めて通知してもよい。サービングセルは、ＲＲＣ接続しているＵＥを認識可能となる。
【０６２５】
ステップＳＴ３４０２でＲＲＣ接続したＵＥの識別子を受信したサービングセルは、ＲＲＣ接続しているＵＥに対して、ウェイクアップ信号用にＵＥ個別シーケンスを設定する。ＵＥ個別シーケンスについては、実施の形態３で開示した処理と同様であるので、説明を省略する。ＵＥのＣＳＧ−ＩＤは通知しなくてよい。
【０６２６】
ステップＳＴ３４０３において、サービングセルは、ＥＳセルに対して、ＲＲＣ接続するＵＥのＵＥ識別子と、該ＵＥに設定したＵＥ個別シーケンスを通知する。ＵＥのＵＥ識別子とＵＥ個別シーケンスを関連付けて通知するとよい。ＵＥのＣＳＧ−ＩＤは通知しなくてよい。
【０６２７】
サービングセルは、その他の情報をＥＳセルに通知してもよい。その他の情報の具体例として、以下の（１）〜（３）の３つを開示する。
（１）ＵＥのＰＬＭＮ情報。
（２）サービングセルの識別子。
（３）前記（１），（２）の組合せ。ＵＥ個別シーケンスと組合せて通知してもよい。また、ＵＥの識別子と関連付けて通知してもよい。
【０６２８】
ステップＳＴ３４０４において、サービングセルはＵＥにメジャメント制御メッセージを通知する。ステップＳＴ３４０４の処理は、実施の形態３で開示した、図１６のステップＳＴ１９０４の処理と同様であるので、説明を省略する。
【０６２９】
ステップＳＴ３４０４でサービングセルからメジャメント制御メッセージを受信したＵＥは、ステップＳＴ３４０５において、メジャメントセルとして設定されたＥＳセルのＤＳのメジャメントを行う。該ＥＳセルの検出のためのＤＳのメジャメントを行ってもよい。これは、実施の形態３で開示した、図１６のステップＳＴ１９０５の処理と同様であるので、説明を省略する。
【０６３０】
ステップＳＴ３４０５において、ＥＳセルのＤＳメジャメント、あるいは、ＥＳセルの検出のためのＤＳメジャメントのクライテリアが満たされた場合、ステップＳＴ３４０６において、該ＵＥは、該クライテリアが満たされたＥＳセルに対して、ウェイクアップを要求のためのウェイクアップ信号を送信する。これは、実施の形態３で開示した、図１６のステップＳＴ１９０６の処理と同様であるので、説明を省略する。
【０６３１】
ステップＳＴ３４０６において、ＵＥからのウェイクアップ信号を受信したＥＳセルは、該ウェイクアップ信号に用いられているセル識別子を用いて、自セルへのウェイクアップ信号か否かを判断する。あるいは、自セルのセル識別子から、自セル宛のウェイクアップ信号を検出してもよい。
【０６３２】
自セルへのウェイクアップ信号で無い場合、該ウェイクアップ信号に対する処理は行わない。
【０６３３】
自セルへのウェイクアップ信号の場合、該ウェイクアップ信号に用いられているＵＥ個別シーケンスを取得し、ステップＳＴ３４０３で取得した、ＵＥの識別子と該ＵＥに設定されたＵＥ個別シーケンスの情報から、ウェイクアップ信号を通知したＵＥの識別子を導出する。
【０６３４】
ステップＳＴ３４０７において、ＥＳセルは、ＭＭＥに対して、アクセス制限制御を要求するメッセージを通知する。この通知には、Ｓ１シグナリングを用いるとよい。アクセス制限制御要求メッセージに、ウェイクアップ信号を通知したＵＥ、すなわち、ウェイクアップ処理起動対象ＵＥのＵＥ識別子を含める。また、アクセス制限制御要求メッセージに、自ＥＳセル、すなわち、ウェイクアップ処理対象ＥＳセルのＣＳＧ関連情報を含めるとよい。
【０６３５】
これによって、ＭＭＥは、ウェイクアップ処理起動対象ＵＥのＵＥ識別子と、ウェイクアップ処理対象ＥＳセルのＣＳＧ関連情報を取得可能となる。
【０６３６】
ＥＳセルのアクセス制限情報の通知は、アクセス制限制御要求メッセージとは異なるシグナリングで行われてもよい。ＥＳセルのアクセス制限情報は、ＥＳセルからＭＭＥに通知する他のメッセージに含めて通知されてもよい。この方法は、実施の形態４の変形例５で開示した方法と同様であるので、説明を省略する。
【０６３７】
ステップＳＴ３４０８において、ＭＭＥはＣＳＧ制御を行う。ＭＭＥは、自ＭＭＥに保持するＵＥのＣＳＧリスト（CSG list）を用いて、ステップＳＴ３４０７で取得したウェイクアップ処理起動対象ＵＥの識別子から該ＵＥのＣＳＧ関連情報を導出する。ＣＳＧ関連情報として、ＣＳＧ−ＩＤがある。ＭＭＥは、導出したＵＥのＣＳＧ関連情報と、ステップＳＴ３４０７で取得したウェイクアップ処理対象ＥＳセルのＣＳＧ関連情報とを用いて、ウェイクアップ処理起動対象ＵＥがウェイクアップ処理対象ＥＳセルにアクセス可能であるか否かを判断する。
【０６３８】
具体的には、ＭＭＥは、ＥＳセルがＣＳＧに属するか否か、およびアクセスモードがオープンモードであるか、またはクローズドモードであるかを判断することによって、ウェイクアップ処理起動対象ＵＥがウェイクアップ処理対象ＥＳセルにアクセス可能であるか否かを判断する。
【０６３９】
ＥＳセルがＣＳＧに属さない場合、または、アクセスモードがオープンモードである場合は、ＭＭＥは、該ＵＥが該ＥＳセルにアクセス可能であると判断する。ＥＳセルがＣＳＧに属し、かつ、アクセスモードがクローズドモードである場合、ＭＭＥは、該ＵＥのＣＳＧ−ＩＤと該ＥＳセルのＣＳＧ−ＩＤとが同一であれば、該ＵＥが該ＥＳセルにアクセス可能であると判断し、該ＵＥのＣＳＧ−ＩＤと該ＥＳセルのＣＳＧ−ＩＤとが異なれば、該ＵＥが該ＥＳセルにアクセス不可能であると判断する。
【０６４０】
ＭＭＥは、アクセス制限制御の結果、ウェイクアップ処理起動対象ＵＥがウェイクアップ処理対象ＥＳセルにアクセス可能である場合は、該ＥＳセルに対して、アクセス許可メッセージを通知する。この通知には、Ｓ１シグナリングを用いるとよい。
【０６４１】
ＭＭＥは、アクセス制限制御の結果、ウェイクアップ処理起動対象ＵＥがウェイクアップ処理対象ＥＳセルにアクセス不可能である場合は、該ＥＳセルに対して、アクセス不許可メッセージを通知する。この通知には、Ｓ１シグナリングを用いるとよい。
【０６４２】
アクセス許可メッセージとアクセス不許可メッセージを同一のメッセージ（例えば、アクセス制限制御応答メッセージ）として、該メッセージに、アクセス可能かアクセス不可能かを示す情報を含ませるようにしてもよい。ＭＭＥがＥＳセルに該メッセージを通知するようにしてもよい。この通知にはＳ１シグナリングを用いるとよい。
【０６４３】
ＭＭＥは、ステップＳＴ３４０８で行ったアクセス制限制御の結果、ウェイクアップ処理起動対象ＵＥがウェイクアップ処理対象ＥＳセルにアクセス可能である場合は、ステップＳＴ３４０９において、アクセス制限制御応答メッセージに該ＥＳセルに対するアクセス許可情報を設定して、ステップＳＴ３４１２でアクセス制限制御応答メッセージをＥＳセルに通知する。
【０６４４】
ＭＭＥは、ステップＳＴ３４０８で行ったアクセス制限制御の結果、ウェイクアップ処理起動対象ＵＥがウェイクアップ処理対象ＥＳセルにアクセス不可能である場合は、ステップＳＴ３４１０において、アクセス制限制御応答メッセージに該ＥＳセルに対するアクセス不許可情報を設定して、ステップＳＴ３４１２において、アクセス制限制御応答メッセージをＥＳセルに通知する。
【０６４５】
アクセス許可メッセージあるいはアクセス不許可メッセージに、ウェイクアップ処理起動対象ＵＥのＵＥ識別子を含ませてもよい。また、該ＵＥのＣＳＧ−ＩＤを含ませてもよい。アクセスを許可あるいは不許可にしたＵＥを明示することが可能となる。誤動作を防げる。
【０６４６】
また、アクセス不許可メッセージに、拒否情報を含めてもよい。拒否情報は実施の形態１で開示した拒否メッセージに含む情報とするとよい。ここでは、ＣＳＧ制御によるアクセス不許可であることを示す情報を含めるとよい。
【０６４７】
ＭＭＥは、ステップＳＴ３４０８で行ったアクセス制限制御の結果、ウェイクアップ処理起動対象ＵＥがウェイクアップ処理対象ＥＳセルにアクセス不可能の場合、ステップＳＴ３４１０の設定に加えて、ステップＳＴ３４１１において、アクセス制限制御応答メッセージに拒否情報を設定して、ステップＳＴ３４１２において、アクセス制限制御応答メッセージをＥＳセルに通知する。
【０６４８】
ステップＳＴ３４１２でアクセス制限制御応答メッセージを受信したＥＳセルは、ステップＳＴ３４１３において、該メッセージに含まれるアクセス可能かアクセス不可能かを示す情報を用いて、ウェイクアップ処理起動対象ＵＥが自セルにアクセス可能か否かを判断する。アクセス可能を示す情報が含まれている場合、ステップＳＴ３４１６において、ＥＳセルは、自セルをスイッチオンする。ＥＳセルは、スイッチオンによって、ステップＳＴ３４１７において、ドーマント状態からアクティブ状態に移行する。
【０６４９】
ステップＳＴ３４１３において、アクセス不可能を示す情報が含まれている場合、ＥＳセルは自セルをスイッチオンしない。ステップＳＴ３４０６のウェイクアップ信号を待機する処理に戻るとよい。
【０６５０】
ステップＳＴ３４１２において、アクセス不可能を示す情報とともに、拒否情報を受信したＥＳセルは、サービングセルに対して、ウェイクアップ拒否メッセージを通知してもよい。この場合、ステップＳＴ３４１４において、ＥＳセルは、サービングセルに対して、ウェイクアップ拒否メッセージを通知する。
【０６５１】
ウェイクアップ拒否メッセージに、拒否情報を含めてもよい。ここでは、ＣＳＧ制御によるアクセス制限であることを示すとよい。
【０６５２】
待機タイマ情報を受信したサービングセルは、待機タイマで設定された時間、該ＥＳセルへのウェイクアップ要求の通知を禁止するとしてもよい。または、待機タイマで設定された時間、該ＥＳセルを傘下のＵＥにメジャメントさせないよう設定してもよい。待機タイマで設定された時間満了後、サービングセルは、該ＥＳセルを傘下のＵＥにメジャメントさせるよう設定することを可能としてもよい。
【０６５３】
ウェイクアップ拒否メッセージを受信したサービングセルは、ウェイクアップ処理起動対象ＵＥに、ウェイクアップ拒否メッセージを通知してもよい。この場合、ステップＳＴ３４１５において、サービングセルは、ＵＥに対して、ウェイクアップ拒否メッセージを通知する。ウェイクアップ拒否メッセージは、ウェイクアップ処理対象ＥＳセルにアクセスできないことを示す。該ＥＳセルをウェイクアップできないことを示してもよい。ステップＳＴ３４１５において、ウェイクアップ拒否メッセージを受信したＵＥは、該ＥＳセルのメジャメントを行わないとしてもよい。あるいは、メジャメント報告を行わないとしてもよい。
【０６５４】
ウェイクアップ拒否メッセージに、原因情報、または、待機タイマ情報を含めてもよい。原因情報として、アクセス制限によることを示す情報としてもよい。ここでは、ＣＳＧ制御によるアクセス制限であることを示すとよい。
【０６５５】
待機タイマ情報を受信したＵＥは、待機タイマで設定された時間、該ＥＳセルのメジャメントを行わないとしてもよい。または、待機タイマで設定された時間、該ＥＳセルのメジャメント報告を行わないとしてもよい。
【０６５６】
ウェイクアップ拒否メッセージを受信したサービングセルは、ウェイクアップ処理起動対象ＵＥにメジャメントさせるＥＳセルの再設定を行ってもよい。アクセス制限されたＥＳセルのメジャメントを行わないよう設定してもよい。再度メジャメント制御メッセージで通知するとよい。メジャメント制御メッセージで、該ＥＳセルを設定しないようにするとよい。あるいは、メジャメント制御メッセージで、ブラックリスト（black list）に該ＥＳセルを設定して通知してもよい。あるいは、メジャメント制御メッセージで、グレイリスト（gray list）に該ＥＳセルを設定して通知してもよい。
【０６５７】
本変形例で開示した方法とすることによって、システム情報を報知しないドーマント状態のＥＳセルに対するウェイクアップ処理に、ＣＳＧによるアクセス制限を導入することが可能となる。ＭＭＥによるＣＳＧ制御によって、アクセス権の無いＵＥからのウェイクアップ信号の送信を制限できるようになる。したがって、ドーマント状態のＥＳセルは、無駄なスイッチオンをしなくて済む。これによって、実施の形態４の変形例５と同様の効果を得ることができる。
【０６５８】
また、ＵＥから直接ＥＳセルに対してウェイクアップ信号を送信するので、サービングセルの制御負荷を削減することが可能となる。
【０６５９】
本変形例では、ＥＳセルがＭＭＥに対してアクセス制限制御要求を行った。他の例として、サービングセルがＭＭＥに対してアクセス制限制御要求を行ってもよい。同様の効果を得られる。
【０６６０】
この場合、実施の形態５の変形例１で開示したサービングセルがアクセス制限制御を行う方法の、アクセス制限制御の処理を、ＭＭＥが行うようにする。サービングセルは、ＭＭＥに対してアクセス制限制御要求メッセージを通知し、それを受信したＭＭＥがアクセス制限制御を行い、アクセス制限制御応答メッセージをサービングセルに通知する。サービングセルはアクセス制限制御応答メッセージによりＥＳセルがアクセス許可されているかアクセス不許可かを判断し、ＵＥに対するメジャメント制御メッセージにアクセス可能なＥＳセルのみを設定するようにすればよい。
【０６６１】
実施の形態５の変形例１では、サービングセルがＥＳセルからＥＳセルのアクセス制限情報を取得しているが、他の方法として、ＭＭＥがＥＳセルからアクセス制限情報を取得するようにしてもよい。これは、実施の形態４の変形例６で開示した方法を適用すればよい。サービングセルとＥＳセル間のシグナリング量を削減することができる。
【０６６２】
実施の形態６．
３ＧＰＰにおいて、ＭＢＭＳ（Multimedia Broadcast Multicast Service）の規格策定が行なわれた（非特許文献１参照）。ＭＢＭＳでは、データは複数のセルからマルチセル送信される。したがって、あるセルの傘下のＵＥが隣接セルのＭＢＭＳを受信する場合が存在する。ＵＥは、どのセルから受信しているかを認識しなくてよい。ＭＢＭＳは、ＲＲＣ＿ＣＯＮＮＥＣＴＥＤのＵＥだけでなく、ＲＲＣ＿ＩＤＬＥのＵＥも受信可能である。したがって、ＭＢＭＳを行っているＥＳセルがセルオフされた場合、該ＥＳセルからＭＢＭＳを受信しているＵＥの受信品質は、劣化することになる。
【０６６３】
３ＧＰＰでは、ＥＳセルの傘下にＲＲＣ＿ＣＯＮＮＥＣＴＥＤのＵＥが存在しない場合、該ＥＳセルをスイッチオフすることが議論されている。しかし、ＭＢＭＳは、ＲＲＣ＿ＩＤＬＥのＵＥも受信可能である。したがって、ＥＳセルからＭＢＭＳ受信中のＵＥが存在するにもかかわらず、ＥＳセルの傘下にＲＲＣ＿ＣＯＮＮＥＣＴＥＤのＵＥが存在しない場合、ＥＳセルがスイッチオフされてしまう場合が生じる。このような場合。スイッチオフされたＥＳセルからＭＢＭＳを受信していたＵＥのＭＢＭＳ受信品質が劣化してしまうという問題が発生する。また、最悪の場合、ＭＢＭＳの受信ができなくなってしまう。
【０６６４】
本実施の形態は、このように、ＥＳセルのセルオフによる、ＭＢＭＳ受信品質の劣化あるいはＭＢＭＳの受信が不可能となることを抑制することを目的とする。
【０６６５】
解決策として、以下の（１）〜（４）の４つを開示する。
（１）ＭＢＭＳを提供するケーパビリティを有するＥＳセルのセルオフをしない。
（２）ＥＳセルは、ＭＢＭＳセッション中はセルオフしない。
（３）ＥＳセルは、セルオフする前にＭＢＭＳカウンティング（MBMS Counting）を行う。
（４）ＥＳセルは、ドーマント状態中もＭＢＭＳを提供する。
【０６６６】
前記解決策（１）についての具体例を示す。
ＥＳセルは、自セルがＭＢＭＳの提供が可能か否かを判断し、セルオフの可否を決定する。
【０６６７】
ＭＢＭＳが提供可能か否かの判断基準の具体例として、以下の（１−１）〜（１−６）の６つを開示する。
【０６６８】
（１−１）ＭＢＳＦＮサブフレーム構成可能か否か。
ＭＢＳＦＮサブフレーム構成可能な場合、ＭＢＭＳ提供可能と判断する。
【０６６９】
（１−２）Ｍ２インタフェースがセットアップされているか否か。
Ｍ２インタフェースがセットアップされている場合、ＭＢＭＳ提供可能と判断する。
【０６７０】
（１−３）ＭＣＥと接続しているか否か。
インタフェースは何であってもよく、ＭＣＥと接続しているか否かで判断する。ＭＣＥと接続している場合、ＭＢＭＳ提供可能と判断する。
（１−４）ＭＣＥ機能を有するか否か。
ｅＮＢ内にＭＣＥ機能を有する場合がある。したがって、ＥＳセルを構成するｅＮＢが自ｅＮＢ内にＭＣＥ機能を有するか否かで判断してもよい。ｅＮＢ内にＭＣＥ機能を有する場合、ＭＢＭＳ提供可能と判断する。
【０６７１】
（１−５）ＭＣＥからＭＣＥ構成（MCE configuration）を受信しているか否か。
ＭＣＥからＭＣＥ構成を受信している場合は、ＭＣＥが接続されており、ＭＢＭＳ提供可能と判断する。
（１−６）前記（１−１）〜（１−５）の組合せ。
【０６７２】
前記具体例（１−１）〜（１−５）のいずれか一つによる判断であってもよいし、複数の判断基準を組合せて判断してもよい。これによって、通信システムの構成に応じて柔軟な判断が可能となる。
【０６７３】
ＥＳセルは、自セルがＭＢＭＳ提供可能な場合、セルオフ不可とする。ＥＳセルは、自セルがＭＢＭＳ提供不可能である場合に、セルオフ可とするとよい。
【０６７４】
このようにすることによって、ＵＥは、ＥＳセルからＭＢＭＳを、受信品質の劣化を生じることなく受信することが可能になる。また、ＭＢＭＳを受信しているユーザのユーザエクスペリエンス（user experience）をデグレード（degrade）することはなくなる。したがって、セルオンおよびセルオフ可能なＥＳセルがＭＢＭＳを提供することを可能にすることができる。
【０６７５】
ＥＳセルにおけるセルオフ可否の判断は、自セルが任意のタイミングで行ってもよいし、他のＮＷノードからセルオフの指示メッセージを受信した場合に行ってもよい。自セルが任意のタイミングで行う場合の具体例として、傘下にＲＲＣ＿ＣＯＮＮＥＣＴＥＤのＵＥが存在しない場合がある。
【０６７６】
ＥＳセルが、他のＮＷノードからセルオフの指示メッセージを受信した場合にセルオフ不可と判断した場合、該ＮＷノードに対して、セルオフ不可であることを示すメッセージを通知してもよい。理由情報を含めて通知してもよい。例えば、前記具体例（１−１）〜（１−６）の判断基準を理由としてもよい。これによって、該ＮＷノードは、該ＥＳセルのセルオフが不可能であることを認識することができる。したがって、ＮＷノードは、他のＥＳセルをセルオフするなどの柔軟な運用が可能となる。
【０６７７】
ＥＳセルは、自セルがＭＢＭＳを提供可能か否かの情報を、周辺セルあるいは周辺のＮＷノードに通知しておいてもよい。周辺セルあるいは周辺のＮＷノードは、ＥＳセルのＭＢＭＳを提供可能か否かの情報に基づいて、該ＥＳセルにセルオフを行うか否かを決定可能となる。セルオフが不可能なＥＳセルにセルオフの指示メッセージを送信しなくて済むので、シグナリング量の削減が可能となる。
【０６７８】
前記解決策（２）についての具体例を示す。
【０６７９】
ＥＳセルは、ＭＣＥ（Multi-cell/multicast Coordination Entity）からのＭＢＭＳセッション中であるか否かを判断し、セルオフ可否を決定する。
【０６８０】
ＭＢＭＳセッション中か否かの判断基準の具体例として、以下の（２−１）〜（２−４）の４つを開示する。
【０６８１】
（２−１）ＭＣＥからＭＢＭＳセッション開始（Session Start）要求を受信しているか否か。
【０６８２】
ＥＳセルは、ＭＣＥからＭＢＭＳセッション開始要求メッセージを受信した場合、ＭＢＭＳセッションを開始する。したがって、ＭＢＭＳセッション開始要求メッセージを受信した場合は、ＭＢＭＳセッション中であると判断する。あるいは、ＥＳセルが、ＭＣＥから受信したＭＢＭＳセッション開始要求に対してＭＢＭＳセッション開始応答メッセージをＭＣＥに送信した場合、ＭＢＭＳセッション中であると判断してもよい。
【０６８３】
ＥＳセルは、開始したＭＢＭＳセッションについて、ＭＢＭＳセッション終了要求メッセージを受信した場合、該ＭＢＭＳセッションを終了する。したがって、開始したＭＢＭＳセッションについてＭＢＭＳセッション終了要求メッセージを受信した場合は、ＭＢＭＳセッション中で無いと判断する。あるいは、ＥＳセルが、ＭＣＥから受信したＭＢＭＳセッション終了要求に対してＭＢＭＳセッション終了応答メッセージをＭＣＥに送信した場合、ＭＢＭＳセッション中で無いと判断してもよい。
【０６８４】
（２−２）ＭＣＥからＭＢＭＳスケジューリング情報（scheduling information）を受信しているか否か。
【０６８５】
ＥＳセルは、ＭＣＥからＭＢＭＳスケジューリング情報を受信した場合、ＭＢＭＳセッションを開始する。したがって、ＭＢＭＳスケジューリング情報を受信した場合は、ＭＢＭＳセッション中であると判断する。あるいは、ＥＳセルが、ＭＣＥから受信したＭＢＭＳスケジューリング情報に対してＭＢＭＳスケジューリング情報応答メッセージをＭＣＥに送信した場合としてもよい。
【０６８６】
（２−３）ＭＣＥからＭＢＭＳデータ受信を受信しているか否か。
ＮＷノードとして、ＢＭＳＣ、ＭＢＭＳ ＧＷなどがある。ＭＢＭＳのデータを受信している場合は、ＭＢＭＳセッション中であると判断する。
（２−４）前記（２−１）〜（２−３）の組合せ。
【０６８７】
前記具体例（２−１）〜（２−３）のいずれか一つによる判断であってもよいし、複数の判断基準を組合せて判断してもよい。これによって、通信システムの構成に応じて柔軟な判断が可能となる。
【０６８８】
ＥＳセルは、自セルがＭＢＭＳセッション中である場合、セルオフ不可とする。ＥＳセルは、自セルがＭＢＭＳセッション中でない場合に、セルオフ可とするとよい。
【０６８９】
ＥＳセルが複数のＭＢＭＳセッションの実行を可能な場合、ＥＳセルは、一つでもＭＢＭＳセッション中である場合、セルオフ不可とする。ＥＳセルは、一つもＭＢＭＳセッション中が無い場合、セルオフ可とするとよい。
【０６９０】
このようにすることによって、ＵＥは、ＥＳセルからＭＢＭＳを、受信品質の劣化を生じることなく受信することが可能になる。また、ＭＢＭＳを受信しているユーザのユーザエクスペリエンスをデグレードすることはなくなる。したがって、セルオン、セルオフ可能なＥＳセルがＭＢＭＳを提供することを可能にする。
【０６９１】
ＥＳセルにおけるセルオフ可否の判断は、自セルが任意のタイミングで行ってもよいし、他のＮＷノードからセルオフの指示メッセージを受信した場合に行ってもよい。自セルが任意のタイミングで行う場合の具体例として、傘下にＲＲＣ＿ＣＯＮＮＥＣＴＥＤのＵＥが存在しない場合がある。
【０６９２】
ＥＳセルが他のＮＷノードからセルオフの指示メッセージを受信した場合にセルオフ不可と判断した場合、該ＮＷノードに対して、セルオフ不可であることを示すメッセージを通知してもよい。理由情報を含めて通知してもよい。例えば、前記具体例（２−１）〜（２−４）の判断基準を理由としてもよい。これによって、該ＮＷノードは、該ＥＳセルのセルオフが不可能であることを認識することができる。これによって、ＮＷノードは、他のＥＳセルをセルオフするなどの柔軟な運用が可能となる。
【０６９３】
ＥＳセルは、自セルがＭＢＭＳセッション中か否かの情報を、周辺セルあるいは周辺のＮＷノードに通知しておいてもよい。周辺セルあるいは周辺のＮＷノードは、ＥＳセルのＭＢＭＳセッション中か否かの情報に基づいて、該ＥＳセルにセルオフを行うか否かを決定することが可能となる。これによって、セルオフが不可能なＥＳセルにセルオフの指示メッセージを送信しなくて済むので、シグナリング量の削減が可能となる。
【０６９４】
前記解決策（３）についての具体例を示す。
ＥＳセルは、セルオフする前にＭＢＭＳカウンティング（MBMS counting）を行う。
【０６９５】
ＭＢＭＳカウンティングは、ＭＢＭＳ機能の一つである（非特許文献１参照）。ＭＢＭＳカウンティングは、ＭＢＭＳを受信しているＵＥが存在するか否かを決定するために用いられる。現在の規格では、ＭＢＭＳカウンティングはＲＲＣ＿ＣＯＮＮＥＣＴＥＤのＵＥにのみ適用される。ここでは、ＭＢＭＳカウンティングをＲＲＣ＿ＩＤＬＥのＵＥにも適用する。ＲＲＣ＿ＩＤＬＥのＵＥにも適用する方法を開示する。
【０６９６】
セルは、傘下のＲＲＣ＿ＩＤＬＥのＵＥをＲＲＣ＿ＣＯＮＮＥＣＴＥＤ状態にする。ＲＲＣ＿ＣＯＮＮＥＣＴＥＤにしたＵＥに対して、従来のＭＢＭＳカウンティングを行うようにする。傘下のＲＲＣ＿ＩＤＬＥのＵＥをＲＲＣ＿ＣＯＮＮＥＣＴＥＤ状態にする方法として、セルから、傘下のＵＥに対してページングを行うとよい。ページングメッセージに、ＭＢＭＳカウンティング用であることを示す情報を含めておいてもよい。
【０６９７】
該ＭＢＭＳカウンティング用のページングメッセージを受信したＵＥは、セルに対して、ＲＲＣ接続設立処理を行い、ＲＲＣ＿ＣＯＮＮＥＣＴＥＤ状態に移行する。ＲＲＣ接続設立処理において、ＵＥは、セルに対して、ＭＢＭＳカウンティングのためにＲＲＣ接続設立を行ったことを示してもよい。例えば、ＭＢＭＳカウンティングのためであることを示す情報を設ける。ＵＥは、ＲＲＣ接続設立要求メッセージ、あるいは、ＲＲＣ接続設立完了メッセージなどに該情報含めて、セルに通知する。このようにすることによって、セルは、ＵＥがＭＢＭＳカウンティングのためにＲＲＣ接続設立処理を行ったことを認識することができる。
【０６９８】
セルは、ＭＢＭＳカウンティングのためにＲＲＣ接続設立を行ったＵＥに対して、ＭＢＭＳカウンティングを行う。ＭＢＭＳカウンティングの処理は、従来の方法を適用すればよい。
【０６９９】
ＭＢＭＳカウンティング処理の終了後、セルは、ＵＥに対して、ＲＲＣ接続リリース処理を行ってもよいし、必要に応じて、ＲＲＣ接続を継続してもよい。
【０７００】
ＭＢＭＳカウンティング処理によって、ＥＳセルは、傘下にＭＢＭＳ受信中あるいはＭＢＭＳ受信予定のＵＥが存在するか否かを判断することができる。
【０７０１】
ＥＳセルは、傘下にＭＢＭＳ受信中あるいはＭＢＭＳ受信予定のＵＥが存在する場合、セルオフ不可とする。ＥＳセルは、傘下にＭＢＭＳ受信中あるいはＭＢＭＳ受信予定のＵＥが存在しない場合に、セルオフ可とするとよい。
【０７０２】
このようにすることによって、ＵＥは、ＥＳセルからＭＢＭＳを受信品質の劣化を生じることなく受信することが可能になる。また、ＭＢＭＳを受信しているユーザのユーザエクスペリエンスをデグレードすることはなくなる。したがって、セルオンおよびセルオフ可能なＥＳセルがＭＢＭＳを提供することを可能にすることができる。
【０７０３】
前記解決策（４）についての具体例を示す。
ＥＳセルはドーマント状態中もＭＢＭＳを提供する。
【０７０４】
ＥＳセルがドーマント状態中にＭＢＭＳを提供する具体例として、以下の（４−１）〜（４−３）の３つを開示する。
（４−１）ＭＢＭＳ制御情報とＭＢＭＳのデータの両方を送信する。
（４−２）ＭＢＭＳ制御情報の一部とＭＢＭＳのデータを送信する。
（４−３）ＭＢＭＳのデータのみを送信する。
【０７０５】
前記具体例（４−１）においては、ドーマント状態中のＥＳセルは、ＭＢＭＳを提供するために必要なＭＢＭＳ制御に関する情報（以下「ＭＢＭＳ制御情報」という場合がある）を送信する。また、ＭＢＭＳのデータも送信する。ＭＢＭＳのデータとしてＭＴＣＨで送信されるデータがある。ＭＢＭＳ制御情報の送信、ＭＢＭＳデータの送信は、従来の方法を適用するとよい。これによって、ＵＥは、ＭＢＭＳを受信することが可能となる。
【０７０６】
ＭＢＭＳの無線リンクは、下りリンクのみであり、上りリンクは無い。したがって、ＭＢＭＳのみを提供するセルは、たとえＭＢＭＳ制御情報とデータとの両方を送信したとしても、上りリンクの受信をする必要がないので、低消費電力化を図ることができる。
【０７０７】
前記具体例（４−２）においては、ドーマント状態中のＥＳセルは、ＭＢＭＳ制御情報の一部とＭＢＭＳのデータのみを送信する。ＭＢＭＳ制御情報の一部としては、従来のシステム情報として報知する情報を除いた情報とするとよい。このようにすることによって、ＥＳセルは、システム情報を報知する必要がなくなる。したがって、さらに低消費電力化を図ることができる。
【０７０８】
ＭＢＭＳ制御情報のうち、従来のシステム情報として報知する情報としては、ＭＢＳＦＮサブフレームの構成情報（mbsfn-SubframeConfigList）、ＭＣＣＨの構成情報であるＭＢＳＦＮエリア情報（mbsfn-AreaInfoList）、ＭＣＣＨ変更を示す情報の構成情報である（MBMS-notificationConfig）などがある。
【０７０９】
ＭＢＭＳ制御情報の一部として、従来のシステム情報として報知する情報および、ＰＤＣＣＨ上で送信されるＭＢＭＳ制御情報を除いた情報としてもよい。これによって、ＥＳセルは、さらに低消費電力化を図ることができる。
【０７１０】
ＰＤＣＣＨ上で送信されるＭＢＭＳ制御情報としては、ＭＣＣＨの変更を示す情報である「MCCH information change notification」などがある。
【０７１１】
ＥＳセルから送信するＭＢＭＳ制御情報の一部としては、ＭＣＣＨなどがある。ＥＳセルは、ＭＣＣＨで送信するＭＢＭＳ制御情報を送信する。
【０７１２】
ＥＳセルは、ＭＢＭＳ制御情報の一部のみを送信するので、送信しないＭＢＭＳ制御情報をＵＥに対して通知する必要があるが、ドーマント状態のＥＳセルはそれが不可能となる。
【０７１３】
この問題を解決する方法を開示する。ドーマント状態中にＭＢＭＳを提供するＥＳセルは、ＵＥに対して、自セルが送信しないＭＢＭＳ制御情報を、該ＵＥのサービングセルを介して通知する。
【０７１４】
具体例を開示する。
ドーマント状態中にＭＢＭＳを提供するＥＳセルは、該ＭＢＭＳ制御情報を、周辺セルに対して通知する。該ＭＢＭＳ制御情報を受信したセルは、傘下のＵＥに対して、該ＭＢＭＳ制御情報を通知する。このようにすることによって、ＵＥは、ドーマント状態のＥＳセルが提供するＭＢＭＳのＭＢＭＳ制御情報を取得することが可能となる。ＵＥは、ドーマント状態のＥＳセルのＤＳを受信することによって、該ＥＳセルと同期をとる。ＵＥは、サービングセルから受信した該ＭＢＭＳ制御情報とＥＳセルから送信されたＭＢＭＳ制御情報とを用いて、ドーマント中のＥＳセルからＭＢＭＳを受信することが可能となる。
【０７１５】
このようにすることによって、ＵＥは、たとえＥＳセルがドーマント中であっても、ＥＳセルから送信されるＭＢＭＳを受信することが可能となるので、ＭＢＭＳを受信品質の劣化を生じることなく受信可能になる。また、ＭＢＭＳを受信しているユーザのユーザエクスペリエンスをデグレードすることはなくなる。したがって、セルオン、セルオフ可能なＥＳセルがＭＢＭＳを提供することを可能にすることができる。
【０７１６】
他の解決方法を開示する。ＥＳセルと該ＥＳセルの周辺セルを同一ＭＢＳＦＮエリア内に構成する。周辺セルは予め決定されるとよい。例えば、ＥＳセルからＭＢＭＳを受信可能な範囲のセルなどとするとよい。
【０７１７】
同一ＭＢＳＦＮエリア内のセルは、マルチセル送信される。したがって、ＥＳセルの周辺セルの傘下のＵＥは、サービングセルからのＭＢＭＳ制御情報に従えば、どのセルから受信しているかを認識する必要がなく、ＥＳセルからのＭＢＭＳを受信することが可能となる。
【０７１８】
ＥＳセルは、直接ＵＥに、あるいはサービングセルを介してＵＥにＭＢＭＳ制御情報を通知する必要はないので、シグナリング量の削減を図ることができる。
【０７１９】
ＥＳセルが複数のＭＢＳＦＮエリアに構成される場合、周辺セルも同じ複数のＭＢＳＦＮエリアに構成されるようにするとよい。ＥＳセルでサービスされるＭＢＭＳサービスは、周辺セルでもサービスされることになり、各ＭＢＭＳサービスに対するＭＢＭＳ制御情報が周辺セルから傘下のＵＥに通知される。したがって、ＥＳセルの周辺セルの傘下のＵＥは、サービングセルからのＭＢＭＳ制御情報に従えば、どのセルから受信しているかを認識する必要がなく、ＥＳセルからの各ＭＢＭＳサービスを受信することが可能となる。
【０７２０】
前記具体例（４−３）においては、ＥＳセルはＭＢＭＳのデータのみを送信する。ＥＳセルは、ＭＢＭＳ制御情報の送信を行わない。ＭＢＭＳデータの送信は、従来の方法を適用するとよい。ＥＳセルは、ＭＢＭＳデータのみの送信となるので、さらに低消費電力化を図ることができる。
【０７２１】
ＥＳセルは、ＭＢＭＳ制御情報を、ＵＥに対して通知する必要があるが、ドーマント状態のＥＳセルはそれが不可能となる。この場合も前述の方法を用いればよい。
【０７２２】
このようにすることによって、ドーマント状態中のＥＳセルからＭＢＭＳを提供することが可能となるので、ＥＳセルの低消費電力化を図ることができるとともに、ＵＥは、ＥＳセルからＭＢＭＳを受信品質の劣化を生じることなく受信することが可能になる。また、ＭＢＭＳを受信しているユーザのユーザエクスペリエンスをデグレードすることはなくなる。
【０７２３】
実施の形態７．
ＥＳセルからＭＢＭＳを受信可能なＵＥが存在するにもかかわらず、ＥＳセルがドーマント状態の場合、該ＵＥは、ドーマント状態のＥＳセルからＭＢＭＳを受信できない。
【０７２４】
このような場合の解決策として、実施の形態６で、ＥＳセルがドーマント状態中もＭＢＭＳを提供することを開示したが、本実施の形態では他の方法を開示する。
【０７２５】
ＭＢＭＳを受信するＵＥ、あるいは、ＭＢＭＳ受信するつもりのＵＥがドーマント状態のＥＳセルに対してウェイクアップ処理を実行することを許可する。
【０７２６】
具体例を開示する。
サービングセルは、周辺ＥＳセルのＭＢＭＳ制御情報を取得する。ＥＳセルは、周辺セルに、自セルのＭＢＭＳ制御情報を通知する。Ｘ２シグナリングを用いるとよい。ＭＭＥを介して通知してもよい。Ｓ１シグナリングを用いるとよい。また、ＭＣＥを介して通知してもよい。Ｍ２シグナリングを用いるとよい。
【０７２７】
サービングセルは、取得した周辺ＥＳセルのＭＢＭＳ制御情報を傘下のＵＥに通知する。サービングセルは、自セルが属さないＭＢＳＦＮエリアに属するＥＳセルのＭＢＭＳ制御情報を傘下のＵＥに通知してもよい。ＥＳセルのセル識別子と関連付けて通知してもよい。あるいは、ＭＢＳＦＮエリアと関連付けて通知してもよい。
【０７２８】
通知する方法の具体例として、以下の（１），（２）の２つを開示する。
（１）報知する。
サービングセルは、傘下のＵＥに対してＥＳセルのＭＢＭＳ制御情報を報知するとよい。例えばＳＩＢに含めて報知する。傘下のＵＥは、サービングセルからのＳＩＢを受信することによって、ＥＳセルのＭＢＭＳ制御情報を取得することができる。
【０７２９】
（２）個別シグナリングで通知する。
サービングセルは、ＵＥに対して個別シグナリングを用いてＥＳセルのＭＢＭＳ制御情報を通知するとよい。例えば、ＲＲＣシグナリングを用いるとよい。セルは、ＲＲＣ接続設立処理、あるいは、ＲＲＣ接続再設立処理を行うＵＥに対して、該処理の際に通知してもよい。あるいは、メジャメント制御メッセージに含めて通知してもよい。
【０７３０】
他の方法として、セルは、キャンプオン処理を行うＵＥに対して、該キャンプオン処理の際に通知してもよい。あるいは、セルは、ＴＡＵ処理を行うＵＥに対して、該ＴＡＵ処理の際に通知してもよい。ＴＡＵ処理として、例えば、周期的ＴＡＵ処理の際としてもよい。
【０７３１】
他の方法として、サービングセルは、ＤＳメジャメント報告をしてきたＵＥに対して、個別シグナリングを用いてＥＳセルのＭＢＭＳ制御情報を通知してもよい。
【０７３２】
これによって、ＵＥは、サービングセルから、ＥＳセルにおけるＭＢＭＳ制御情報を取得することが可能となる。ＵＥは、サービングセルと異なるＭＢＳＦＮエリアに属するＥＳセルのＭＢＭＳ制御情報を取得してもよい。
【０７３３】
ＭＢＭＳを受信するＵＥ、あるいは、ＭＢＭＳを受信するつもりのＵＥは、ＥＳセルのＤＳメジャメントあるいは、ＥＳセルを検出するためのＤＳメジャメントを行う。
【０７３４】
ＭＢＭＳを受信するＵＥ、あるいは、ＭＢＭＳを受信するつもりのＵＥは、ＥＳセルメジャメントあるいはＥＳセルを検出するためのメジャメントを行うＥＳセルを、ＭＢＭＳサービスを行うＥＳセルに限定してもよい。
【０７３５】
該ＵＥは、予め定めるＤＳメジャメントのクライテリアを満たしたＭＢＭＳサービスを行うＥＳセルに対して、ウェイクアップ信号を通知する。サービングセルを介して、ウェイクアップメッセージを通知してもよい。ＵＥはＤＳメジャメント報告をサービングセルに通知し、該ＤＳメジャメント報告を受信したサービングセルは、該ＥＳセルに対してウェイクアップ要求メッセージを通知する。ウェイクアップ処理に関しては、実施の形態１から実施の形態５の変形例３を適用してもよい。
【０７３６】
ＭＢＭＳを受信するＵＥ、あるいは、ＭＢＭＳを受信するつもりのＵＥが、たとえＲＲＣ＿ＩＤＬＥであったとしても、ドーマント状態のＥＳセルに対してウェイクアップ処理を実行することを許可してもよい。
【０７３７】
ＲＲＣ＿ＩＤＬＥのＵＥの場合のウェイクアップ処理は、サービングセルに一旦ＲＲＣ接続を行ってから前述の方法を用いて行うとよい。あるいは、該ＵＥは、ＲＲＣ＿ＩＤＬＥのまま、ＥＳセルにウェイクアップ信号を送信すればよい。ＵＥへのＥＳセルのウェイクアップ信号の構成およびＤＳの構成の通知には、前述の、ＥＳセルのＭＢＭＳ制御情報を通知する方法を適用すればよい。ＥＳセルのＭＢＭＳ制御情報と一緒に通知するようにしてもよい。
【０７３８】
本実施の形態で開示した方法とすることによって、ＵＥは、ドーマント状態のＥＳセルをセルオンすることが可能となり、ＭＢＭＳの通信品質向上を可能とし、あるいは、ＭＢＭＳの受信を可能とする。したがって、ＭＢＭＳを受信するユーザのユーザエクスペリエンスを向上させることができる。
【０７３９】
前述の各実施の形態およびその変形例は、本発明の例示に過ぎず、本発明の範囲内において、各実施の形態およびその変形例を自由に組合せることができる。また各実施の形態およびその変形例の任意の構成要素を適宜変更または省略することができる。これによって、多数のセルが運用される場合にも、セルオン、セルオフを可能とし、ネットワークの低消費電力化およびシステムの干渉低減を可能とする通信システムを提供することができる。
【０７４０】
本発明は詳細に説明されたが、上記した説明は、すべての局面において、例示であって、本発明がそれに限定されるものではない。例示されていない無数の変形例が、本発明の範囲から外れることなく想定され得るものと解される。
【符号の説明】
【０７４１】
１３０１  マクロｅＮＢ（マクロセル）のカバレッジ、１３０２  スモールｅＮＢ（スモールセル）のカバレッジ。
【図１】
2020202598.tif 000003
【図２】
2020202598.tif 000004
【図３】
2020202598.tif 000005
【図４】
2020202598.tif 000006
【図５】
2020202598.tif 000007
【図６】
2020202598.tif 000008
【図７】
2020202598.tif 000009
【図８】
2020202598.tif 000010
【図９】
2020202598.tif 000011
【図１０】
2020202598.tif 000012
【図１１】
2020202598.tif 000013
【図１２】
2020202598.tif 000014
【図１３】
2020202598.tif 000015
【図１４】
2020202598.tif 000016
【図１５】
2020202598.tif 000017
【図１６】
2020202598.tif 000018
【図１７】
2020202598.tif 000019
【図１８】
2020202598.tif 000020
【図１９】
2020202598.tif 000021
【図２０】
2020202598.tif 000022
【図２１】
2020202598.tif 000023
【図２２】
2020202598.tif 000024